(57)【要約】  本発明は、モバイル通信技術の分野に関し、特に、信号強度を測定する方法およびデバイスに関し、Ｒｅｍｏｔｅ  ＵＥが確実にＲｅｍｏｔｅ  ＵＥとＰｒｏＳｅ  ＵＥ−ｔｏ−ＮＷ  Ｒｅｌａｙとの間のリンクの信号強度を測定するようにする。本発明の実施形態では、中継デバイスは、リモートデバイスに対する接続を確立した後で第２のメッセージをさらに送信するので、リモートデバイスは、第２のメッセージを受信した後でリモートデバイスと中継デバイスとの間のリンクの信号強度を測定するとしてよい。つまり、リモートデバイスが中継デバイスに対する接続を確立した後、中継デバイスはさらに第２のメッセージを続けて送信するとしてよいので、リモートデバイスはリモートデバイスと中継デバイスとの間の信号強度を続けて測定するとしてよく、これによって、中継デバイスを再選択する必要があるか否かを判断するための基準として信号強度を利用する。このため、リモートデバイスは確実に高いサービス品質を得ることができ、比較的高い品質のリンクの利用率が改善され、システム信頼性が改善される。
2018533308.tif 000002
【特許請求の範囲】
【請求項１】
第１のメッセージを第１の中継デバイスによってブロードキャストする段階であって、前記第１のメッセージは前記第１の中継デバイスを発見するべくリモートデバイスによって利用される、段階と、
前記リモートデバイス内の第１のリモートデバイスに対する接続を前記第１の中継デバイスによって確立する段階と、
第２のメッセージを前記第１の中継デバイスによって送信する段階であって、前記第２のメッセージは前記リモートデバイスと前記第１の中継デバイスとの間のリンクの信号強度を測定するべく前記リモートデバイスによって利用される、段階と
を備える、信号強度を測定する方法。
【請求項２】
前記第２のメッセージは前記第１のメッセージと同一であり、前記第１のメッセージおよび前記第２のメッセージはそれぞれ、前記第１の中継デバイスがアクセス上限に到達したか否かの指標を保持し、前記第１のメッセージおよび前記第２のメッセージは、前記第１の中継デバイスを発見するべく、および、前記リモートデバイスと前記第１の中継デバイスとの間の前記リンクの前記信号強度を測定するべく、前記リモートデバイスによって利用される
請求項１に記載の方法。
【請求項３】
前記第１の中継デバイスが前記アクセス上限に到達したか否かの前記指標は具体的に、
前記第１の中継デバイスが前記アクセス上限に到達している場合に前記第１の中継デバイスが前記リモートデバイスに対する中継サービスを提供できないこと、または、
前記第１の中継デバイスが前記アクセス上限に到達していない場合に前記第１の中継デバイスが前記リモートデバイスに対する中継サービスを提供できること
を示すべく利用される
請求項２に記載の方法。
【請求項４】
前記第１のリモートデバイスに対する接続を前記第１の中継デバイスによって確立する前記段階の後、前記方法はさらに、
前記第１の中継デバイスが前記リモートデバイスに対する中継サービスを提供できる場合、前記第１のメッセージを送信するときに、前記第２のメッセージを前記第１の中継デバイスによって送信する段階であって、前記第２のメッセージは前記第１の中継デバイスの識別子を保持する、段階、または、
前記第１の中継デバイスが前記リモートデバイスに対する中継サービスを提供できる場合、前記第２のメッセージを前記第１の中継デバイスによって送信する段階であって、前記第２のメッセージは前記第１のメッセージと同一であり、前記第１のメッセージまたは前記第２のメッセージは前記第１の中継デバイスを発見するべく、および、前記リモートデバイスと前記第１の中継デバイスとの間の前記リンクの前記信号強度を測定するべく前記リモートデバイスによって利用される、段階、もしくは、前記第１の中継デバイスが前記リモートデバイスに対する中継サービスを提供できない場合、前記第１の中継デバイスによって、前記第２のメッセージの送信を停止して、第３のメッセージの送信を開始する段階であって、前記第３のメッセージは前記第１の中継デバイスの識別子を保持する、段階、または、
前記第１の中継デバイスが前記リモートデバイスに対する中継サービスを提供できない場合、前記第１の中継デバイスによって、前記第１のメッセージの送信を停止して、前記第２のメッセージの送信を開始する段階であって、前記第２のメッセージは前記第１の中継デバイスの識別子を保持する、段階
を備える請求項１に記載の方法。
【請求項５】
前記第１の中継デバイスの前記識別子は、前記第１の中継デバイスが送信する前記第１のメッセージ、前記第２のメッセージまたは前記第３のメッセージを識別するべく前記第１のリモートデバイスによって利用され、
前記第１の中継デバイスの前記識別子は、前記第１の中継デバイスを識別するために利用される第１のコードワードまたは前記第１の中継デバイスの前記識別子のうち少なくとも１つを含む
請求項４に記載の方法。
【請求項６】
前記第２のメッセージを前記第１の中継デバイスによって送信する段階は、
前記第２のメッセージを前記第１の中継デバイスによってブロードキャストする段階、または、
前記第２のメッセージを前記リモートデバイスにユニキャスト方式またはマルチキャスト方式で前記第１の中継デバイスによって送信する段階
を有する請求項１から５のいずれか一項に記載の方法。
【請求項７】
第１のリモートデバイスが送信する第１のメッセージを中継デバイスによって受信する段階であって、前記第１のメッセージは中継サービスを提供するよう前記中継デバイスに要求するべく前記第１のリモートデバイスによって利用される、段階と、
第２のメッセージを前記中継デバイスによって送信する段階であって、前記第２のメッセージは前記中継デバイスを発見するべく前記第１のリモートデバイスによって利用される、段階と、
前記第１のリモートデバイスに対する接続を、前記中継デバイスにおける第１の中継デバイスによって確立する段階と、
前記第１のリモートデバイスが送信する第３のメッセージを前記第１の中継デバイスによって受信する段階であって、前記第３のメッセージは測定サービスを提供するよう前記第１の中継デバイスに要求するべく前記第１のリモートデバイスによって利用される、段階と
を備える、信号強度を測定する方法。
【請求項８】
前記第１のリモートデバイスが送信する第３のメッセージを前記第１の中継デバイスによって受信する段階の後、前記方法はさらに、
前記第３のメッセージが前記第１の中継デバイスの識別子を保持する場合、前記第１の中継デバイスが第４のメッセージを前記リモートデバイスに送信すると、前記第１の中継デバイスによって判断する段階であって、前記第４のメッセージは前記第１のリモートデバイスと前記第１の中継デバイスとの間のリンクの信号強度を測定するべく前記第１のリモートデバイスによって利用される、段階
を備える請求項７に記載の方法。
【請求項９】
前記第１のリモートデバイスが送信する第３のメッセージを、前記第１の中継デバイスによって受信する段階の後、前記方法はさらに、
前記第３のメッセージが前記測定サービスを提供するよう要求するための前記識別子を保持する場合、前記第３のメッセージが前記第１のリモートデバイスによって送信されたと前記第１の中継デバイスによって判断し、前記第１のリモートデバイスに第４のメッセージを前記第１の中継デバイスによって送信する段階であって、前記第４のメッセージは前記第１のリモートデバイスと前記第１の中継デバイスとの間のリンクの信号強度を測定するべく前記第１のリモートデバイスによって利用される、段階
を備える請求項７に記載の方法。
【請求項１０】
前記第４のメッセージは前記第１の中継デバイスの前記識別子を保持し、前記第１の中継デバイスの前記識別子は、前記第１の中継デバイスを識別するために利用される第１のコードワードまたは前記第１の中継デバイスの前記識別子のうち少なくとも１つを含む
請求項８または９に記載の方法。
【請求項１１】
第１のリモートデバイスが送信する第１のメッセージを中継デバイスによって受信する段階であって、前記第１のメッセージは中継サービスを提供するよう前記中継デバイスに要求するべく前記第１のリモートデバイスによって利用される、段階と、
第２のメッセージを前記中継デバイスによって送信する段階であって、前記第２のメッセージは前記中継デバイスを発見するべく前記第１のリモートデバイスによって利用される、段階と、
前記第１のリモートデバイスに対する接続を、前記中継デバイスにおける第１の中継デバイスによって確立する段階と、
第４のメッセージを前記第１の中継デバイスによって送信する段階であって、前記第４のメッセージは前記第１のリモートデバイスと前記第１の中継デバイスとの間のリンクの信号強度を測定するべく前記第１のリモートデバイスによって利用される、段階と
を備える、信号強度を測定する方法。
【請求項１２】
前記第４のメッセージは前記第１の中継デバイスの識別子を保持し、前記第１の中継デバイスの前記識別子は、前記第１の中継デバイスを識別するために利用される第１のコードワードまたは前記第１の中継デバイスの前記識別子のうち少なくとも１つを含む
請求項１１に記載の方法。
【請求項１３】
中継デバイスがブロードキャストする第１のメッセージを第１のリモートデバイスによって受信する段階であって、前記第１のメッセージは前記中継デバイスを発見するべく前記第１のリモートデバイスによって利用される、段階と、
前記中継デバイスにおける第１の中継デバイスに対する接続を前記第１のリモートデバイスによって確立する段階と、
前記第１の中継デバイスが送信する第２のメッセージを前記第１のリモートデバイスによって受信する段階であって、前記第２のメッセージは前記第１のリモートデバイスと前記第１の中継デバイスとの間のリンクの信号強度を測定するべく前記第１のリモートデバイスによって利用される、段階と
を備える、信号強度を測定する方法。
【請求項１４】
前記第２のメッセージは前記第１のメッセージと同一であり、前記第１のメッセージおよび前記第２のメッセージはそれぞれ、前記第１の中継デバイスがアクセス上限に到達したか否かの指標を保持し、前記第１のメッセージおよび前記第２のメッセージは、前記第１の中継デバイスを発見するべく、および、前記第１のリモートデバイスと前記第１の中継デバイスとの間の前記リンクの前記信号強度を測定するべく、前記第１のリモートデバイスによって利用される
請求項１３に記載の方法。
【請求項１５】
前記第１の中継デバイスが前記アクセス上限に到達したか否かの前記指標は具体的に、
前記第１の中継デバイスが前記アクセス上限に到達している場合に、前記リモートデバイスに対する中継サービスを前記第１の中継デバイスが提供できないこと、または、
前記第１の中継デバイスが前記アクセス上限に到達していない場合に、前記第１の中継デバイスが前記リモートデバイスに対する中継サービスを提供できること
を示すべく利用される
請求項１４に記載の方法。
【請求項１６】
前記第１の中継デバイスに対する接続を前記第１のリモートデバイスによって確立する段階の後、前記方法はさらに、
前記第１の中継デバイスが前記リモートデバイスに対する中継サービスを提供できる場合、前記第１のメッセージまたは前記第２のメッセージを前記第１のリモートデバイスによってモニタリングして受信する段階であって、前記第１のメッセージおよび前記第２のメッセージはそれぞれ前記第１の中継デバイスの識別子を保持する、段階、または、
前記第１の中継デバイスが前記リモートデバイスに対する中継サービスを提供できる場合、前記第２のメッセージを前記第１のリモートデバイスによってモニタリングして受信する段階であって、前記第２のメッセージは前記第１のメッセージと同一であり、前記第１のメッセージまたは前記第２のメッセージは前記第１の中継デバイスを発見するべく、および、前記第１のリモートデバイスと前記第１の中継デバイスとの間の前記リンクの前記信号強度を測定するべく前記第１のリモートデバイスによって利用される、段階、もしくは、前記第１の中継デバイスが前記リモートデバイスに対する中継サービスを提供できない場合、前記第２のメッセージのモニタリングを前記第１のリモートデバイスによって停止して、第３のメッセージのモニタリングを開始する段階であって、前記第３のメッセージは前記第１の中継デバイスの識別子を保持する、段階、または、
前記第１の中継デバイスが前記リモートデバイスに対する中継サービスを提供できない場合、前記第２のメッセージを前記第１のリモートデバイスによってモニタリングする段階であって、前記第２のメッセージは前記第１の中継デバイスの識別子を保持する、段階
を備える請求項１３に記載の方法。
【請求項１７】
前記第１の中継デバイスの前記識別子は、前記第１の中継デバイスが送信する前記第１のメッセージ、前記第２のメッセージまたは前記第３のメッセージを識別するべく前記第１のリモートデバイスによって利用され、
前記第１の中継デバイスの前記識別子は、前記第１の中継デバイスを識別するために利用される第１のコードワードまたは前記第１の中継デバイスの前記識別子のうち少なくとも１つを含む
請求項１６に記載の方法。
【請求項１８】
中継デバイスに対して第１のメッセージを第１のリモートデバイスによって送信する段階であって、前記第１のメッセージは中継サービスを提供するよう前記中継デバイスに要求するべく前記第１のリモートデバイスによって利用される、段階と、
前記中継デバイスが送信する第２のメッセージを、前記第１のリモートデバイスによって受信する段階であって、前記第２のメッセージは前記中継デバイスを発見するべく前記第１のリモートデバイスによって利用される、段階と、
前記中継デバイスにおける第１の中継デバイスに対する接続を前記第１のリモートデバイスによって確立する段階と、
前記第１の中継デバイスに対して第３のメッセージを前記第１のリモートデバイスによって送信する段階であって、前記第３のメッセージは測定サービスを提供するよう前記第１の中継デバイスに要求するべく前記第１のリモートデバイスによって利用される、段階と
を備える、信号強度を測定する方法。
【請求項１９】
前記第１の中継デバイスに対して第３のメッセージを前記第１のリモートデバイスによって送信する段階の後、前記方法はさらに、
前記第３のメッセージが前記第１の中継デバイスの識別子を保持する場合、前記第１の中継デバイスが送信した第４のメッセージを受信すると、前記第１のリモートデバイスによって判断する段階であって、前記第４のメッセージは前記第１のリモートデバイスと前記第１の中継デバイスとの間のリンクの信号強度を測定するべく前記第１のリモートデバイスによって利用される、段階
を備える請求項１８に記載の方法。
【請求項２０】
前記第１の中継デバイスに対して第３のメッセージを前記第１のリモートデバイスによって送信する段階の後、前記方法はさらに、
前記第３のメッセージが前記測定サービスを要求するための前記識別子を保持する場合、前記第１の中継デバイスが送信する第４のメッセージを前記第１のリモートデバイスによって受信する段階であって、前記第４のメッセージは前記第１のリモートデバイスと前記第１の中継デバイスとの間のリンクの信号強度を測定するべく前記第１のリモートデバイスによって利用される、段階
を備える請求項１８に記載の方法。
【請求項２１】
前記第４のメッセージは前記第１の中継デバイスの前記識別子を保持し、前記第１の中継デバイスの前記識別子は、前記第１の中継デバイスを識別するために利用される第１のコードワードまたは前記第１の中継デバイスの前記識別子のうち少なくとも１つを含む
を備える請求項１９または２０に記載の方法。
【請求項２２】
中継デバイスに対して第１のメッセージを第１のリモートデバイスによって送信する段階であって、前記第１のメッセージは中継サービスを提供するよう前記中継デバイスに要求するべく前記第１のリモートデバイスによって利用される、段階と、
前記中継デバイスが送信する第２のメッセージを前記第１のリモートデバイスによって受信する段階であって、前記第２のメッセージは前記中継デバイスを発見するべく前記第１のリモートデバイスによって利用される、段階と、
前記中継デバイスにおける第１の中継デバイスに対する接続を前記第１のリモートデバイスによって確立する段階と、
前記第１の中継デバイスが送信する第４のメッセージを前記第１のリモートデバイスによって受信する段階であって、前記第４のメッセージは前記第１のリモートデバイスと前記第１の中継デバイスとの間のリンクの信号強度を測定するべく前記第１のリモートデバイスによって利用される、段階と
を備える、信号強度を測定する方法。
【請求項２３】
前記第４のメッセージは前記第１の中継デバイスの識別子を保持し、前記第１の中継デバイスの前記識別子は、前記第１の中継デバイスを識別するために利用される第１のコードワードまたは前記第１の中継デバイスの前記識別子のうち少なくとも１つを含む
請求項２２に記載の方法。
【請求項２４】
中継デバイスであって、
第１のメッセージをブロードキャストするように構成されている送信モジュールであって、前記第１のメッセージは、前記中継デバイスを発見するためにリモートデバイスによって利用される、送信モジュールと、 
前記リモートデバイスにおける第１のリモートデバイスに対する接続を確立するように構成されている処理モジュールと
を備え、
前記送信モジュールはさらに、第２のメッセージを送信するように構成されており、前記第２のメッセージは、前記リモートデバイスと前記中継デバイスとの間のリンクの信号強度を測定するべく前記リモートデバイスによって利用される
中継デバイス。
【請求項２５】
前記第２のメッセージは前記第１のメッセージと同一であり、前記第１のメッセージおよび前記第２のメッセージはそれぞれ、前記中継デバイスがアクセス上限に到達したか否かの指標を保持し、前記第１のメッセージおよび前記第２のメッセージは、前記中継デバイスを発見するべく、および、前記リモートデバイスと前記中継デバイスとの間の前記リンクの前記信号強度を測定するべく、前記リモートデバイスによって利用される
請求項２４に記載の中継デバイス。
【請求項２６】
前記中継デバイスが前記アクセス上限に到達したか否かの前記指標は具体的に、
前記中継デバイスが前記アクセス上限に到達する場合に、前記中継デバイスが前記リモートデバイスに対する中継サービスを提供できないこと、または、
前記中継デバイスが前記アクセス上限に到達していない場合に、前記中継デバイスが前記リモートデバイスに対する中継サービスを提供できること
を示すべく利用される
請求項２５に記載の中継デバイス。
【請求項２７】
前記送信モジュールはさらに、前記リモートデバイスにおける前記第１のリモートデバイスに対する前記接続を確立した後で前記中継デバイスが前記リモートデバイスに対する中継サービスを提供できる場合、前記第１のメッセージを送信するときに前記第２のメッセージを送信するように構成されており、前記第２のメッセージは前記中継デバイスの識別子を保持し、または、
前記送信モジュールはさらに、前記リモートデバイスにおける前記第１のリモートデバイスに対する前記接続を確立した後で前記中継デバイスが前記リモートデバイスに対する中継サービスを提供できる場合、前記第２のメッセージを送信するように構成されており、前記第２のメッセージは前記第１のメッセージと同一であり、前記第１のメッセージまたは前記第２のメッセージは、前記中継デバイスを発見するべく、および、前記リモートデバイスと前記中継デバイスとの間の前記リンクの前記信号強度を測定するべく、前記リモートデバイスによって利用されるか、もしくは、前記中継デバイスが前記リモートデバイスに対する中継サービスを提供できない場合、前記第２のメッセージの送信を停止して第３のメッセージの送信を開始するように構成されており、前記第３のメッセージは前記中継デバイスの識別子を保持し、または、
前記送信モジュールはさらに、前記リモートデバイスにおける前記第１のリモートデバイスに対する前記接続を確立した後で前記第１の中継デバイスが前記リモートデバイスに対する中継サービスを提供できない場合、前記第１のメッセージの送信を停止して前記第２のメッセージの送信を開始するように構成されており、前記第２のメッセージは前記第１の中継デバイスの識別子を保持する
請求項２４に記載の中継デバイス。
【請求項２８】
前記中継デバイスの前記識別子は、前記中継デバイスが送信する前記第１のメッセージ、前記第２のメッセージまたは前記第３のメッセージを識別するべく前記第１のリモートデバイスによって利用され、
前記中継デバイスの前記識別子は、前記中継デバイスを識別するために利用される第１のコードワードまたは前記中継デバイスの前記識別子のうち少なくとも１つを含む
請求項２７に記載の中継デバイス。
【請求項２９】
前記送信モジュールは、
前記第２のメッセージをブロードキャストするように、または、
ユニキャスト方式またはマルチキャスト方式で前記リモートデバイスに前記第２のメッセージを送信するように構成されている
請求項２４から２８のいずれか一項に記載の中継デバイス。
【請求項３０】
中継デバイスであって、
第１のリモートデバイスが送信する第１のメッセージを受信するように構成されている受信モジュールであって、前記第１のメッセージは、中継サービスを提供するよう前記中継デバイスに要求するべく前記第１のリモートデバイスによって利用される、受信モジュールと、
第２のメッセージを送信するように構成されている送信モジュールであって、前記第２のメッセージは前記中継デバイスを発見するべく前記第１のリモートデバイスによって利用される、送信モジュールと、
前記第１のリモートデバイスに対する接続を確立するように構成されている処理モジュールと
を備え、
前記受信モジュールはさらに、前記第１のリモートデバイスが送信する第３のメッセージを受信するように構成されており、前記第３のメッセージは、測定サービスを提供するよう前記中継デバイスに要求するべく前記第１のリモートデバイスによって利用される
中継デバイス。
【請求項３１】
前記第１のリモートデバイスが送信する前記第３のメッセージを前記受信モジュールが受信した後、  前記受信モジュールが受信した前記第３のメッセージが前記中継デバイスの識別子を保持する場合、前記処理モジュールはさらに、前記送信モジュールが第４のメッセージを前記第１のリモートデバイスに送信すると判断するように構成されており、前記第４のメッセージは、前記第１のリモートデバイスと前記中継デバイスとの間のリンクの信号強度を測定するべく前記第１のリモートデバイスによって利用される
請求項３０に記載の中継デバイス。
【請求項３２】
前記第１のリモートデバイスが送信する前記第３のメッセージを前記受信モジュールが受信した後、前記測定サービスを提供するよう要求するべく前記第３のメッセージが前記識別子を保持する場合、前記処理モジュールはさらに、前記第３のメッセージが前記第１のリモートデバイスによって送信されたと判断するように構成されており、
前記送信モジュールはさらに、第４のメッセージを前記第１のリモートデバイスに送信するように構成されており、前記第４のメッセージは、前記第１のリモートデバイスと前記中継デバイスとの間のリンクの信号強度を測定するべく前記第１のリモートデバイスによって利用される
請求項３０に記載の中継デバイス。
【請求項３３】
前記第４のメッセージは前記第１の中継デバイスの前記識別子を保持し、前記第１の中継デバイスの前記識別子は、前記第１の中継デバイスを識別するために利用される第１のコードワードまたは前記第１の中継デバイスの前記識別子のうち少なくとも１つを含む
請求項３１または３２に記載の中継デバイス。
【請求項３４】
中継デバイスであって、
第１のリモートデバイスが送信する第１のメッセージを受信するように構成されている受信モジュールであって、前記第１のメッセージは、中継サービスを提供するよう前記中継デバイスに要求するために前記第１のリモートデバイスによって利用される、受信モジュールと、
第２のメッセージを送信するように構成されている送信モジュールであって、前記第２のメッセージは前記中継デバイスを発見するべく前記第１のリモートデバイスによって利用される、送信モジュールと、
前記第１のリモートデバイスに対する接続を確立するように構成されている処理モジュールと
を備え、
前記送信モジュールはさらに、第４のメッセージを送信するように構成されており、前記第４のメッセージは、前記第１のリモートデバイスと前記中継デバイスとの間のリンクの信号強度を測定するべく前記第１のリモートデバイスによって利用される
中継デバイス。
【請求項３５】
前記第４のメッセージは前記第１の中継デバイスの識別子を保持し、前記第１の中継デバイスの前記識別子は、前記第１の中継デバイスを識別するために利用される第１のコードワードまたは前記第１の中継デバイスの前記識別子のうち少なくとも１つを含む
請求項３４に記載の中継デバイス。
【請求項３６】
リモートデバイスであって、
中継デバイスがブロードキャストする第１のメッセージを受信するように構成されている受信モジュールであって、前記第１のメッセージは前記中継デバイスを発見するべく前記リモートデバイスによって利用される、受信モジュールと、
前記中継デバイスにおける第１の中継デバイスに対する接続を確立するように構成されている処理モジュールと
を備え、
前記受信モジュールはさらに、前記第１の中継デバイスが送信する第２のメッセージを受信するように構成されており、前記第２のメッセージは、前記リモートデバイスと前記第１の中継デバイスとの間のリンクの信号強度を測定するべく、前記リモートデバイスによって利用される
リモートデバイス。
【請求項３７】
前記第２のメッセージは前記第１のメッセージと同一であり、前記第１のメッセージおよび前記第２のメッセージはそれぞれ、前記第１の中継デバイスがアクセス上限に到達したか否かの指標を保持し、前記第１のメッセージおよび前記第２のメッセージは、前記第１の中継デバイスを発見するべく、および、前記リモートデバイスと前記第１の中継デバイスとの間の前記リンクの前記信号強度を測定するべく、前記リモートデバイスによって利用される
請求項３６に記載のリモートデバイス。
【請求項３８】
前記第１の中継デバイスが前記アクセス上限に到達したか否かの前記指標は具体的に、
前記第１の中継デバイスが前記アクセス上限に到達する場合に前記第１の中継デバイスが前記リモートデバイスに対する中継サービスを提供できないこと、または、
前記第１の中継デバイスが前記アクセス上限に到達していない場合に前記第１の中継デバイスが前記リモートデバイスに対する中継サービスを提供できること
を示すべく利用される
請求項３７に記載のリモートデバイス。
【請求項３９】
前記受信モジュールはさらに、前記リモートデバイスが前記第１の中継デバイスに対する前記接続を確立した後で前記第１の中継デバイスが前記リモートデバイスに対する中継サービスを提供できる場合、前記第１のメッセージまたは前記第２のメッセージを前記リモートデバイスによってモニタリングして受信するように構成されており、前記第１のメッセージおよび前記第２のメッセージはそれぞれ前記第１の中継デバイスの識別子を保持し、または、
前記受信モジュールはさらに、前記第１の中継デバイスが前記リモートデバイスに対する中継サービスを提供できる場合、前記第２のメッセージを前記リモートデバイスによってモニタリングして受信するように構成されており、前記第２のメッセージは前記第１のメッセージと同一であり、前記第１のメッセージまたは前記第２のメッセージは、前記第１の中継デバイスを発見するべく、および、前記リモートデバイスと前記第１の中継デバイスとの間の前記リンクの前記信号強度を測定するべく前記リモートデバイスによって利用され、もしくは、前記第１の中継デバイスが前記リモートデバイスに対する中継サービスを提供できない場合、前記第２のメッセージのモニタリングを停止して第３のメッセージのモニタリングを開始するように構成されており、前記第３のメッセージは前記第１の中継デバイスの識別子を保持し、または、
前記受信モジュールはさらに、前記第１の中継デバイスが前記リモートデバイスに対する中継サービスを提供できない場合、前記第２のメッセージのモニタリングを停止するように構成されており、前記第２のメッセージは前記第１の中継デバイスの識別子を保持する
請求項３６に記載のリモートデバイス。
【請求項４０】
前記第１の中継デバイスの前記識別子は、前記第１の中継デバイスが送信する前記第１のメッセージ、前記第２のメッセージまたは前記第３のメッセージを識別するべく前記第１のリモートデバイスによって利用され、
前記第１の中継デバイスの前記識別子は、前記第１の中継デバイスを識別するために利用される第１のコードワードまたは前記第１の中継デバイスの前記識別子のうち少なくとも１つを含む
請求項３９に記載のリモートデバイス。
【請求項４１】
リモートデバイスであって、
第１のメッセージを中継デバイスに送信するように構成されている送信モジュールであって、前記第１のメッセージは、中継サービスを提供するよう前記中継デバイスに要求するべく前記リモートデバイスによって利用される、送信モジュールと、
前記中継デバイスが送信する第２のメッセージを受信するように構成されている受信モジュールであって、前記第２のメッセージは、前記中継デバイスを発見するべく、前記リモートデバイスによって利用される、受信モジュールと、
前記中継デバイスにおける第１の中継デバイスに対する接続を確立するように構成されている処理モジュールと
を備え、
前記送信モジュールはさらに、第３のメッセージを前記第１の中継デバイスに送信するように構成されており、前記第３のメッセージは、測定サービスを提供するよう前記第１の中継デバイスに要求するべく前記リモートデバイスによって利用される
リモートデバイス。
【請求項４２】
前記送信モジュールが前記第３のメッセージを前記第１の中継デバイスに送信した後、前記第３のメッセージが前記第１の中継デバイスの識別子を保持する場合、前記処理モジュールはさらに、
前記第１の中継デバイスが送信する第４のメッセージを受信すると判断するように構成されており、前記第４のメッセージは、前記リモートデバイスと前記第１の中継デバイスとの間のリンクの信号強度を測定するべく前記リモートデバイスによって利用される
請求項４１に記載のリモートデバイス。
【請求項４３】
前記受信モジュールはさらに構成されており、
前記送信モジュールが前記第３のメッセージを前記第１の中継デバイスに送信した後、前記測定サービスを要求するべく前記第３のメッセージが前記識別子を保持する場合、前記受信モジュールはさらに、前記第１の中継デバイスが送信する第４のメッセージを受信するように構成されており、前記第４のメッセージは、前記リモートデバイスと前記第１の中継デバイスとの間のリンクの信号強度を測定するべく前記リモートデバイスによって利用される
請求項４１に記載のリモートデバイス。
【請求項４４】
前記第４のメッセージは前記第１の中継デバイスの前記識別子を保持し、前記第１の中継デバイスの前記識別子は、前記第１の中継デバイスを識別するために利用される第１のコードワードまたは前記第１の中継デバイスの前記識別子のうち少なくとも１つを含む
請求項４２または４３に記載のリモートデバイス。
【請求項４５】
リモートデバイスであって、
第１のメッセージを中継デバイスに送信するように構成されている送信モジュールであって、前記第１のメッセージは、中継サービスを提供するよう前記中継デバイスに要求するべく前記リモートデバイスによって利用される、送信モジュールと、
前記中継デバイスが送信する第２のメッセージを受信するように構成されている受信モジュールであって、前記第２のメッセージは前記中継デバイスを発見するべく前記リモートデバイスによって利用される、受信モジュールと、
前記中継デバイスにおける第１の中継デバイスに対する接続を確立するように構成されている処理モジュールと
を備え、
前記受信モジュールはさらに、前記第１の中継デバイスが送信する第４のメッセージを受信するように構成されており、前記第４のメッセージは、前記リモートデバイスと前記第１の中継デバイスとの間のリンクの信号強度を測定するべく前記リモートデバイスによって利用される
リモートデバイス。
【請求項４６】
前記第４のメッセージは前記第１の中継デバイスの識別子を保持し、前記第１の中継デバイスの前記識別子は、前記第１の中継デバイスを識別するために利用される第１のコードワードまたは前記第１の中継デバイスの前記識別子のうち少なくとも１つを含む
請求項４５に記載のリモートデバイス。
【請求項４７】
メモリと、プロセッサと、送信機とを備え、
前記メモリは、命令を格納するように構成されており、
前記プロセッサは、
前記送信機を利用して第１のメッセージをブロードキャストする処理であって、前記第１のメッセージは、前記中継デバイスを発見するべくリモートデバイスによって利用される、処理、
前記リモートデバイスにおける第１のリモートデバイスに対する接続を確立する処理、および、
前記送信機を利用して第２のメッセージを送信する処理であって、前記第２のメッセージは、前記リモートデバイスと前記中継デバイスとの間のリンクの信号強度を測定するべく、前記リモートデバイスによって利用される、処理
を実行するべく前記メモリから前記命令を読み出すように構成されている
中継デバイス。
【請求項４８】
前記第２のメッセージは前記第１のメッセージと同一であり、前記第１のメッセージおよび前記第２のメッセージはそれぞれ、前記中継デバイスがアクセス上限に到達したか否かの指標を保持し、前記第１のメッセージおよび前記第２のメッセージは、前記中継デバイスを発見するべく、および、前記リモートデバイスと前記中継デバイスとの間の前記リンクの前記信号強度を測定するべく、前記リモートデバイスによって利用される
請求項４７に記載の中継デバイス。
【請求項４９】
前記第１の中継デバイスが前記アクセス上限に到達したか否かの前記指標は具体的に、
前記中継デバイスが前記アクセス上限に到達する場合に前記中継デバイスが前記リモートデバイスに対する中継サービスを提供できないこと、または、
前記中継デバイスが前記アクセス上限に到達していない場合に前記中継デバイスが前記リモートデバイスに対する中継サービスを提供できること
を示すべく利用される
請求項４８に記載の中継デバイス。
【請求項５０】
前記プロセッサは、
前記第１のリモートデバイスに対する前記接続を確立した後で前記中継デバイスが前記リモートデバイスに対する中継サービスを提供できる場合、前記第１のメッセージを送信するときに前記第２のメッセージを前記送信機を利用して送信するように構成されており、前記第２のメッセージは前記中継デバイスの識別子を保持し、または、
前記第１のリモートデバイスに対する前記接続を確立した後で前記中継デバイスが前記リモートデバイスに対する中継サービスを提供できる場合、前記第２のメッセージを前記送信機を利用して送信するように構成されており、前記第２のメッセージは前記第１のメッセージと同一であり、前記第１のメッセージおよび前記第２のメッセージは、前記中継デバイスを発見するべく、および、前記リモートデバイスと前記中継デバイスとの間の前記リンクの前記信号強度を測定するべく、前記リモートデバイスによって利用され、もしくは、前記中継デバイスが前記リモートデバイスに対する中継サービスを提供できない場合、前記送信機を利用した前記第２のメッセージの送信を停止して前記送信機を利用した第３のメッセージの送信を開始するように構成されており、前記第３のメッセージは前記中継デバイスの識別子を保持し、または、
前記第１のリモートデバイスに対する前記接続を確立した後で前記中継デバイスが前記リモートデバイスに対する中継サービスを提供できない場合、前記送信機を利用した前記第１のメッセージの送信を停止して前記第２のメッセージの送信を開始するように構成されており、前記第２のメッセージは前記第１の中継デバイスの識別子を保持する
請求項４７に記載の中継デバイス。
【請求項５１】
前記第１の中継デバイスの前記識別子は、前記中継デバイスが送信する前記第１のメッセージ、前記第２のメッセージまたは前記第３のメッセージを識別するべく前記第１のリモートデバイスによって利用され、
前記第１の中継デバイスの前記識別子は、前記中継デバイスを識別するために利用される第１のコードワードまたは前記中継デバイスの前記識別子のうち少なくとも１つを含む
請求項５０に記載の中継デバイス。
【請求項５２】
前記プロセッサは、
前記送信機を利用して前記第２のメッセージをブロードキャストするように、または、
前記送信機を利用してユニキャスト方式またはマルチキャスト方式で前記リモートデバイスに前記第２のメッセージを送信するように
構成されている
請求項４７から５１のいずれか一項に記載の中継デバイス。
【請求項５３】
メモリと、受信機と、プロセッサと、送信機とを備える中継デバイスであって、
前記メモリは、命令を格納するように構成されており、
前記プロセッサは、
第１のリモートデバイスが送信する第１のメッセージを前記受信機を利用して受信する処理であって、前記第１のメッセージは、中継サービスを提供するよう前記中継デバイスに要求するべく前記第１のリモートデバイスによって利用される、処理と、
第２のメッセージを前記送信機を利用して送信する処理であって、前記第２のメッセージは、前記中継デバイスを発見するべく前記第１のリモートデバイスによって利用される、処理と、
前記第１のリモートデバイスに対する接続を確立する処理と、
前記第１のリモートデバイスが送信する第３のメッセージを前記受信機を利用して受信する処理であって、前記第３のメッセージは、測定サービスを提供するよう前記中継デバイスに要求するべく、前記第１のリモートデバイスによって利用される、処理と
を実行するべく前記メモリから前記実行を読み出すように構成されている
中継デバイス。
【請求項５４】
前記第１のリモートデバイスが送信した前記第３のメッセージを前記受信機が受信した後、前記受信機が受信した前記第３のメッセージが前記中継デバイスの識別子を保持する場合、前記プロセッサはさらに、前記送信機は第４のメッセージを前記第１のリモートデバイスに送信すると判断するように構成されており、前記第４のメッセージは、前記第１のリモートデバイスと前記中継デバイスとの間のリンクの信号強度を測定するべく前記第１のリモートデバイスによって利用される
請求項５３に記載の中継デバイス。
【請求項５５】
前記第１のリモートデバイスが送信した前記第３のメッセージを前記受信機が受信した後、前記第３のメッセージが前記測定サービスを提供するよう要求するための前記識別子を保持する場合、前記プロセッサはさらに、前記第３のメッセージは前記第１のリモートデバイスによって送信されたと判断して、前記送信機を利用して前記第１のリモートデバイスに第４のメッセージを送信するように構成されており、前記第４のメッセージは、前記第１のリモートデバイスと前記中継デバイスとの間のリンクの信号強度を測定するべく前記第１のリモートデバイスによって利用される
請求項５３に記載の中継デバイス。
【請求項５６】
前記第４のメッセージは前記第１の中継デバイスの前記識別子を保持し、前記第１の中継デバイスの前記識別子は、前記第１の中継デバイスを識別するために利用される第１のコードワードまたは前記第１の中継デバイスの前記識別子のうち少なくとも１つを含む
請求項５４または５５に記載の中継デバイス。
【請求項５７】
メモリと、受信機と、プロセッサと、送信機とを備える中継デバイスであって、
前記メモリは、命令を格納するように構成されており、
前記プロセッサは、
第１のリモートデバイスが送信する第１のメッセージを前記受信機を利用して受信する処理であって、前記第１のメッセージは、中継サービスを提供するよう前記中継デバイスに要求するべく、前記第１のリモートデバイスによって利用される、処理と、
前記送信機を利用して第２のメッセージを送信する処理であって、前記第２のメッセージは、前記中継デバイスを発見するべく前記第１のリモートデバイスによって利用される、処理と、
前記第１のリモートデバイスに対する接続を確立する処理と、
前記送信機を利用して第４のメッセージを送信する処理であって、前記第４のメッセージは前記第１のリモートデバイスと前記中継デバイスとの間のリンクの信号強度を測定するべく、前記第１のリモートデバイスによって利用される、処理と
を実行するべく前記メモリから前記命令を読み出すように構成されている
中継デバイス。
【請求項５８】
前記第４のメッセージは前記中継デバイスの識別子を保持し、前記中継デバイスの前記識別子は、前記中継デバイスを識別するために利用される第１のコードワードまたは前記中継デバイスの前記識別子のうち少なくとも１つを含む
請求項５７に記載の中継デバイス。
【請求項５９】
メモリと、受信機と、プロセッサとを備えるリモートデバイスであって、
前記メモリは、命令を格納するように構成されており、
前記プロセッサは、
中継デバイスがブロードキャストする第１のメッセージを、前記受信機を利用して受信する処理であって、前記第１のメッセージは、前記中継デバイスを発見するべく、前記リモートデバイスによって利用される、処理と、
前記中継デバイスにおける第１の中継デバイスに対する接続を確立する処理と、
前記第１の中継デバイスが送信する第２のメッセージを、前記受信機を利用して受信する処理であって、前記第２のメッセージは前記リモートデバイスと前記第１の中継デバイスとの間のリンクの信号強度を測定するべく、前記リモートデバイスによって利用される、処理と
を実行するべく前記メモリから前記実行を読み出すように構成されている
リモートデバイス。
【請求項６０】
前記第２のメッセージは前記第１のメッセージと同一であり、前記第１のメッセージおよび前記第２のメッセージはそれぞれ、前記第１の中継デバイスがアクセス上限に到達したか否かの指標を保持し、前記第１のメッセージおよび前記第２のメッセージは、前記第１の中継デバイスを発見するべく、および、前記リモートデバイスと前記第１の中継デバイスとの間の前記リンクの前記信号強度を測定するべく、前記リモートデバイスによって利用される
請求項５９に記載のリモートデバイス。
【請求項６１】
前記第１の中継デバイスが前記アクセス上限に到達したか否かの前記指標は具体的に、
前記第１の中継デバイスが前記アクセス上限に到達する場合に前記第１の中継デバイスが前記リモートデバイスに対する中継サービスを提供できないこと、または、
前記第１の中継デバイスが前記アクセス上限に到達していない場合に前記第１の中継デバイスが前記リモートデバイスに対する中継サービスを提供できること
を示すべく利用される
請求項６０に記載のリモートデバイス。
【請求項６２】
前記プロセッサが前記第１の中継デバイスに対する前記接続を確立した後で前記第１の中継デバイスが前記リモートデバイスに対する中継サービスを提供できる場合、前記プロセッサはさらに、前記受信機を利用して前記第１のメッセージまたは前記第２のメッセージをモニタリングして受信するように構成されており、前記第１のメッセージおよび前記第２のメッセージはそれぞれ、前記第１の中継デバイスの識別子を保持し、または、
前記プロセッサが前記第１の中継デバイスに対する前記接続を確立した後で前記第１の中継デバイスは前記リモートデバイスに対する中継サービスを提供できる場合、前記プロセッサはさらに、前記受信機を利用して前記第２のメッセージをモニタリングして受信するように構成されており、前記第２のメッセージは前記第１のメッセージと同一であり、前記第１のメッセージおよび前記第２のメッセージは、前記第１の中継デバイスを発見するべく、および、前記第１のリモートデバイスと前記第１の中継デバイスとの間の前記リンクの前記信号強度を測定するべく、前記第１のリモートデバイスによって利用され、もしくは、前記第１の中継デバイスが前記リモートデバイスに対する中継サービスを提供できない場合、前記第２のメッセージのモニタリングを停止して第３のメッセージのモニタリングを開始するように構成されており、前記第３のメッセージは前記第１の中継デバイスの識別子を保持し、または、
前記プロセッサが前記第１の中継デバイスに対する前記接続を確立した後で前記第１の中継デバイスが前記リモートデバイスに対する中継サービスを提供できない場合、前記プロセッサはさらに、前記受信機を利用して前記第２のメッセージをモニタリングするように構成されており、前記第２のメッセージは前記第１の中継デバイスの識別子を保持する
請求項５９に記載のリモートデバイス。
【請求項６３】
前記第１の中継デバイスの前記識別子は、前記第１の中継デバイスが送信する前記第１のメッセージ、前記第２のメッセージまたは前記第３のメッセージを識別するべく前記第１のリモートデバイスによって利用され、
前記第１の中継デバイスの前記識別子は、前記第１の中継デバイスを識別するために利用される第１のコードワードまたは前記第１の中継デバイスの前記識別子のうち少なくとも１つを含む
請求項６２に記載のリモートデバイス。
【請求項６４】
メモリと、プロセッサと、受信機と、送信機とを備えるリモートデバイスであって、
前記メモリは、命令を格納するように構成されており、
前記プロセッサは、
中継デバイスに第１のメッセージを前記送信機を利用して送信する処理であって、前記第１のメッセージは、中継サービスを提供するよう前記中継デバイスに要求するべく前記リモートデバイスによって利用される、処理と、
前記中継デバイスが送信する第２のメッセージを前記受信機を利用して受信する処理であって、前記第２のメッセージは、前記中継デバイスを発見するべく前記リモートデバイスによって利用される、処理と、
前記中継デバイスにおける第１の中継デバイスに対する接続を確立する処理と、
前記第１の中継デバイスに第３のメッセージを前記送信機を利用して送信する処理であって、前記第３のメッセージは、測定サービスを提供するように前記第１の中継デバイスに要求するべく、前記リモートデバイスによって利用される、処理と
を実行するべく前記メモリから前記命令を読み出すように構成されている
リモートデバイス。
【請求項６５】
前記プロセッサはさらに、
前記プロセッサが前記第１の中継デバイスに前記第３のメッセージを前記送信機を利用して送信した後、前記受信機が受信した前記第３のメッセージが前記第１の中継デバイスの識別子を保持する場合、前記プロセッサはさらに、前記第１の中継デバイスが送信した第４のメッセージを受信すると判断するように構成されており、前記第４のメッセージは、前記リモートデバイスと前記第１の中継デバイスとの間のリンクの信号強度を測定するべく、前記リモートデバイスによって利用される
請求項６４に記載のリモートデバイス。
【請求項６６】
前記プロセッサが、前記送信機を利用して前記第１の中継デバイスに前記第３のメッセージを送信した後、前記第３のメッセージが前記測定サービスを要求するための前記識別子を保持する場合、前記プロセッサはさらに、前記第１の中継デバイスが送信した第４のメッセージを前記受信機を利用して受信するように構成されており、前記第４のメッセージは、前記リモートデバイスと前記第１の中継デバイスとの間のリンクの信号強度を測定するべく、前記リモートデバイスによって利用される
請求項６４に記載のリモートデバイス。
【請求項６７】
前記第４のメッセージは前記第１の中継デバイスの前記識別子を保持し、前記第１の中継デバイスの前記識別子は、前記第１の中継デバイスを識別するために利用される第１のコードワードまたは前記第１の中継デバイスの前記識別子のうち少なくとも１つを含む
請求項６５または６６に記載のリモートデバイス。
【請求項６８】
メモリと、プロセッサと、受信機と、送信機とを備えるリモートデバイスであって、
前記メモリは、命令を格納するように構成されており、
前記プロセッサは、
中継デバイスに第１のメッセージを前記送信機を利用して送信する処理であって、前記第１のメッセージは、中継サービスを提供するよう前記中継デバイスに要求するべく、前記リモートデバイスによって利用される、処理と、
前記中継デバイスが送信する第２のメッセージを前記受信機を利用して受信する処理であって、前記第２のメッセージは、前記中継デバイスを発見するべく前記リモートデバイスによって利用される、処理と、
前記中継デバイスにおける第１の中継デバイスに対する接続を確立する処理と、
前記第１の中継デバイスが送信する第４のメッセージを、前記受信機を利用して受信する処理であって、前記第４のメッセージは、前記リモートデバイスと前記第１の中継デバイスとの間のリンクの信号強度を測定するべく、前記リモートデバイスによって利用される、処理と
を実行するべく前記メモリから前記命令を読み出すように構成されている
リモートデバイス。
【請求項６９】
前記第４のメッセージは前記第１の中継デバイスの識別子を保持し、前記第１の中継デバイスの前記識別子は、前記第１の中継デバイスを識別するために利用される第１のコードワードまたは前記第１の中継デバイスの前記識別子のうち少なくとも１つを含む
請求項６８に記載のリモートデバイス。
【請求項７０】
中継デバイスとリモートデバイスとを備える通信システムであって、
前記中継デバイスは、第１のメッセージをブロードキャストするように構成されており、前記第１のメッセージは前記中継デバイスを発見するべく前記リモートデバイスによって利用され、前記中継デバイスにおける第１の中継デバイスは前記リモートデバイスにおける第１のリモートデバイスに対する接続を確立し、前記第１の中継デバイスは前記接続を確立した後で第２のメッセージを送信し、前記第２のメッセージは、前記第１のリモートデバイスと前記第１の中継デバイスとの間のリンクの信号強度を測定するべく前記第１のリモートデバイスによって利用され、
前記リモートデバイスは、前記中継デバイスがブロードキャストする前記第１のメッセージを受信するように構成されており、前記リモートデバイスにおける前記第１のリモートデバイスは、前記中継デバイスにおける前記第１の中継デバイスに対する接続を確立し、前記接続を確立した後で、前記第１のリモートデバイスは、前記第１の中継デバイスが送信する前記第２のメッセージを受信する
通信システム。
【請求項７１】
中継デバイスとリモートデバイスとを備える通信システムであって、
前記中継デバイスは、前記リモートデバイスが送信した第１のメッセージを受信するように構成されており、前記第１のメッセージは、中継サービスを提供するよう前記中継デバイスに要求するべく前記リモートデバイスによって利用され、第２のメッセージを送信するように構成されており、前記第２のメッセージは、前記中継デバイスを発見するべく前記リモートデバイスによって利用され、前記中継デバイスにおける第１の中継デバイスは前記リモートデバイスにおける第１のリモートデバイスに対する接続を確立し、前記接続を確立した後で前記第１の中継デバイスは、前記第１のリモートデバイスが送信した第３のメッセージを受信し、前記第３のメッセージは、測定サービスを提供するよう前記第１の中継デバイスに要求するべく前記第１のリモートデバイスによって利用され、
前記リモートデバイスは、前記中継デバイスに前記第１のメッセージを送信するように構成されており、前記中継デバイスが送信した前記第２のメッセージを受信するように構成されており、前記リモートデバイスにおける前記第１のリモートデバイスは、前記中継デバイスにおける前記第１の中継デバイスに対する接続を確立し、前記接続を確立した後で前記第１のリモートデバイスは前記第３のメッセージを前記第１の中継デバイスに送信し、前記第３のメッセージは、前記測定サービスを提供するよう前記第１の中継デバイスに要求するべく前記第１のリモートデバイスによって利用される
通信システム。
【請求項７２】
中継デバイスとリモートデバイスとを備える通信システムであって、
前記中継デバイスは、前記リモートデバイスにおける第１のリモートデバイスが送信した第１のメッセージを受信するように構成されており、前記第１のメッセージは、中継サービスを提供するよう前記中継デバイスに要求するべく前記第１のリモートデバイスによって利用され、前記中継デバイスは第２のメッセージを送信し、前記第２のメッセージは前記中継デバイスを発見するべく前記第１のリモートデバイスによって利用され、前記中継デバイスにおける第１の中継デバイスは前記第１のリモートデバイスに対する接続を確立し、前記第１の中継デバイスは前記接続を確立した後で第４のメッセージを送信し、前記第４のメッセージは、前記第１のリモートデバイスと前記第１の中継デバイスとの間のリンクの信号強度を測定するべく、前記第１のリモートデバイスによって利用され、
前記リモートデバイスは、前記中継デバイスに前記第１のメッセージを送信するように構成されており、前記中継デバイスが送信した前記第２のメッセージを受信するように構成されており、前記リモートデバイスにおける前記第１のリモートデバイスは、前記中継デバイスにおける前記第１の中継デバイスに対する接続を確立し、前記接続を確立した後で前記第１のリモートデバイスは前記第１の中継デバイスが送信した前記第４のメッセージを受信し、前記第４のメッセージは、前記第１のリモートデバイスと前記第１の中継デバイスとの間の前記リンクの前記信号強度を測定するべく、前記第１のリモートデバイスによって利用される
通信システム。
【発明の詳細な説明】
【技術分野】
【０００１】
本発明は、モバイル通信技術の分野に関し、特に、信号強度を測定する方法およびデバイスに関する。
【背景技術】
【０００２】
エボルブド・ユニバーサル・モバイル・テレコミュニケーションズ・システム・テレストリアル・ラジオ・アクセス・ネットワーク（Ｅｖｏｌｖｅｄ  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ  Ｔｅｒｒｅｓｔｒｉａｌ  Ｒａｄｉｏ  Ａｃｃｅｓｓ  Ｎｅｔｗｏｒｋ、Ｅ−ＵＴＲＡＮ）が直接提供するネットワークサービスを取得しないユーザ機器（Ｕｓｅｒ  Ｅｑｕｉｐｍｅｎｔ、ＵＥ）は、中継サービスを提供するＵＥを発見して接続するべくデバイスツーデバイス（ｄｅｖｉｃｅ−ｔｏ−ｄｅｖｉｃｅ、Ｄ２Ｄ）技術を利用するとしてよい。中継サービスを提供するＵＥは、近接ベースサービスユーザ機器−ネットワーク間中継機（ＰｒｏＳｅ  ＵＥ−ｔｏ−ＮＷ  Ｒｅｌａｙ）とも呼ばれる。このように、Ｅ−ＵＴＲＡＮが直接サービスを提供しないＵＥは、中継方式で、Ｅ−ＵＴＲＡＮが提供するネットワークサービスを取得するとしてよい。このような中継サービスを受け入れるＵＥは、リモートユーザ機器（Ｒｅｍｏｔｅ  ＵＥ）とも呼ばれる。
【０００３】
図１を参照すると、図１は、Ｅ−ＵＴＲＡＮが提供するネットワークサービスを中継デバイスを用いてリモートデバイスが受信している、概略図である。図１からは、リモートデバイスは中継デバイスに対する接続を確立し、中継デバイスは基地局（例えば、ｅＮｏｄｅＢ）にＵｕインターフェースを用いて接続されており、基地局はエボルブドパケットコア（Ｅｖｏｌｖｅｄ  Ｐａｃｋｅｔ  Ｃｏｒｅ、ＥＰＣ）に接続されており、ＥＰＣはＳＧｉインターフェースを利用して公共安全アプリケーションサーバ（Ｐｕｂｌｉｃ Ｓａｆｅｔｙ  ＡＳ）に接続されているということがわかる。リモートデバイスが中継デバイスに対する接続を確立した後、リモートデバイスと中継デバイスとの間のリンクはＰＣ５リンクと呼ばれるとしてよい。リモートデバイスは、ＰＣ５リンクの信号強度を測定する必要がある。
【０００４】
現在のＤ２Ｄ技術では、Ｒｅｍｏｔｅ  ＵＥがＰｒｏＳｅ  ＵＥ−ｔｏ−ＮＷ  Ｒｅｌａｙ にアクセスするモデルが２つ定義されており、例えば、それぞれモデル（Ｍｏｄｅｌ）ＡおよびモデルＢと呼ばれ、以下のように別個に説明する。
【０００５】
モデルＡ
【０００６】
発見プロセスを実行するべく、２つの役割を持つＵＥが定義される。
【０００７】
第１の役割に関して、この役割のＵＥは、アナウンス側（Ａｎｎｏｕｎｃｉｎｇ）ＵＥと呼ばれるとしてよく、特定のメッセージをブロードキャストするように構成されている。アナウンス側ＵＥがブロードキャストしたメッセージに関心を持つＵＥは、アナウンス側ＵＥを発見するとしてよい。中継モデルでは、ＰｒｏＳｅ  ＵＥ−ｔｏ−ＮＷ  Ｒｅｌａｙ がアナウンス側ＵＥの役割を果たすとしてよい。
【０００８】
第２の役割に関して、この役割のＵＥは、モニタリング（Ｍｏｎｉｔｏｒｉｎｇ）ＵＥと呼ばれるとしてよく、近接しているアナウンス側ＵＥがブロードキャストする特定のメッセージをモニタリングするように構成されている。中継モデルでは、Ｒｅｍｏｔｅ  ＵＥがモニタリングＵＥの役割を果たすとしてよい。
【０００９】
モデルＡでは、全てのＰｒｏＳｅ  ＵＥ−ｔｏ−Ｎｅｔｗｏｒｋ  ｒｅｌａｙが継続的にアナウンスメッセージ（Ａｎｎｏｕｎｃｅｍｅｎｔ  ｍｅｓｓａｇｅ）をブロードキャストするとしてよく、ＰｒｏＳｅ  ＵＥ−ｔｏ−Ｎｅｔｗｏｒｋ  ｒｅｌａｙが提供できるサービスは、Ａｎｎｏｕｎｃｅｍｅｎｔ  ｍｅｓｓａｇｅに示されているとしてよい。それぞれのＲｅｍｏｔｅ  ＵＥは、受信したＡｎｎｏｕｎｃｅｍｅｎｔ  ｍｅｓｓａｇｅに従ってアクセスするべく、条件を満たす（例えば、Ｒｅｍｏｔｅ  ＵＥが必要とするサービスを提供できる）ＰｒｏＳｅ  ＵＥ−ｔｏ−Ｎｅｔｗｏｒｋ  ｒｅｌａｙを選択するとしてよい。
【００１０】
先行技術では、ＰｒｏＳｅ  ＵＥ−ｔｏ−Ｎｅｔｗｏｒｋ  ｒｅｌａｙがＲｅｍｏｔｅ  ＵＥに対する接続を確立した後、ＰｒｏＳｅ  ＵＥ−ｔｏ−Ｎｅｔｗｏｒｋ  ｒｅｌａｙが中継サービスの提供を継続できない場合、ＰｒｏＳｅ  ＵＥ−ｔｏ−Ｎｅｔｗｏｒｋ  ｒｅｌａｙはＡｎｎｏｕｎｃｅｍｅｎｔ  ｍｅｓｓａｇｅをブロードキャストしなくなるとしてよい。このため、Ｒｅｍｏｔｅ  ＵＥは、Ｒｅｍｏｔｅ  ＵＥと、接続されたＰｒｏＳｅ  ＵＥ−ｔｏ−Ｎｅｔｗｏｒｋ  ｒｅｌａｙとの間のリンクの信号強度を測定できない。
【００１１】
モデルＢ
【００１２】
発見プロセスを実行するべく、２つの役割を持つＵＥがさらに定義される。
【００１３】
第１の役割に関して、この役割のＵＥは、発見側（Ｄｉｓｃｏｖｅｒｅｒ）ＵＥと呼ばれるとしてよく、要求メッセージを送信するように構成されている。要求メッセージは、発見側ＵＥが関心を持つ内容を含むとしてよい。例えば、このような内容は、：発見側ＵＥが必要とするサービスであってよい。中継モデルにおいて、Ｒｅｍｏｔｅ  ＵＥは発見側ＵＥの役割を果たすとしてよい。
【００１４】
第２の役割に関して、この役割は被発見側（Ｄｉｓｃｏｖｅｒｅｅ）ＵＥと呼ばれるとしてよく、近接している発見側ＵＥが送信する要求メッセージをモニタリングするように構成されており、１または複数の発見側ＵＥの要求メッセージの要求が満たされると特定のＲｅｓｐｏｎｓｅ  ｍｅｓｓａｇｅで応答するとしてよい。中継モデルでは、ＰｒｏＳｅ  ＵＥ−ｔｏ−Ｎｅｔｗｏｒｋ  ｒｅｌａｙが被発見側ＵＥの役割を果たすとしてよい。
【００１５】
モデルＢにおいて、Ｒｅｍｏｔｅ  ＵＥは最初に、請求要求（Ｓｏｌｉｃｉｔａｔｉｏｎ  ｒｅｑｕｅｓｔ）メッセージを送信し、Ｒｅｍｏｔｅ  ＵＥが必要とするサービスはＳｏｌｉｃｉｔａｔｉｏｎ  ｒｅｑｕｅｓｔに示されているとしてよい。このため、Ｒｅｍｏｔｅ  ＵＥが要求する条件を満たす（例えば、Ｓｏｌｉｃｉｔａｔｉｏｎ  ｒｅｑｕｅｓｔに示されているサービスを提供できる）ＰｒｏＳｅ  ＵＥ−ｔｏ−Ｎｅｔｗｏｒｋ  ｒｅｌａｙは、応答メッセージ（Ｒｅｓｐｏｎｓｅ  ｍｅｓｓａｇｅ）で応答するとしてよく、Ｒｅｍｏｔｅ  ＵＥは、受信したＲｅｓｐｏｎｓｅ  ｍｅｓｓａｇｅに応じて、ＰｒｏＳｅ  ＵＥ−ｔｏ−Ｎｅｔｗｏｒｋ  ｒｅｌａｙからのアクセスのためのＰｒｏＳｅ  ＵＥ−ｔｏ−Ｎｅｔｗｏｒｋ  ｒｅｌａｙを選択する。
【００１６】
先行技術では、ＰｒｏＳｅ  ＵＥ−ｔｏ−Ｎｅｔｗｏｒｋ  ｒｅｌａｙがＲｅｍｏｔｅ  ＵＥに対する接続を確立した後にＲｅｍｏｔｅ  ＵＥの接続要求情報がなければ、ＰｒｏＳｅ  ＵＥ−ｔｏ−Ｎｅｔｗｏｒｋ  ｒｅｌａｙはＲｅｓｐｏｎｓｅ  ｍｅｓｓａｇｅを送信しなくなる。
【００１７】
モデルＡおよびモデルＢには以下に記載するような問題がある。
【００１８】
モデルＡまたはモデルＢのいずれにしろ、ＰｒｏＳｅ  ＵＥ−ｔｏ−Ｎｅｔｗｏｒｋ  ｒｅｌａｙが、Ｒｅｍｏｔｅ  ＵＥに対する接続を確立した後、Ｒｅｍｏｔｅ  ＵＥにメッセージ（モデルＡではＡｎｎｏｕｎｃｅｍｅｎｔ  ｍｅｓｓａｇｅ、または、モデルＢではＲｅｓｐｏｎｓｅ  ｍｅｓｓａｇｅ）を継続的に送信することが保証され得ない。このため、ＰｒｏＳｅ  ＵＥ−ｔｏ−Ｎｅｔｗｏｒｋ  ｒｅｌａｙがＲｅｍｏｔｅ  ＵＥに対する接続を確立した後、Ｒｅｍｏｔｅ  ＵＥはさらにＰＣ５リンクの信号強度を測定することができない。現在のＰＣ５リンクの信号強度が比較的弱いとしても、Ｒｅｍｏｔｅ  ＵＥは現在のＰＣ５リンクの信号強度が比較的弱いことを知ることもできず、アクセスのために別のＰｒｏＳｅ  ＵＥ−ｔｏ−Ｎｅｔｗｏｒｋ  ｒｅｌａｙを再選択することもできない。この結果、Ｒｅｍｏｔｅ  ＵＥが受け入れるネットワークの品質が比較的低く、Ｒｅｍｏｔｅ  ＵＥによるネットワークの利用に影響が出る。比較的強い信号強度を提供できるＰｒｏＳｅ  ＵＥ−ｔｏ−Ｎｅｔｗｏｒｋ  ｒｅｌａｙが存在しているとしても、Ｒｅｍｏｔｅ  ＵＥはアクセスを実行することができない。さらに、リンク利用率が比較的低く、ネットワークプランニングが全体的に不適切になり、システム信頼性が比較的低くなってしまう。
【発明の概要】
【００１９】
本願は、Ｒｅｍｏｔｅ  ＵＥとＰｒｏＳｅ  ＵＥ−ｔｏ−ＮＷ  Ｒｅｌａｙとの間のリンクの信号強度をＲｅｍｏｔｅ  ＵＥが確実に測定できるようにするための信号強度を測定する方法およびデバイスを提供する。
【００２０】
第１の態様によれば、第１の信号強度を測定する方法が提供され、
第１のメッセージを第１の中継デバイスによってブロードキャストする段階であって、第１のメッセージは第１の中継デバイスを発見するべくリモートデバイスによって利用される、段階と、
リモートデバイス内の第１のリモートデバイスに対する接続を第１の中継デバイスによって確立する段階と、
第２のメッセージを第１の中継デバイスによって送信する段階であって、第２のメッセージはリモートデバイスと第１の中継デバイスとの間のリンクの信号強度を測定するべくリモートデバイスによって利用される、段階と
を備える。
【００２１】
本願では、中継デバイスは、リモートデバイスに対する接続を確立した後で第２のメッセージをさらに送信するので、リモートデバイスは、第２のメッセージを受信した後でリモートデバイスと中継デバイスとの間のリンクの信号強度を測定するとしてよい。つまり、リモートデバイスが中継デバイスに対する接続を確立した後、中継デバイスはさらに第２のメッセージを続けて送信するとしてよいので、リモートデバイスはリモートデバイスと中継デバイスとの間の信号強度を続けて測定するとしてよく、これによって、中継デバイスを再選択する必要があるか否かを判断するための基準として信号強度を利用する。このため、リモートデバイスは確実に高いサービス品質を得ることができ、比較的高い品質のリンクの利用率が改善され、システム信頼性が改善される。
【００２２】
第１の態様に関し、第１の態様の第１の可能な実施例において、
第２のメッセージは第１のメッセージと同一であり、第１のメッセージおよび第２のメッセージはそれぞれ、第１の中継デバイスがアクセス上限に到達したか否かの指標を保持し、第１のメッセージおよび第２のメッセージは、第１の中継デバイスを発見するべく、および、リモートデバイスと第１の中継デバイスとの間のリンクの信号強度を測定するべく、リモートデバイスによって利用される。
【００２３】
第１の態様の第１の可能な実施例に関し、第１の態様の第２の可能な実施例において、
第１の中継デバイスがアクセス上限に到達したか否かの指標は具体的に、
第１の中継デバイスがアクセス上限に到達している場合に第１の中継デバイスがリモートデバイスに対する中継サービスを提供できないこと、または、
第１の中継デバイスがアクセス上限に到達していない場合に第１の中継デバイスがリモートデバイスに対する中継サービスを提供できること
を示すべく利用される。
【００２４】
つまり、本願では、指標が第１のメッセージおよび第２のメッセージに追加されるとしてよい。第１の中継デバイスが別のリモートデバイスのための中継サービスをさらに提供する場合、第１の中継デバイスが送信する第１のメッセージおよび／または第２のメッセージに含まれる第１の指標は、第１の中継デバイスが中継サービスを提供できる旨を示すために利用されるとしてよい。第１の中継デバイスが別のリモートデバイスに対する中継サービスを提供できなくなった後、第１の中継デバイスが送信する第１のメッセージおよび／または第２のメッセージに含まれる第１の指標は、第１の中継デバイスがリモートデバイスに対する中継サービスを提供できない旨を示すために利用されるとしてよい。このため、第１の中継デバイスが第１のメッセージまたは第２のメッセージをブロードキャストする場合、第１のメッセージを受信した後、第１の中継デバイスにアクセスしていないリモートデバイスは、第１の指標にしたがって、第１の中継デバイスがさらにアクセスできるか否かを知るとしてよく、これによって、リモートデバイスは不要な処理をせずに済み、デバイス消費電力が減少し、情報をやり取りするプロセスが減少し、送信リソースの節約となる。
【００２５】
第１の態様に関し、第１の態様の第３の可能な実施例において、
第１のリモートデバイスに対する接続を第１の中継デバイスによって確立する段階の後、方法はさらに、
第１の中継デバイスがリモートデバイスに対する中継サービスを提供できる場合、第１のメッセージを送信するときに、第２のメッセージを第１の中継デバイスによって送信する段階であって、第２のメッセージは第１の中継デバイスの識別子を保持する、段階、または、
第１の中継デバイスがリモートデバイスに対する中継サービスを提供できる場合、第２のメッセージを第１の中継デバイスによって送信する段階であって、第２のメッセージは第１のメッセージと同一であり、第１のメッセージまたは第２のメッセージは第１の中継デバイスを発見するべく、および、リモートデバイスと第１の中継デバイスとの間のリンクの信号強度を測定するべくリモートデバイスによって利用される、段階、もしくは、第１の中継デバイスがリモートデバイスに対する中継サービスを提供できない場合、第１の中継デバイスによって、第２のメッセージの送信を停止して、第３のメッセージの送信を開始する段階であって、第３のメッセージは第１の中継デバイスの識別子を保持する、段階、または、
第１の中継デバイスがリモートデバイスに対する中継サービスを提供できない場合、第１の中継デバイスによって、第１のメッセージの送信を停止して、第２のメッセージの送信を開始する段階であって、第２のメッセージは第１の中継デバイスの識別子を保持する、段階
を備える。
【００２６】
つまり、リモートデバイスに対する接続を確立する前に、第１の中継デバイスは第１のメッセージをブロードキャストする。リモートデバイスに対する接続が確立された後、２つのメッセージ送信方式が存在する。
方式１：
アクセス上限に到達する前は、第１の中継デバイスは第１のメッセージをブロードキャストし続け、同時に第２のメッセージを送信し、アクセス上限に到達した後、第１の中継デバイスは第１のメッセージのブロードキャストを停止して第２のメッセージのみを送信するとしてよい。
この方式では、中継デバイスは第１のメッセージおよび第２のメッセージを同時にブロードキャストするとしてよい。このように、第１の中継デバイスにアクセスしていないリモートデバイスが、第１のメッセージにしたがって、中継デバイスにアクセスすることを選択するとしてよく、第１の中継デバイスにアクセスしたリモートデバイスは第１のメッセージまたは第２のメッセージにしたがって信号強度を測定するとしてよい。このため、異なるリモートデバイスという要求が満たされ得る。
方式２：第１のリモートデバイスに対する接続を確立した後、第１の中継デバイスは第１のメッセージの送信を停止する。アクセス上限に到達する前、第１の中継デバイスは第２のメッセージを送信し、アクセス上限に到達した後、中継デバイスは第２のメッセージの送信を停止して第３のメッセージの送信を開始するとしてよい。この方式では、第１のリモートデバイスに対する接続を確立した後、第１の中継デバイスは最初に第２のメッセージを送信して、その後、アクセス上限に到達した後で第３のメッセージを送信するとしてよい。このように、第１の中継デバイスが一度に送信する必要があるのは一種類のメッセージのみなので、中継デバイスに対する負荷は比較的軽い。
【００２７】
第１の態様の第３の可能な実施例に関し、第１の態様の第４の可能な実施例において、第１の中継デバイスの識別子は、第１の中継デバイスが送信する第１のメッセージ、第２のメッセージまたは第３のメッセージを識別するべく第１のリモートデバイスによって利用され、
第１の中継デバイスの識別子は、第１の中継デバイスを識別するために利用される第１のコードワードまたは第１の中継デバイスの識別子のうち少なくとも１つを含む。
【００２８】
第１の中継デバイスの識別子を第２のメッセージおよび第３のメッセージに追加する。このように、第１の中継デバイスにアクセスしたリモートデバイスは、受信したメッセージから、第１の中継デバイスが送信したメッセージを識別するとしてよく、これによって、第１の中継デバイスが送信するメッセージにしたがって信号を測定する。別の中継デバイスが送信するメッセージは第１の中継デバイスの識別子を保持していないので、第１の中継デバイスにアクセスしたリモートデバイスは、メッセージを無視するとしてよく、これによって、第１の中継デバイスにアクセスしたリモートデバイスが必要とする動作負荷が減少し、リモートデバイスに対する負荷が低減される。
【００２９】
第１の態様、または、第１の態様の第１の可能な実施例から第４の可能な実施例のいずれか１つに関し、第１の態様の第５の可能な実施例において、
第２のメッセージを第１の中継デバイスによって送信する段階は、
第２のメッセージを第１の中継デバイスによってブロードキャストする段階、または、
第２のメッセージをリモートデバイスにユニキャスト方式またはマルチキャスト方式で第１の中継デバイスによって送信する段階
を有する。
【００３０】
つまり、第１の中継デバイスは、比較的柔軟に複数の異なる方式で第２のメッセージを送信するとしてよい。
【００３１】
第２の態様によれば、第２の信号強度を測定する方法が提供され、
第１のリモートデバイスが送信する第１のメッセージを中継デバイスによって受信する段階であって、第１のメッセージは中継サービスを提供するよう中継デバイスに要求するべく第１のリモートデバイスによって利用される、段階と、
第２のメッセージを中継デバイスによって送信する段階であって、第２のメッセージは中継デバイスを発見するべく第１のリモートデバイスによって利用される、段階と、
第１のリモートデバイスに対する接続を、中継デバイスにおける第１の中継デバイスによって確立する段階と、
第１のリモートデバイスが送信する第３のメッセージを第１の中継デバイスによって受信する段階であって、第３のメッセージは測定サービスを提供するよう第１の中継デバイスに要求するべく第１のリモートデバイスによって利用される、段階と
を備える。
【００３２】
モデルＢにおいて、第１の中継デバイスに対する接続を確立した後で第１のリモートデバイスが第１のリモートデバイスと第１の中継デバイスとの間のリンクの信号強度を測定する必要がある場合（例えば、第１のリモートデバイスがユーザのトリガ動作を受信する場合、または、第１のリモートデバイスが定期的な測定を実行する場合）、第１のリモートデバイスは第３のメッセージを第１の中継デバイスに送信するとしてよい。第３のメッセージは、測定サービスを提供するよう第１の中継デバイスに要求するべく利用される。このように、第１のリモートデバイスが信号を測定する必要がある場合、第１のリモートデバイスは第３のメッセージを第１の中継デバイスに送信する。第３のメッセージを受信した後、第１の中継デバイスは、第１のリモートデバイスが必要とする測定メッセージ（以下では、第４のメッセージと呼ぶ）を送信する。このため、第１の中継デバイスは第１のリモートデバイスに測定メッセージを継続的に送信する必要がなくなり、これによって、送信リソースが節約され、第１のリモートデバイスは、測定を実行する必要もなく、余分で冗長な測定メッセージを受信せずに済む。
【００３３】
第２の態様に関し、第２の態様の第１の可能な実施例において、第１のリモートデバイスが送信する第３のメッセージを第１の中継デバイスによって受信する段階の後、方法はさらに、
第３のメッセージが第１の中継デバイスの識別子を保持する場合、第１の中継デバイスが第４のメッセージをリモートデバイスに送信すると、第１の中継デバイスによって判断する段階であって、第４のメッセージは第１のリモートデバイスと第１の中継デバイスとの間のリンクの信号強度を測定するべく第１のリモートデバイスによって利用される、段階
を備える。
【００３４】
第１のリモートデバイスは、第１のリモートデバイスに接続されている中継デバイス（つまり、第１の中継デバイス）が提供する測定サービスを要求したいので、そして、第１のリモートデバイスはブロードキャスト方式で第３のメッセージを送信するので、複数の中継デバイスが第３のメッセージを受信できるとしてよい。第３のメッセージを受信する中継デバイスが全て第４のメッセージで応答する場合、第１のリモートデバイスに対する負荷および別の中継デバイスに対する負荷が増加し、送信リソースは相対的に無駄になってしまう。このため、本願では第３のメッセージは第１の中継デバイスの識別子を保持しているとしてよく、このため、第３のメッセージが受信する中継デバイスは最初に、第３のメッセージに保持されている中継デバイスの識別子を判断するとしてよい。第３のメッセージに保持されている中継デバイスの識別子が中継デバイスの識別子ではない場合、中継デバイスは第３のメッセージに応答しないとしてよく、例えば、第３のメッセージを破棄するとしてよく、これによって第１のリモートデバイスに対する干渉が発生しないように回避し、送信リソースを節約する。
【００３５】
第２の態様に関し、第２の態様の第２の可能な実施例において、第１のリモートデバイスが送信する第３のメッセージを、第１の中継デバイスによって受信する段階の後、方法はさらに、第３のメッセージが測定サービスを提供するよう要求するための識別子を保持する場合、第３のメッセージが第１のリモートデバイスによって送信されたと第１の中継デバイスによって判断し、第１のリモートデバイスに第４のメッセージを第１の中継デバイスによって送信する段階であって、第４のメッセージは第１のリモートデバイスと第１の中継デバイスとの間のリンクの信号強度を測定するべく第１のリモートデバイスによって利用される、段階を備える。
【００３６】
第３のメッセージは、測定サービスを要求する識別子を保持するとしてよく、これによって第３のメッセージを受信する中継デバイスは最初に第３のメッセージに保持されている識別子を判断するとしてよい。第３のメッセージに保持されている識別子が測定サービスを要求するための識別子である場合、第１のリモートデバイスに接続されていない中継デバイスは第３のメッセージに応答しないとしてよく、例えば、第３のメッセージを破棄するとしてよく、これによって第１のリモートデバイスに対する干渉が発生しないように回避し、送信リソースを節約する。さらに、第３のメッセージは測定サービスを提供するよう要求するべく利用されるので、第３のメッセージは測定サービスを要求するための識別子を保持するとしてよい。このように、第３のメッセージを受信した後、第１の中継デバイスはさらに、どのように第３のメッセージに応答するかも判断するとしてよい。
【００３７】
第２の態様の第１の可能な実施例または第２の可能な実施例に関し、第２の態様の第３の可能な実施例において、第４のメッセージは、第１の中継デバイスの識別子を保持し、第１の中継デバイスの識別子は、第１の中継デバイスを識別するために利用される第１のコードワードまたは第１の中継デバイスの識別子のうち少なくとも１つを含む。
【００３８】
つまり、第１の中継デバイスの識別子は、識別子が第１の中継デバイスを一意的に識別するべく利用され得る限りにおいて、複数の異なる種類の識別子であってよい。
【００３９】
第３の態様によれば、第３の信号強度を測定する方法が提供され、  第１のリモートデバイスが送信する第１のメッセージを中継デバイスによって受信する段階であって、第１のメッセージは中継サービスを提供するよう中継デバイスに要求するべく第１のリモートデバイスによって利用される、段階と、
第２のメッセージを中継デバイスによって送信する段階であって、第２のメッセージは中継デバイスを発見するべく第１のリモートデバイスによって利用される、段階と、
第１のリモートデバイスに対する接続を、中継デバイスにおける第１の中継デバイスによって確立する段階と、
第４のメッセージを第１の中継デバイスによって送信する段階であって、第４のメッセージは第１のリモートデバイスと第１の中継デバイスとの間のリンクの信号強度を測定するべく第１のリモートデバイスによって利用される、段階と
を備える。
【００４０】
第１のリモートデバイスが第１の中継デバイスに対する接続を確立した後、第１の中継デバイスは、第１のリモートデバイスに過度の処理を実行するよう（例えば、第１の中継デバイスに要求を送信するよう）要求することなく、第４のメッセージを能動的に送信するとしてよく、これによって、第１のリモートデバイスは第４のメッセージを受信するとしてよく、第４のメッセージは、第１のリモートデバイスと第１の中継デバイスとの間のリンクの信号強度を測定するべく第１のリモートデバイスによって利用されるとしてよい。このため、第１のリモートデバイスに対する負荷が軽減される。
【００４１】
第３の態様に関し、第３の態様の第１の可能な実施例において、第４のメッセージは第１の中継デバイスの識別子を保持し、第１の中継デバイスの識別子は、第１の中継デバイスを識別するために利用される第１のコードワードまたは第１の中継デバイスの識別子のうち少なくとも１つを含む。
【００４２】
第１の中継デバイスがブロードキャスト方式で第４のメッセージを送信する場合、複数のリモートデバイスが第４のメッセージを受信できるとしてよい。しかし、第４のメッセージは、信号強度を測定する必要がないリモートデバイスに対して干渉と見なされる場合がある。このため、本願では、第４のメッセージは測定サービスを要求するための識別子を保持するとしてよく、第４のメッセージを受信するリモートデバイスは、第４のメッセージに保持されている識別子を最初に判断するとしてよい。第４のメッセージに保持されている識別子がリモートデバイスがアクセスしている中継デバイスの識別子でない場合、第１の中継デバイスに接続されていないリモートデバイスは、第４のメッセージに応答しないとしてよく、例えば、第４のメッセージを破棄するとしてよく、これによって別のリモートデバイスに対する干渉が発生しないよう回避する。
【００４３】
第４の態様によれば、第４の信号強度を測定する方法が提供され、中継デバイスがブロードキャストする第１のメッセージを第１のリモートデバイスによって受信する段階であって、第１のメッセージは中継デバイスを発見するべく第１のリモートデバイスによって利用される、段階と、
中継デバイスにおける第１の中継デバイスに対する接続を第１のリモートデバイスによって確立する段階と、
第１の中継デバイスが送信する第２のメッセージを第１のリモートデバイスによって受信する段階であって、第２のメッセージは第１のリモートデバイスと第１の中継デバイスとの間のリンクの信号強度を測定するべく、第１のリモートデバイスによって利用される、段階と
を備える。
【００４４】
第４の態様に関し、第４の態様の第１の可能な実施例において、第２のメッセージは第１のメッセージと同一であり、第１のメッセージおよび第２のメッセージはそれぞれ、第１の中継デバイスがアクセス上限に到達したか否かの指標を保持し、第１のメッセージおよび第２のメッセージは、第１の中継デバイスを発見するべく、および、第１のリモートデバイスと第１の中継デバイスとの間のリンクの信号強度を測定するべく、第１のリモートデバイスによって利用される。
【００４５】
第４の態様の第１の可能な実施例に関し、第４の態様の第２の可能な実施例において、第１の中継デバイスがアクセス上限に到達したか否かの指標は具体的に、
第１の中継デバイスがアクセス上限に到達している場合に、リモートデバイスに対する中継サービスを第１の中継デバイスが提供できないこと、または、
第１の中継デバイスがアクセス上限に到達していない場合に、第１の中継デバイスがリモートデバイスに対する中継サービスを提供できること
を示すべく利用される。
【００４６】
第４の態様に関し、第４の態様の第３の可能な実施例において、第１の中継デバイスに対する接続を第１のリモートデバイスによって確立する段階の後、方法はさらに、
第１の中継デバイスがリモートデバイスに対する中継サービスを提供できる場合、第１のメッセージまたは第２のメッセージを第１のリモートデバイスによってモニタリングして受信する段階であって、第１のメッセージおよび第２のメッセージはそれぞれ第１の中継デバイスの識別子を保持する、段階、または、
第１の中継デバイスがリモートデバイスに対する中継サービスを提供できる場合、第２のメッセージを第１のリモートデバイスによってモニタリングして受信する段階であって、第２のメッセージは第１のメッセージと同一であり、第１のメッセージまたは第２のメッセージは第１の中継デバイスを発見するべく、および、第１のリモートデバイスと第１の中継デバイスとの間のリンクの信号強度を測定するべく第１のリモートデバイスによって利用される、段階、もしくは、第１の中継デバイスがリモートデバイスに対する中継サービスを提供できない場合、第２のメッセージのモニタリングを第１のリモートデバイスによって停止して、第３のメッセージのモニタリングを開始する段階であって、第３のメッセージは第１の中継デバイスの識別子を保持する、段階、または、
第１の中継デバイスがリモートデバイスに対する中継サービスを提供できない場合、第２のメッセージを第１のリモートデバイスによってモニタリングする段階であって、第２のメッセージは第１の中継デバイスの識別子を保持する、段階
を備える。
【００４７】
第４の態様の第３の可能な実施例に関して、第４の態様の第４の可能な実施例において、第１の中継デバイスの識別子は、第１の中継デバイスが送信する第１のメッセージ、第２のメッセージまたは第３のメッセージを識別するべく第１のリモートデバイスによって利用され、
第１の中継デバイスの識別子は、第１の中継デバイスを識別するために利用される第１のコードワードまたは第１の中継デバイスの識別子のうち少なくとも１つを含む。
【００４８】
第５の態様によれば、第５の信号強度を測定する方法が提供され、中継デバイスに対して第１のメッセージを第１のリモートデバイスによって送信する段階であって、第１のメッセージは中継サービスを提供するよう中継デバイスに要求するべく第１のリモートデバイスによって利用される、段階と、
中継デバイスが送信する第２のメッセージを、第１のリモートデバイスによって受信する段階であって、第２のメッセージは中継デバイスを発見するべく第１のリモートデバイスによって利用される、段階と、
中継デバイスにおける第１の中継デバイスに対する接続を第１のリモートデバイスによって確立する段階と、
第１の中継デバイスに対して第３のメッセージを第１のリモートデバイスによって送信する段階であって、第３のメッセージは測定サービスを提供するよう第１の中継デバイスに要求するべく第１のリモートデバイスによって利用される、段階と
を備える。
【００４９】
第５の態様に関し、第５の態様の第１の可能な実施例において、第１の中継デバイスに対して第３のメッセージを第１のリモートデバイスによって送信する段階の後、方法はさらに、
第３のメッセージが第１の中継デバイスの識別子を保持する場合、第１の中継デバイスが送信した第４のメッセージを受信すると、第１のリモートデバイスによって判断する段階であって、第４のメッセージは第１のリモートデバイスと第１の中継デバイスとの間のリンクの信号強度を測定するべく第１のリモートデバイスによって利用される、段階
を備える。
【００５０】
第５の態様に関し、第５の態様の第２の可能な実施例において、第１の中継デバイスに対して第３のメッセージを第１のリモートデバイスによって送信する段階の後、方法はさらに、
第３のメッセージが測定サービスを要求するための識別子を保持する場合、第１の中継デバイスが送信する第４のメッセージを第１のリモートデバイスによって受信する段階であって、第４のメッセージは第１のリモートデバイスと第１の中継デバイスとの間のリンクの信号強度を測定するべく第１のリモートデバイスによって利用される、段階
を備える。
【００５１】
第５の態様の第１の可能な実施例または第２の可能な実施例に関し、第５の態様の第３の可能な実施例において、第４のメッセージは第１の中継デバイスの識別子を保持し、第１の中継デバイスの識別子は、第１の中継デバイスを識別するために利用される第１のコードワードまたは第１の中継デバイスの識別子のうち少なくとも１つを含む。
【００５２】
第６の態様によれば、第６の信号強度を測定する方法が提供され、中継デバイスに対して第１のメッセージを第１のリモートデバイスによって送信する段階であって、第１のメッセージは中継サービスを提供するよう中継デバイスに要求するべく第１のリモートデバイスによって利用される、段階と、
中継デバイスが送信する第２のメッセージを第１のリモートデバイスによって受信する段階であって、第２のメッセージは中継デバイスを発見するべく第１のリモートデバイスによって利用される、段階と、
中継デバイスにおける第１の中継デバイスに対する接続を第１のリモートデバイスによって確立する段階と、
第１の中継デバイスが送信する第４のメッセージを第１のリモートデバイスによって受信する段階であって、第４のメッセージは第１のリモートデバイスと第１の中継デバイスとの間のリンクの信号強度を測定するべく第１のリモートデバイスによって利用される、段階と
を備える。
【００５３】
第６の態様に関し、第６の態様の第１の可能な実施例において、第４のメッセージは第１の中継デバイスの識別子を保持し、第１の中継デバイスの識別子は、第１の中継デバイスを識別するために利用される第１のコードワードまたは第１の中継デバイスの識別子のうち少なくとも１つを含む。
【００５４】
第７の態様によれば、第１の中継デバイスが提供され、
第１のメッセージをブロードキャストするように構成されている送信モジュールであって、第１のメッセージは、中継デバイスを発見するためにリモートデバイスによって利用される、送信モジュールと、 
リモートデバイスにおける第１のリモートデバイスに対する接続を確立するように構成されている処理モジュールと
を備え、
送信モジュールはさらに、第２のメッセージを送信するように構成されており、第２のメッセージは、リモートデバイスと中継デバイスとの間のリンクの信号強度を測定するべくリモートデバイスによって利用される。
【００５５】
第７の態様に関し、第７の態様の第１の可能な実施例において、第２のメッセージは第１のメッセージと同一であり、第１のメッセージおよび第２のメッセージはそれぞれ、中継デバイスがアクセス上限に到達したか否かの指標を保持し、第１のメッセージおよび第２のメッセージは、中継デバイスを発見するべく、および、リモートデバイスと中継デバイスとの間のリンクの信号強度を測定するべく、リモートデバイスによって利用される。
【００５６】
第７の態様の第１の可能な実施例に関し、第７の態様の第２の可能な実施例において、中継デバイスがアクセス上限に到達したか否かの指標は具体的に、
中継デバイスがアクセス上限に到達する場合に、中継デバイスがリモートデバイスに対する中継サービスを提供できないこと、または、
中継デバイスがアクセス上限に到達していない場合に、中継デバイスがリモートデバイスに対する中継サービスを提供できること
を示すべく利用される。
【００５７】
第７の態様に関し、第７の態様の第３の可能な実施例において、送信モジュールはさらに、リモートデバイスにおける第１のリモートデバイスに対する接続を確立した後で中継デバイスがリモートデバイスに対する中継サービスを提供できる場合、第１のメッセージを送信するときに第２のメッセージを送信するように構成されており、第２のメッセージは中継デバイスの識別子を保持し、または、
送信モジュールはさらに、リモートデバイスにおける第１のリモートデバイスに対する接続を確立した後で中継デバイスがリモートデバイスに対する中継サービスを提供できる場合、第２のメッセージを送信するように構成されており、第２のメッセージは第１のメッセージと同一であり、第１のメッセージまたは第２のメッセージは、中継デバイスを発見するべく、および、リモートデバイスと中継デバイスとの間のリンクの信号強度を測定するべく、リモートデバイスによって利用されるか、もしくは、中継デバイスがリモートデバイスに対する中継サービスを提供できない場合、第２のメッセージの送信を停止して第３のメッセージの送信を開始するように構成されており、第３のメッセージは中継デバイスの識別子を保持し、または、
送信モジュールはさらに、リモートデバイスにおける第１のリモートデバイスに対する接続を確立した後で第１の中継デバイスがリモートデバイスに対する中継サービスを提供できない場合、第１のメッセージの送信を停止して第２のメッセージの送信を開始するように構成されており、第２のメッセージは第１の中継デバイスの識別子を保持する。
【００５８】
第７の態様の第３の可能な実施例に関し、第７の態様の第４の可能な実施例において、中継デバイスの識別子は、中継デバイスが送信する第１のメッセージ、第２のメッセージまたは第３のメッセージを識別するべく第１のリモートデバイスによって利用され、
中継デバイスの識別子は、中継デバイスを識別するために利用される第１のコードワードまたは中継デバイスの識別子のうち少なくとも１つを含む。
【００５９】
第７の態様、または、第７の態様の第１の可能な実施例から第４の可能な実施例のいずれか１つに関し、第７の態様の第５の可能な実施例において、送信モジュールは、
第２のメッセージをブロードキャストするように、または、
ユニキャスト方式またはマルチキャスト方式でリモートデバイスに第２のメッセージを送信するように構成されている。
【００６０】
第８の態様によれば、第２の中継デバイスが提供され、
第１のリモートデバイスが送信する第１のメッセージを受信するように構成されている受信モジュールであって、第１のメッセージは、中継サービスを提供するよう中継デバイスに要求するべく第１のリモートデバイスによって利用される、受信モジュールと、
第２のメッセージを送信するように構成されている送信モジュールであって、第２のメッセージは中継デバイスを発見するべく第１のリモートデバイスによって利用される、送信モジュールと、
第１のリモートデバイスに対する接続を確立するように構成されている処理モジュールと
を備え、
受信モジュールはさらに、第１のリモートデバイスが送信する第３のメッセージを受信するように構成されており、第３のメッセージは、測定サービスを提供するよう中継デバイスに要求するべく第１のリモートデバイスによって利用される。
【００６１】
第８の態様に関し、第８の態様の第１の可能な実施例において、
第１のリモートデバイスが送信する第３のメッセージを受信モジュールが受信した後、受信モジュールが受信した第３のメッセージが中継デバイスの識別子を保持する場合、処理モジュールはさらに、送信モジュールが第４のメッセージを第１のリモートデバイスに送信すると判断するように構成されており、第４のメッセージは、第１のリモートデバイスと中継デバイスとの間のリンクの信号強度を測定するべく第１のリモートデバイスによって利用される。
【００６２】
第８の態様に関し、第８の態様の第２の可能な実施例において、第１のリモートデバイスが送信する第３のメッセージを受信モジュールが受信した後、測定サービスを提供するよう要求するべく第３のメッセージが識別子を保持する場合、処理モジュールはさらに、第３のメッセージが第１のリモートデバイスによって送信されたと判断するように構成されており、
送信モジュールはさらに、第４のメッセージを第１のリモートデバイスに送信するように構成されており、第４のメッセージは、第１のリモートデバイスと中継デバイスとの間のリンクの信号強度を測定するべく第１のリモートデバイスによって利用される。
【００６３】
第８の態様の第１の可能な実施例または第２の可能な実施例に関し、第８の態様の第３の可能な実施例において、第４のメッセージは第１の中継デバイスの識別子を保持し、第１の中継デバイスの識別子は、第１の中継デバイスを識別するために利用される第１のコードワードまたは第１の中継デバイスの識別子のうち少なくとも１つを含む。
【００６４】
第９の態様によれば、第３の中継デバイスが提供され、
第１のリモートデバイスが送信する第１のメッセージを受信するように構成されている受信モジュールであって、第１のメッセージは、中継サービスを提供するよう中継デバイスに要求するために第１のリモートデバイスによって利用される、受信モジュールと、
第２のメッセージを送信するように構成されている送信モジュールであって、第２のメッセージは中継デバイスを発見するべく第１のリモートデバイスによって利用される、送信モジュールと、
第１のリモートデバイスに対する接続を確立するように構成されている処理モジュールと
を備え、
送信モジュールはさらに、第４のメッセージを送信するように構成されており、第４のメッセージは、第１のリモートデバイスと中継デバイスとの間のリンクの信号強度を測定するべく第１のリモートデバイスによって利用される。
【００６５】
第９の態様に関し、第９の態様の第１の可能な実施例において、第４のメッセージは第１の中継デバイスの識別子を保持し、第１の中継デバイスの識別子は、第１の中継デバイスを識別するために利用される第１のコードワードまたは第１の中継デバイスの識別子のうち少なくとも１つを含む。
【００６６】
第１０の態様によれば、第１のリモートデバイスが提供され、
中継デバイスがブロードキャストする第１のメッセージを受信するように構成されている受信モジュールであって、第１のメッセージは中継デバイスを発見するべくリモートデバイスによって利用される、受信モジュールと、
中継デバイスにおける第１の中継デバイスに対する接続を確立するように構成されている処理モジュールと
を備え、
受信モジュールはさらに、第１の中継デバイスが送信する第２のメッセージを受信するように構成されており、第２のメッセージは、リモートデバイスと第１の中継デバイスとの間のリンクの信号強度を測定するべく、リモートデバイスによって利用される。
【００６７】
第１０の態様に関し、第１０の態様の第１の可能な実施例において、第２のメッセージは第１のメッセージと同一であり、第１のメッセージおよび第２のメッセージはそれぞれ、第１の中継デバイスがアクセス上限に到達したか否かの指標を保持し、第１のメッセージおよび第２のメッセージは、第１の中継デバイスを発見するべく、および、リモートデバイスと第１の中継デバイスとの間のリンクの信号強度を測定するべく、リモートデバイスによって利用される。
【００６８】
第１０の態様の第１の可能な実施例に関し、第１０の態様の第２の可能な実施例において、第１の中継デバイスがアクセス上限に到達したか否かの指標は具体的に、
第１の中継デバイスがアクセス上限に到達する場合に第１の中継デバイスがリモートデバイスに対する中継サービスを提供できないこと、または、
第１の中継デバイスがアクセス上限に到達していない場合に第１の中継デバイスがリモートデバイスに対する中継サービスを提供できること
を示すべく利用される。
【００６９】
第１０の態様に関し、第１０の態様の第３の可能な実施例において、
受信モジュールはさらに、リモートデバイスが第１の中継デバイスに対する接続を確立した後で第１の中継デバイスがリモートデバイスに対する中継サービスを提供できる場合、第１のメッセージまたは第２のメッセージをリモートデバイスによってモニタリングして受信するように構成されており、第１のメッセージおよび第２のメッセージはそれぞれ第１の中継デバイスの識別子を保持し、または、
受信モジュールはさらに、第１の中継デバイスがリモートデバイスに対する中継サービスを提供できる場合、第２のメッセージをリモートデバイスによってモニタリングして受信するように構成されており、第２のメッセージは第１のメッセージと同一であり、第１のメッセージまたは第２のメッセージは、第１の中継デバイスを発見するべく、および、リモートデバイスと第１の中継デバイスとの間のリンクの信号強度を測定するべくリモートデバイスによって利用され、もしくは、第１の中継デバイスがリモートデバイスに対する中継サービスを提供できない場合、第２のメッセージのモニタリングを停止して第３のメッセージのモニタリングを開始するように構成されており、第３のメッセージは第１の中継デバイスの識別子を保持し、または、
受信モジュールはさらに、第１の中継デバイスがリモートデバイスに対する中継サービスを提供できない場合、第２のメッセージのモニタリングを停止するように構成されており、第２のメッセージは第１の中継デバイスの識別子を保持する。
【００７０】
第１０の態様の第３の可能な実施例に関し、第１０の態様の第４の可能な実施例において、第１の中継デバイスの識別子は、第１の中継デバイスが送信する第１のメッセージ、第２のメッセージまたは第３のメッセージを識別するべく第１のリモートデバイスによって利用され、
第１の中継デバイスの識別子は、第１の中継デバイスを識別するために利用される第１のコードワードまたは第１の中継デバイスの識別子のうち少なくとも１つを含む。
【００７１】
第１１の態様によれば、第２のリモートデバイスが提供され、
第１のメッセージを中継デバイスに送信するように構成されている送信モジュールであって、第１のメッセージは、中継サービスを提供するよう中継デバイスに要求するべくリモートデバイスによって利用される、送信モジュールと、
中継デバイスが送信する第２のメッセージを受信するように構成されている受信モジュールであって、第２のメッセージは、中継デバイスを発見するべく、リモートデバイスによって利用される、受信モジュールと、
中継デバイスにおける第１の中継デバイスに対する接続を確立するように構成されている処理モジュールと
を備え、
送信モジュールはさらに、第３のメッセージを第１の中継デバイスに送信するように構成されており、第３のメッセージは、測定サービスを提供するよう第１の中継デバイスに要求するべくリモートデバイスによって利用される。
【００７２】
第１１の態様に関し、第１１の態様の第１の可能な実施例において、送信モジュールが第３のメッセージを第１の中継デバイスに送信した後、第３のメッセージが第１の中継デバイスの識別子を保持する場合、処理モジュールはさらに、
第１の中継デバイスが送信する第４のメッセージを受信すると判断するように構成されており、第４のメッセージは、リモートデバイスと第１の中継デバイスとの間のリンクの信号強度を測定するべくリモートデバイスによって利用される。
【００７３】
第１１の態様に関し、第１１の態様の第２の可能な実施例において、受信モジュールはさらに構成されており、
送信モジュールが第３のメッセージを第１の中継デバイスに送信した後、測定サービスを要求するべく第３のメッセージが識別子を保持する場合、受信モジュールはさらに、第１の中継デバイスが送信する第４のメッセージを受信するように構成されており、第４のメッセージは、リモートデバイスと第１の中継デバイスとの間のリンクの信号強度を測定するべくリモートデバイスによって利用される。
【００７４】
第１１の態様の第１の可能な実施例または第２の可能な実施例に関し、第１１の態様の第３の可能な実施例において、第４のメッセージは第１の中継デバイスの識別子を保持し、第１の中継デバイスの識別子は、第１の中継デバイスを識別するために利用される第１のコードワードまたは第１の中継デバイスの識別子のうち少なくとも１つを含む。
【００７５】
第１２の態様によれば、第３のリモートデバイスが提供され、
第１のメッセージを中継デバイスに送信するように構成されている送信モジュールであって、第１のメッセージは、中継サービスを提供するよう中継デバイスに要求するべくリモートデバイスによって利用される、送信モジュールと、
中継デバイスが送信する第２のメッセージを受信するように構成されている受信モジュールであって、第２のメッセージは中継デバイスを発見するべくリモートデバイスによって利用される、受信モジュールと、
中継デバイスにおける第１の中継デバイスに対する接続を確立するように構成されている処理モジュールと
を備え、
受信モジュールはさらに、第１の中継デバイスが送信する第４のメッセージを受信するように構成されており、第４のメッセージは、リモートデバイスと第１の中継デバイスとの間のリンクの信号強度を測定するべくリモートデバイスによって利用される。
【００７６】
第１２の態様に関し、第１２の態様の第１の可能な実施例において、第４のメッセージは第１の中継デバイスの識別子を保持し、第１の中継デバイスの識別子は、第１の中継デバイスを識別するために利用される第１のコードワードまたは第１の中継デバイスの識別子のうち少なくとも１つを含む。
【００７７】
第１３の態様によれば、第４の中継デバイスが提供され、メモリと、プロセッサと、送信機とを備え、
メモリは、命令を格納するように構成されており、
プロセッサは、
送信機を利用して第１のメッセージをブロードキャストする処理であって、第１のメッセージは、中継デバイスを発見するべくリモートデバイスによって利用される、処理、
リモートデバイスにおける第１のリモートデバイスに対する接続を確立する処理、および、
送信機を利用して第２のメッセージを送信する処理であって、第２のメッセージは、リモートデバイスと中継デバイスとの間のリンクの信号強度を測定するべく、リモートデバイスによって利用される、処理
を実行するべくメモリから命令を読み出すように構成されている。
【００７８】
第１３の態様に関し、第１３の態様の第１の可能な実施例において、第２のメッセージは第１のメッセージと同一であり、第１のメッセージおよび第２のメッセージはそれぞれ、中継デバイスがアクセス上限に到達したか否かの指標を保持し、第１のメッセージおよび第２のメッセージは、中継デバイスを発見するべく、および、リモートデバイスと中継デバイスとの間のリンクの信号強度を測定するべく、リモートデバイスによって利用される。
【００７９】
第１３の態様の第１の可能な実施例に関し、第１３の態様の第２の可能な実施例において、第１の中継デバイスがアクセス上限に到達したか否かの指標は具体的に、
中継デバイスがアクセス上限に到達する場合に中継デバイスがリモートデバイスに対する中継サービスを提供できないこと、または、
中継デバイスがアクセス上限に到達していない場合に中継デバイスがリモートデバイスに対する中継サービスを提供できること
を示すべく利用される。
【００８０】
第１３の態様に関し、第１３の態様の第３の可能な実施例において、プロセッサは、
第１のリモートデバイスに対する接続を確立した後で中継デバイスがリモートデバイスに対する中継サービスを提供できる場合、第１のメッセージを送信するときに第２のメッセージを送信機を利用して送信するように構成されており、第２のメッセージは中継デバイスの識別子を保持し、または、
第１のリモートデバイスに対する接続を確立した後で中継デバイスがリモートデバイスに対する中継サービスを提供できる場合、第２のメッセージを送信機を利用して送信するように構成されており、第２のメッセージは第１のメッセージと同一であり、第１のメッセージおよび第２のメッセージは、中継デバイスを発見するべく、および、リモートデバイスと中継デバイスとの間のリンクの信号強度を測定するべく、リモートデバイスによって利用され、もしくは、中継デバイスがリモートデバイスに対する中継サービスを提供できない場合、送信機を利用した第２のメッセージの送信を停止して送信機を利用した第３のメッセージの送信を開始するように構成されており、第３のメッセージは中継デバイスの識別子を保持し、または、
第１のリモートデバイスに対する接続を確立した後で中継デバイスがリモートデバイスに対する中継サービスを提供できない場合、送信機を利用した第１のメッセージの送信を停止して第２のメッセージの送信を開始するように構成されており、第２のメッセージは第１の中継デバイスの識別子を保持する。
【００８１】
第１３の態様の第３の可能な実施例に関し、第１３の態様の第４の可能な実施例において、第１の中継デバイスの識別子は、中継デバイスが送信する第１のメッセージ、第２のメッセージまたは第３のメッセージを識別するべく第１のリモートデバイスによって利用され、
第１の中継デバイスの識別子は、中継デバイスを識別するために利用される第１のコードワードまたは中継デバイスの識別子のうち少なくとも１つを含む。
【００８２】
第１３の態様、または、第１３の態様の第１の可能な実施例から第４の可能な実施例のいずれか１つに関し、第１３の態様の第５の可能な実施例において、プロセッサは、
送信機を利用して第２のメッセージをブロードキャストするように、または、
送信機を利用してユニキャスト方式またはマルチキャスト方式でリモートデバイスに第２のメッセージを送信するように
構成されている。
【００８３】
第１４の態様によれば、第５の中継デバイスが提供され、メモリと、受信機と、プロセッサと、送信機とを備え、
メモリは、命令を格納するように構成されており、
プロセッサは、
第１のリモートデバイスが送信する第１のメッセージを受信機を利用して受信する処理であって、第１のメッセージは、中継サービスを提供するよう中継デバイスに要求するべく第１のリモートデバイスによって利用される、処理と、
第２のメッセージを送信機を利用して送信する処理であって、第２のメッセージは、中継デバイスを発見するべく第１のリモートデバイスによって利用される、処理と、
第１のリモートデバイスに対する接続を確立する処理と、
第１のリモートデバイスが送信する第３のメッセージを受信機を利用して受信する処理であって、第３のメッセージは、測定サービスを提供するよう中継デバイスに要求するべく、第１のリモートデバイスによって利用される、処理と
を実行するべくメモリから実行を読み出すように構成されている。
【００８４】
第１４の態様に関し、第１４の態様の第１の可能な実施例において、第１のリモートデバイスが送信した第３のメッセージを受信機が受信した後、受信機が受信した第３のメッセージが中継デバイスの識別子を保持する場合、プロセッサはさらに、送信機は第４のメッセージを第１のリモートデバイスに送信すると判断するように構成されており、第４のメッセージは、第１のリモートデバイスと中継デバイスとの間のリンクの信号強度を測定するべく第１のリモートデバイスによって利用される。
【００８５】
第１４の態様に関し、第１４の態様の第２の可能な実施例において、第１のリモートデバイスが送信した第３のメッセージを受信機が受信した後、第３のメッセージが測定サービスを提供するよう要求するための識別子を保持する場合、プロセッサはさらに、第３のメッセージは第１のリモートデバイスによって送信されたと判断して、送信機を利用して第１のリモートデバイスに第４のメッセージを送信するように構成されており、第４のメッセージは、第１のリモートデバイスと中継デバイスとの間のリンクの信号強度を測定するべく第１のリモートデバイスによって利用される。
【００８６】
第１４の態様の第１の可能な実施例または第２の可能な実施例に関し、第１４の態様の第３の可能な実施例において、第４のメッセージは第１の中継デバイスの識別子を保持し、第１の中継デバイスの識別子は、第１の中継デバイスを識別するために利用される第１のコードワードまたは第１の中継デバイスの識別子のうち少なくとも１つを含む。
【００８７】
第１５の態様によれば、第６の中継デバイスが提供され、メモリと、受信機と、プロセッサと、送信機とを備え、
メモリは、命令を格納するように構成されており、
プロセッサは、
第１のリモートデバイスが送信する第１のメッセージを受信機を利用して受信する処理であって、第１のメッセージは、中継サービスを提供するよう中継デバイスに要求するべく、第１のリモートデバイスによって利用される、処理と、
送信機を利用して第２のメッセージを送信する処理であって、第２のメッセージは、中継デバイスを発見するべく第１のリモートデバイスによって利用される、処理と、
第１のリモートデバイスに対する接続を確立する処理と、
送信機を利用して第４のメッセージを送信する処理であって、第４のメッセージは第１のリモートデバイスと中継デバイスとの間のリンクの信号強度を測定するべく、第１のリモートデバイスによって利用される、処理と
を実行するべくメモリから命令を読み出すように構成されている。
【００８８】
第１５の態様に関し、第１５の態様の第１の可能な実施例において、第４のメッセージは中継デバイスの識別子を保持し、中継デバイスの識別子は、中継デバイスを識別するために利用される第１のコードワードまたは中継デバイスの識別子のうち少なくとも１つを含む。
【００８９】
第１６の態様によれば、第４のリモートデバイスが提供され、メモリと、受信機と、プロセッサとを備え、
メモリは、命令を格納するように構成されており、
プロセッサは、
中継デバイスがブロードキャストする第１のメッセージを、受信機を利用して受信する処理であって、第１のメッセージは、中継デバイスを発見するべく、リモートデバイスによって利用される、処理と、
中継デバイスにおける第１の中継デバイスに対する接続を確立する処理と、
第１の中継デバイスが送信する第２のメッセージを、受信機を利用して受信する処理であって、第２のメッセージはリモートデバイスと第１の中継デバイスとの間のリンクの信号強度を測定するべく、リモートデバイスによって利用される、処理と
を実行するべくメモリから実行を読み出すように構成されている。
【００９０】
第１６の態様に関し、第１６の態様の第１の可能な実施例において、第２のメッセージは第１のメッセージと同一であり、第１のメッセージおよび第２のメッセージはそれぞれ、第１の中継デバイスがアクセス上限に到達したか否かの指標を保持し、第１のメッセージおよび第２のメッセージは、第１の中継デバイスを発見するべく、および、リモートデバイスと第１の中継デバイスとの間のリンクの信号強度を測定するべく、リモートデバイスによって利用される。
【００９１】
第１６の態様の第１の可能な実施例に関し、第１６の態様の第２の可能な実施例において、第１の中継デバイスがアクセス上限に到達したか否かの指標は具体的に、
第１の中継デバイスがアクセス上限に到達する場合に第１の中継デバイスがリモートデバイスに対する中継サービスを提供できないこと、または、
第１の中継デバイスがアクセス上限に到達していない場合に第１の中継デバイスがリモートデバイスに対する中継サービスを提供できること
を示すべく利用される。
【００９２】
第１６の態様に関し、第１６の態様の第３の可能な実施例において、
プロセッサが第１の中継デバイスに対する接続を確立した後で第１の中継デバイスがリモートデバイスに対する中継サービスを提供できる場合、プロセッサはさらに、受信機を利用して第１のメッセージまたは第２のメッセージをモニタリングして受信するように構成されており、第１のメッセージおよび第２のメッセージはそれぞれ、第１の中継デバイスの識別子を保持し、または、
プロセッサが第１の中継デバイスに対する接続を確立した後で第１の中継デバイスはリモートデバイスに対する中継サービスを提供できる場合、プロセッサはさらに、受信機を利用して第２のメッセージをモニタリングして受信するように構成されており、第２のメッセージは第１のメッセージと同一であり、第１のメッセージおよび第２のメッセージは、第１の中継デバイスを発見するべく、および、第１のリモートデバイスと第１の中継デバイスとの間のリンクの信号強度を測定するべく、第１のリモートデバイスによって利用され、もしくは、第１の中継デバイスがリモートデバイスに対する中継サービスを提供できない場合、第２のメッセージのモニタリングを停止して第３のメッセージのモニタリングを開始するように構成されており、第３のメッセージは第１の中継デバイスの識別子を保持し、または、
プロセッサが第１の中継デバイスに対する接続を確立した後で第１の中継デバイスがリモートデバイスに対する中継サービスを提供できない場合、プロセッサはさらに、受信機を利用して第２のメッセージをモニタリングするように構成されており、第２のメッセージは第１の中継デバイスの識別子を保持する。
【００９３】
第１６の態様の第３の可能な実施例に関し、第１６の態様の第４の可能な実施例において、第１の中継デバイスの識別子は、第１の中継デバイスが送信する第１のメッセージ、第２のメッセージまたは第３のメッセージを識別するべく第１のリモートデバイスによって利用され、
第１の中継デバイスの識別子は、第１の中継デバイスを識別するために利用される第１のコードワードまたは第１の中継デバイスの識別子のうち少なくとも１つを含む。
【００９４】
第１７の態様によれば、第５のリモートデバイスが提供され、メモリと、プロセッサと、受信機と、送信機とを備え、
メモリは、命令を格納するように構成されており、
プロセッサは、
中継デバイスに第１のメッセージを送信機を利用して送信する処理であって、第１のメッセージは、中継サービスを提供するよう中継デバイスに要求するべくリモートデバイスによって利用される、処理と、
中継デバイスが送信する第２のメッセージを受信機を利用して受信する処理であって、第２のメッセージは、中継デバイスを発見するべくリモートデバイスによって利用される、処理と、
中継デバイスにおける第１の中継デバイスに対する接続を確立する処理と、
第１の中継デバイスに第３のメッセージを送信機を利用して送信する処理であって、第３のメッセージは、測定サービスを提供するように第１の中継デバイスに要求するべく、リモートデバイスによって利用される、処理と
を実行するべくメモリから命令を読み出すように構成されている。
【００９５】
第１７の態様に関し、第１７の態様の第１の可能な実施例において、プロセッサはさらに構成されており、プロセッサが第１の中継デバイスに第３のメッセージを送信機を利用して送信した後、受信機が受信した第３のメッセージが第１の中継デバイスの識別子を保持する場合、プロセッサはさらに、第１の中継デバイスが送信した第４のメッセージを受信すると判断するように構成されており、第４のメッセージは、リモートデバイスと第１の中継デバイスとの間のリンクの信号強度を測定するべく、リモートデバイスによって利用される。
【００９６】
第１７の態様に関し、第１７の態様の第２の可能な実施例において、
プロセッサが、送信機を利用して第１の中継デバイスに第３のメッセージを送信した後、第３のメッセージが測定サービスを要求するための識別子を保持する場合、プロセッサはさらに、第１の中継デバイスが送信した第４のメッセージを受信機を利用して受信するように構成されており、第４のメッセージは、リモートデバイスと第１の中継デバイスとの間のリンクの信号強度を測定するべく、リモートデバイスによって利用される。
【００９７】
第１７の態様の第１の可能な実施例または第２の可能な実施例に関し、第１７の態様の第３の可能な実施例において、第４のメッセージは第１の中継デバイスの識別子を保持し、第１の中継デバイスの識別子は、第１の中継デバイスを識別するために利用される第１のコードワードまたは第１の中継デバイスの識別子のうち少なくとも１つを含む。
【００９８】
第１８の態様によれば、第６のリモートデバイスが提供され、メモリと、プロセッサと、受信機と、送信機とを備え、
メモリは、命令を格納するように構成されており、
プロセッサは、
中継デバイスに第１のメッセージを送信機を利用して送信する処理であって、第１のメッセージは、中継サービスを提供するよう中継デバイスに要求するべく、リモートデバイスによって利用される、処理と、
中継デバイスが送信する第２のメッセージを受信機を利用して受信する処理であって、第２のメッセージは、中継デバイスを発見するべくリモートデバイスによって利用される、処理と、
中継デバイスにおける第１の中継デバイスに対する接続を確立する処理と、
第１の中継デバイスが送信する第４のメッセージを、受信機を利用して受信する処理であって、第４のメッセージは、リモートデバイスと第１の中継デバイスとの間のリンクの信号強度を測定するべく、リモートデバイスによって利用される、処理と
を実行するべくメモリから命令を読み出すように構成されている。
【００９９】
第１８の態様に関し、第１８の態様の第１の可能な実施例において、第４のメッセージは第１の中継デバイスの識別子を保持し、第１の中継デバイスの識別子は、第１の中継デバイスを識別するために利用される第１のコードワードまたは第１の中継デバイスの識別子のうち少なくとも１つを含む。
【０１００】
第１９の態様によれば、第１の通信システムが提供され、中継デバイスとリモートデバイスとを備え、
中継デバイスは、第１のメッセージをブロードキャストするように構成されており、第１のメッセージは中継デバイスを発見するべくリモートデバイスによって利用され、中継デバイスにおける第１の中継デバイスはリモートデバイスにおける第１のリモートデバイスに対する接続を確立し、第１の中継デバイスは接続を確立した後で第２のメッセージを送信し、第２のメッセージは、第１のリモートデバイスと第１の中継デバイスとの間のリンクの信号強度を測定するべく第１のリモートデバイスによって利用され、
リモートデバイスは、中継デバイスがブロードキャストする第１のメッセージを受信するように構成されており、リモートデバイスにおける第１のリモートデバイスは、中継デバイスにおける第１の中継デバイスに対する接続を確立し、接続を確立した後で、第１のリモートデバイスは、第１の中継デバイスが送信する第２のメッセージを受信する。
【０１０１】
第２０の態様によれば、第２の通信システムが提供され、中継デバイスとリモートデバイスとを備え、
中継デバイスは、リモートデバイスが送信した第１のメッセージを受信するように構成されており、第１のメッセージは、中継サービスを提供するよう中継デバイスに要求するべくリモートデバイスによって利用され、第２のメッセージを送信するように構成されており、第２のメッセージは、中継デバイスを発見するべくリモートデバイスによって利用され、中継デバイスにおける第１の中継デバイスはリモートデバイスにおける第１のリモートデバイスに対する接続を確立し、接続を確立した後で第１の中継デバイスは、第１のリモートデバイスが送信した第３のメッセージを受信し、第３のメッセージは、測定サービスを提供するよう第１の中継デバイスに要求するべく第１のリモートデバイスによって利用され、
リモートデバイスは、中継デバイスに第１のメッセージを送信するように構成されており、中継デバイスが送信した第２のメッセージを受信するように構成されており、リモートデバイスにおける第１のリモートデバイスは、中継デバイスにおける第１の中継デバイスに対する接続を確立し、接続を確立した後で第１のリモートデバイスは第３のメッセージを第１の中継デバイスに送信し、第３のメッセージは、測定サービスを提供するよう第１の中継デバイスに要求するべく第１のリモートデバイスによって利用される。
【０１０２】
第２１の態様によれば、第３の通信システムが提供され、中継デバイスとリモートデバイスとを備え、
前記中継デバイスは、前記リモートデバイスにおける第１のリモートデバイスが送信した第１のメッセージを受信するように構成されており、前記第１のメッセージは、中継サービスを提供するよう前記中継デバイスに要求するべく前記第１のリモートデバイスによって利用され、前記中継デバイスは第２のメッセージを送信し、前記第２のメッセージは前記中継デバイスを発見するべく前記第１のリモートデバイスによって利用され、前記中継デバイスにおける第１の中継デバイスは前記第１のリモートデバイスに対する接続を確立し、前記第１の中継デバイスは前記接続を確立した後で第４のメッセージを送信し、前記第４のメッセージは、前記第１のリモートデバイスと前記第１の中継デバイスとの間のリンクの信号強度を測定するべく、前記第１のリモートデバイスによって利用され、
前記リモートデバイスは、前記中継デバイスに前記第１のメッセージを送信するように構成されており、前記中継デバイスが送信した前記第２のメッセージを受信するように構成されており、前記リモートデバイスにおける前記第１のリモートデバイスは、前記中継デバイスにおける前記第１の中継デバイスに対する接続を確立し、前記接続を確立した後で前記第１のリモートデバイスは前記第１の中継デバイスが送信した前記第４のメッセージを受信し、前記第４のメッセージは、前記第１のリモートデバイスと前記第１の中継デバイスとの間の前記リンクの前記信号強度を測定するべく、前記第１のリモートデバイスによって利用される。
【０１０３】
本願では、リモートデバイスが中継デバイスに対する接続を確立した後、中継デバイスが、信号強度を測定するべくリモートデバイスによって利用されるメッセージを続けて送信するとしてよい。このため、リモートデバイスと中継デバイスとの間のリンクの信号強度をリモートデバイスが確実に測定し得る。
【図面の簡単な説明】
【０１０４】
本発明の実施形態における技術的解決手段をより明確に説明すべく、本発明の実施形態を説明するために必要な添付図面を以下に簡潔に説明する。以下の説明における添付図面は単に本発明の一部の実施形態を示しているに過ぎず、当業者であれば、創造的努力が無くともこれらの添付図面から他の図面をさらに導き出し得ることは明らかである。
【０１０５】
【図１】Ｅ−ＵＴＲＡＮが提供するネットワークサービスを中継デバイスを利用してリモートデバイスが受信している、概略図である。
【０１０６】
【図２】本発明の実施形態に係る信号強度を測定する方法を示す第１のフローチャートである。
【０１０７】
【図３】本発明の実施形態に係る信号強度を測定する方法を示す第２のフローチャートである。
【０１０８】
【図４】本発明の実施形態に係る信号強度を測定する方法を示す第３のフローチャートである。
【０１０９】
【図５】本発明の実施形態に係る信号強度を測定する方法を示す第４のフローチャートである。
【０１１０】
【図６】本発明の実施形態に係る信号強度を測定する方法を示す第５のフローチャートである。
【０１１１】
【図７】本発明の実施形態に係る信号強度を測定する方法を示す第６のフローチャートである。
【０１１２】
【図８】本発明の実施形態に係る信号強度を測定する方法の第１の例を示すフローチャートである。
【０１１３】
【図９】本発明の実施形態に係る信号強度を測定する方法の第２の例を示すフローチャートである。
【０１１４】
【図１０】本発明の実施形態に係る信号強度を測定する方法の第３の例を示すフローチャートである。
【０１１５】
【図１１】本発明の実施形態に係る信号強度を測定する方法の第４の例を示すフローチャートである。
【０１１６】
【図１２】本発明の実施形態に係る信号強度を測定する方法の第５の例を示すフローチャートである。
【０１１７】
【図１３】本発明の実施形態に係る中継デバイスを示す第１の概略構造図である。
【０１１８】
【図１４】本発明の実施形態に係る中継デバイスを示す第２の概略構造図である。
【０１１９】
【図１５】本発明の実施形態に係る中継デバイスを示す第３の概略構造図である。
【０１２０】
【図１６】本発明の実施形態に係るリモートデバイスを示す第１の概略構造図である。
【０１２１】
【図１７】本発明の実施形態に係るリモートデバイスを示す第２の概略構造図である。
【０１２２】
【図１８】本発明の実施形態に係るリモートデバイスを示す第３の概略構造図である。
【０１２３】
【図１９】本発明の実施形態に係る中継デバイスを示す第１の構造ブロック図である。
【０１２４】
【図２０】本発明の実施形態に係る中継デバイスを示す第２の構造ブロック図である。
【０１２５】
【図２１】本発明の実施形態に係る中継デバイスを示す第３の構造ブロック図である。
【０１２６】
【図２２】本発明の実施形態に係るリモートデバイスを示す第１の構造ブロック図である。
【０１２７】
【図２３】本発明の実施形態に係るリモートデバイスを示す第２の構造ブロック図である。
【０１２８】
【図２４】本発明の実施形態に係るリモートデバイスを示す第３の構造ブロック図である。
【発明を実施するための形態】
【０１２９】
本発明の実施形態の目的、技術的解決手段および利点をより明確にするために、以下では、本発明の実施形態の添付図面を参照して本発明の実施形態における技術的解決手段を明確且つ十分に説明する。説明している実施形態は、本発明の実施形態の一部であって全てではないことは明らかである。本発明の実施形態に基づいて当業者が創造的努力なく得られる他の実施形態は全て、本発明の保護範囲に含まれるものとする。
【０１３０】
以下では、当業者が理解し易くなるように本発明におけるいくつかの用語を説明する。
【０１３１】
（１）本発明の実施形態において、中継サービスを享受するデバイスは、リモートデバイスと呼ばれる。リモートデバイスは、端末であってよく、例えば、Ｒｅｍｏｔｅ  ＵＥであってよく、または、別のデバイスであってもよい。
【０１３２】
本発明の実施形態において、中継サービスを提供するデバイスは、中継デバイスと呼ばれ、同様に端末であってよく、例えば、ＰｒｏＳｅ  ＵＥ−ｔｏ−ＮＷ  Ｒｅｌａｙであってよく、または、別のデバイスであってよい。
【０１３３】
（２）端末は、ユーザに音声および／またはデータを接続するデバイスであり、例えば、無線接続機能を持つ手持ちデバイス、または、無線モデムに接続されている処理デバイスを含むとしてよい。端末は、居住アクセスネットワーク（Ｒｅｓｉｄｅｎｔｉａｌ  Ａｃｃｅｓｓ  Ｎｅｔｗｏｒｋ、ＲＡＮ）を利用してコアネットワークと通信するとしてよく、ＲＡＮと音声および／またはデータをやり取りするとしてよい。端末は、ＵＥ、無線端末、移動端末、加入者ユニット（Ｓｕｂｓｃｒｉｂｅｒ  Ｕｎｉｔ）、加入者局（Ｓｕｂｓｃｒｉｂｅｒ  Ｓｔａｔｉｏｎ）、移動局（Ｍｏｂｉｌｅ  Ｓｔａｔｉｏｎ）、可動部（Ｍｏｂｉｌｅ）、リモート局（Ｒｅｍｏｔｅ  Ｓｔａｔｉｏｎ）、アクセスポイント（Ａｃｃｅｓｓ  Ｐｏｉｎｔ、ＡＰ）、リモート端末（Ｒｅｍｏｔｅ  Ｔｅｒｍｉｎａｌ）、アクセス端末（Ａｃｃｅｓｓ  Ｔｅｒｍｉｎａｌ）、ユーザ端末（Ｕｓｅｒ  Ｔｅｒｍｉｎａｌ）、ユーザエージェント（Ｕｓｅｒ  Ａｇｅｎｔ）、ユーザデバイス（Ｕｓｅｒ  Ｄｅｖｉｃｅ）等と呼ばれるとしてよい。例えば、端末は、携帯電話（または、「セルラー式」電話と呼ばれる）、移動端末を有するコンピュータ、または、携帯可能でポケットサイズであり手持ち型のコンピュータ内蔵型、または、車載型のモバイル装置であってよい。例えば、端末は、パーソナルコミュニケーションサービス（Ｐｅｒｓｏｎａｌ  Ｃｏｍｍｕｎｉｃａｔｉｏｎ  Ｓｅｒｖｉｃｅ、ＰＣＳ) 電話、コードレス電話セット、セッション確立プロトコル（Ｓｅｓｓｉｏｎ  Ｉｎｉｔｉａｔｉｏｎ  Ｐｒｏｔｏｃｏｌ、ＳＩＰ）電話、無線ローカルループ（Ｗｉｒｅｌｅｓｓ  Ｌｏｃａｌ  Ｌｏｏｐ、ＷＬＬ）局またはパーソナルデジタルアシスタント（Ｐｅｒｓｏｎａｌ  Ｄｉｇｉｔａｌ  Ａｓｓｉｓｔａｎｔ、ＰＤＡ）等のデバイスであってよい。
【０１３４】
（３）本発明の実施形態において「システム」および「ネットワーク」という用語は、同義語として利用されるとしてよい。「複数」という用語は「２またはそれ以上」を意味する。「および／または」という用語は、互いに関連する複数のものを説明するための対応関係を説明し、３つの関係が存在し得ることを表す。例えば、Ａおよび／またはＢは、以下の３つの場合、つまり、Ａのみが存在すること、ＡおよびＢの両方が存在すること、ならびにＢのみが存在することを表し得る。さらに、「／」という記号は概して、特段の説明がない限り、互いに関連する複数のものの間の「または」という関係を示す。
【０１３５】
以下では添付図面を参照しつつ本発明の実施形態の方法の例を説明する。
【０１３６】
Ｉ．モデルＡの実施形態を最初に説明する。
【０１３７】
図２を参照すると、本発明の実施形態は第１の信号強度を測定する方法を提供する。当該方法の手順を以下で説明する。
【０１３８】
ステップ２０１：第１の中継デバイスが第１のメッセージをブロードキャストする。第１のメッセージは、第１の中継デバイスを発見するべく、リモートデバイスによって利用される。
【０１３９】
ステップ２０２：第１の中継デバイスは、リモートデバイスにおける第１のリモートデバイスに対する接続を確立する。
【０１４０】
ステップ２０３：第１の中継デバイスは第２のメッセージを送信する。第２のメッセージは、リモートデバイスと第１の中継デバイスとの間のリンクの信号強度を測定するべく、リモートデバイスによって利用される。
【０１４１】
図３を参照すると、本発明の実施形態は第２の信号強度を測定する方法を提供する。当該方法は、図２に示す第１の信号強度を測定する方法に対応する方法である。当該方法の手順を以下で説明する。
【０１４２】
ステップ３０１：第１のリモートデバイスが中継デバイスがブロードキャストする第１のメッセージを受信する。第１のメッセージは、中継デバイスを発見するべく第１のリモートデバイスによって利用される。
【０１４３】
ステップ３０２：第１のリモートデバイスは、中継デバイスにおける第１の中継デバイスに対する接続を確立する。
【０１４４】
ステップ３０３：第１のリモートデバイスは、第１の中継デバイスが送信する第２のメッセージを受信する。第２のメッセージは、第１のリモートデバイスと第１の中継デバイスとの間のリンクの信号強度を測定するべく、第１のリモートデバイスによって利用される。
【０１４５】
図２および図３に示す方法は対応する方法であるので、以下ではこれらの方法をまとめて説明する。
【０１４６】
実際に適用する場合、複数の中継デバイスおよび複数のリモートデバイスが含まれる。各中継デバイスは、複数のリモートデバイスに対する接続を確立するとしてよい。方法は同様である。本発明の実施形態では、説明の際に一例として、１つのリモートデバイス（例えば、第１のリモートデバイスと呼ばれる）を利用する。
【０１４７】
Ｄ２Ｄ技術におけるモデルＡについて、第１の中継デバイスがいずれのリモートデバイスに対しても接続を確立していないうちに、第１の中継デバイスは第１のメッセージ（例えば、第１のメッセージは上述したＡｎｎｏｕｎｃｅｍｅｎｔ  ｍｅｓｓａｇｅであってよい）をブロードキャストするとしてよく、これによって、第１のメッセージを受信した後、リモートデバイスは中継デバイスを選択して接続を確立するとしてよい。複数の中継デバイスがある場合、これら複数の中継デバイスはすべて、第１のメッセージをブロードキャストすることができるとしてよく、各リモートデバイスは複数の中継デバイスがブロードキャストする第１のメッセージを受信するとしてよい。このため、リモートデバイスは複数の中継デバイスから１つの中継デバイスを選択してアクセスを実行するとしてよい。例えば、第１のリモートデバイスは第１の中継デバイスにアクセスすることを選択する。
【０１４８】
第１のリモートデバイスに対する接続を確立した後、第１の中継デバイスは第２のメッセージの送信を開始するとしてよく、つまり、第１の中継デバイスは、リモートデバイスが第１の中継デバイスに対する接続を確立した場合に限り、第２のメッセージの送信を開始することができる。第１の中継デバイスに接続されるリモートデバイスが存在しない場合、第１の中継デバイスは、第２のメッセージの送信を停止するとしてよく、これによって送信リソースを節約する。第１の中継デバイスに接続されているリモートデバイス（例えば、第１のリモートデバイス）は、第２のメッセージを受信した後、第２のメッセージにしたがって、リモートデバイスと第１の中継デバイスとの間のリンク（例えば、ＰＣ５リンク）の信号強度を測定するとしてよく、これによって、リモートデバイスは第１の中継デバイスへのアクセスを継続するか、または、別の中継デバイスに再アクセスするかを判断するとしてよい。
【０１４９】
任意で、第２のメッセージは第１のメッセージと同一であり、第１のメッセージおよび第２のメッセージはそれぞれ、第１の中継デバイスがアクセス上限に到達したか否かの指標を保持する（説明の便宜上、この指標は第１の指標と呼ぶ）。第１のメッセージおよび第２のメッセージは、第１の中継デバイスを発見するべく、および、リモートデバイスと第１の中継デバイスとの間のリンクの信号強度を測定するべく、リモートデバイスによって利用される。
【０１５０】
例えば、第１のメッセージがＡｎｎｏｕｎｃｅｍｅｎｔ  ｍｅｓｓａｇｅである場合、第２のメッセージもＡｎｎｏｕｎｃｅｍｅｎｔ  ｍｅｓｓａｇｅであってよい。
【０１５１】
第１の中継デバイスが、第１の中継デバイスにアクセスしたリモートデバイスに加えて、ブロードキャスト方式で第２のメッセージを送信する場合、第１の中継デバイスにアクセスしていないリモートデバイスが第２のメッセージを受信するとしてよい。１つの中継デバイスを接続することができるリモートデバイスの量には必ず上限がある。第１の中継デバイスに接続されているリモートデバイスの量が上限に到達している場合、中継デバイスがさらに、第１の中継デバイスにアクセスしていないリモートデバイスのために、Ａｎｎｏｕｎｃｅｍｅｎｔ  ｍｅｓｓａｇｅを続けて送信すれば、つまり、第２のメッセージを続けて送信すれば、第２のメッセージに指標が無ければ、リモートデバイスは第１の中継デバイスは中継サービスの提供を継続できると見なす場合があるので、リモートデバイスは第１の中継デバイスへのアクセスを要求し続けるとしてよい。リモートデバイスが第１の中継デバイスに要求を送信した後にアクセスを完了できないことは明らかである。つまり、第１の中継デバイスにアクセスしていない他のリモートデバイスおよび第１の中継デバイスは全て、不要な処理を実行することになり、消費電力が相対的に大きくなる。実施形態において第１のメッセージは第２のメッセージと同一であるので、第１のメッセージの問題は第２のメッセージの問題と同一である。例えば、第１の中継デバイスが一種類のメッセージを最初から最後まで送信すると理解され得る。このメッセージは、第１のメッセージと呼ばれるとしてよく、または、第２のメッセージと呼ばれるとしてもよい。
【０１５２】
この問題を解決するべく、本発明の実施形態では、第１のメッセージまたは第２のメッセージはさらに第１の指標を保持するとしてよい。第１の指標は、第１の中継デバイスが別のリモートデバイスに対して中継サービスを提供できるか否か、つまり、第１の中継デバイスがアクセス上限に到達しているか否かを示すべく利用される。
【０１５３】
任意で、第１の中継デバイスがアクセス上限に到達したか否かの指標は具体的に、
第１の中継デバイスがアクセス上限に到達している場合に第１の中継デバイスがリモートデバイスに対する中継サービスを提供できないこと、または、
第１の中継デバイスがアクセス上限に到達していない場合に第１の中継デバイスがリモートデバイスに対する中継サービスを提供できること
を示すべく利用される。
【０１５４】
つまり、第１の中継デバイスが別のリモートデバイスのための中継サービスをさらに提供する場合、第１の中継デバイスが送信する第１のメッセージおよび／または第２のメッセージに含まれる第１の指標は、第１の中継デバイスが中継サービスを提供できる旨を示すために利用されるとしてよい。第１の中継デバイスが別のリモートデバイスに対する中継サービスを提供できなくなった後、第１の中継デバイスが送信する第１のメッセージおよび／または第２のメッセージに含まれる第１の指標は、第１の中継デバイスがリモートデバイスに対する中継サービスを提供できない旨を示すために利用されるとしてよい。このため、第１の中継デバイスが第１のメッセージまたは第２のメッセージをブロードキャストする場合、第１のメッセージを受信した後、第１の中継デバイスにアクセスしていないリモートデバイスは、第１の指標にしたがって、第１の中継デバイスにさらにアクセスできるか否かを知るとしてよく、これによって、リモートデバイスは不要な処理をせずに済み、デバイス消費電力が減少し、情報をやり取りするプロセスが減少し、送信リソースの節約となる。
【０１５５】
任意で、第１の指標は、Ａｎｎｏｕｎｃｅｍｅｎｔ  ｍｅｓｓａｇｅで保持される中継サービスコードワード（Ｒｅｌａｙ  Ｓｅｒｖｉｃｅ  Ｃｏｄｅ）内にフラグビットを設定することによって実装されるとしてよい。例えば、Ｒｅｌａｙ  Ｓｅｒｖｉｃｅ  Ｃｏｄｅの最上位ビットまたは最下位ビット等の１ビットを利用することによって示されるとしてよい。例えば、このビットの値が「０」である場合、第１の中継デバイスはリモートデバイスによってアクセスできない旨を示している。このビットの値が「１」である場合、第１の中継デバイスはリモートデバイスによってアクセスできる旨を示している。
【０１５６】
任意で、別個の情報要素（Ｉｎｆｏｒｍａｔｉｏｎ  ｅｌｅｍｅｎｔ、ＩＥ）を第１の指標として利用するとしてよい。例えば、中継オーバーロード指標（Ｒｅｌａｙ  Ｏｖｅｒｌｏａｄ  Ｉｎｄｉｃａｔｏｒ）をＡｎｎｏｕｎｃｅｍｅｎｔ Ｍａｓｓａｇｅに追加するとしてよく、第１の指標の機能はＲｅｌａｙ  Ｏｖｅｒｌｏａｄ  Ｉｎｄｉｃａｔｏｒを利用することで果たされる。例えば、Ｒｅｌａｙ  Ｏｖｅｒｌｏａｄ  Ｉｎｄｉｃａｔｏｒの種類は、ブーリアン（Ｂｏｏｌｅａｎ）型である。Ｒｅｌａｙ  Ｏｖｅｒｌｏａｄ  Ｉｎｄｉｃａｔｏｒの値が「偽」である場合、第１の中継デバイスはリモートデバイスによってアクセスできない旨を示している。Ｒｅｌａｙ  Ｏｖｅｒｌｏａｄ  Ｉｎｄｉｃａｔｏｒの値が「真」である場合、第１の中継デバイスがリモートデバイスによってアクセスできることを示す。
【０１５７】
任意で、第１のリモートデバイスに対する接続を第１の中継デバイスによって確立した後、
第１の中継デバイスがリモートデバイスに対する中継サービスを提供できる場合、第１の中継デバイスは、第１のメッセージを送信するときに、第２のメッセージを送信し、第２のメッセージは第１の中継デバイスの識別子を保持しており、または、
第１の中継デバイスがリモートデバイスに対する中継サービスを提供できる場合、第１の中継デバイスは、第２のメッセージを送信し、第２のメッセージは第１のメッセージと同一であり、第１のメッセージまたは第２のメッセージは、第１の中継デバイスを発見するべく、および、リモートデバイスと第１の中継デバイスとの間のリンクの信号強度を測定するべくリモートデバイスによって利用されるか、もしくは、第１の中継デバイスがリモートデバイスに対する中継サービスを提供できない場合、第１の中継デバイスは、第２のメッセージの送信を停止して、第３のメッセージの送信を開始し、第３のメッセージは第１の中継デバイスの識別子を保持し、または、
第１の中継デバイスがリモートデバイスに対する中継サービスを提供できない場合、第１の中継デバイスは、第１のメッセージの送信を停止して、第２のメッセージの送信を開始し、第２のメッセージは第１の中継デバイスの識別子を保持する。
【０１５８】
任意で、第１のリモートデバイスが第１の中継デバイスに対する接続を確立した後、
第１の中継デバイスがリモートデバイスに対する中継サービスを提供できる場合、第１のリモートデバイスは、第１のメッセージまたは第２のメッセージをモニタリングして受信し、第１のメッセージおよび第２のメッセージはそれぞれ、第１の中継デバイスの識別子を保持し、または、
第１の中継デバイスがリモートデバイスに対する中継サービスを提供できる場合、第１のリモートデバイスは、第２のメッセージをモニタリングして受信し、第２のメッセージは第１のメッセージと同一であり、第１のメッセージまたは第２のメッセージは第１の中継デバイスを発見するべく、および、第１のリモートデバイスと第１の中継デバイスとの間のリンクの信号強度を測定するべく第１のリモートデバイスによって利用され、もしくは、第１の中継デバイスがリモートデバイスに対する中継サービスを提供できない場合、第１のリモートデバイスは、第２のメッセージのモニタリングを停止して、第３のメッセージのモニタリングを開始し、第３のメッセージは、第１の中継デバイスの識別子を保持しており、または、
第１の中継デバイスがリモートデバイスに対する中継サービスを提供できない場合、第１のリモートデバイスは、第２のメッセージをモニタリングして、第２のメッセージは、第１の中継デバイスの識別子を保持する。
【０１５９】
つまり、リモートデバイスに対する接続を確立する前に、第１の中継デバイスは第１のメッセージをブロードキャストする。リモートデバイスに対する接続が確立された後、２つのメッセージ送信方式が存在する。
【０１６０】
１．アクセス上限に到達する前、第１の中継デバイスは第１のメッセージをブロードキャストし続け、同時に、第２のメッセージを送信する。このため、第１の中継デバイスにアクセスした第１のリモートデバイスは、第１のメッセージまたは第２のメッセージをモニタリングして受信するとしてよい。アクセス上限に到達した後、第１の中継デバイスは、第１のメッセージのブロードキャストを停止して第２のメッセージのみを送信するとしてよい。このため、第１のリモートデバイスが第１のメッセージをモニタリングできない場合、第１のリモートデバイスは第２のメッセージのみをモニタリングして受信するとしてよい。つまり、この方式では、中継デバイスは第１のメッセージおよび第２のメッセージを同時にブロードキャストするとしてよい。このように、第１の中継デバイスにアクセスしていないリモートデバイスが、第１のメッセージにしたがって、中継デバイスにアクセスすることを選択するとしてよく、第１の中継デバイスにアクセスしたリモートデバイスは第１のメッセージまたは第２のメッセージにしたがって信号強度を測定するとしてよい。このため、異なるリモートデバイスという要求が満たされ得る。
【０１６１】
第２のメッセージは第１の中継デバイスの識別子を保持しているとしてよく、これによって、第１の中継デバイスにアクセスしたリモートデバイス（例えば、第１のリモートデバイス）は第１の中継デバイスの識別子にしたがって第２のメッセージをモニタリングするとしてよい。
【０１６２】
任意で、第２のメッセージは、信号強度を測定するために利用されるメッセージであってよい。例えば、第２のメッセージは、Ａｎｎｏｕｎｃｅｍｅｎｔ  ｍｅｓｓａｇｅであってよく、または、別のメッセージであってよく、例えば、参照メッセージ（Ｒｅｆｅｒｅｎｃｅ  ｍｅｓｓａｇｅ）であってよい。第２のメッセージの種類が具体的にどの種類であっても、第２のメッセージは第１の中継デバイスの識別子を保持しているとしてよい。第２のメッセージがＡｎｎｏｕｎｃｅｍｅｎｔ  ｍｅｓｓａｇｅである場合、一般的にＡｎｎｏｕｎｃｅｍｅｎｔ  ｍｅｓｓａｇｅは本来第１の中継デバイスの識別子を保持するので、第１の中継デバイスの別の識別子は、この場合、さらにＡｎｎｏｕｎｃｅｍｅｎｔ  ｍｅｓｓａｇｅに追加する必要はない。第２のメッセージがＲｅｆｅｒｅｎｃｅ  ｍｅｓｓａｇｅ等の別のメッセージである場合、第１の中継デバイスの識別子または第１のコードワードのうち少なくとも１つが第２のメッセージに追加されるとしてよい。
【０１６３】
２．第１のリモートデバイスに対する接続を確立した後、第１の中継デバイスは第１のメッセージの送信を停止する。アクセス上限に到達する前、第１の中継デバイスは、第２のメッセージを送信する。この場合、第２のメッセージおよび第１のメッセージは同一であり、例えば、どちらもＡｎｎｏｕｎｃｅｍｅｎｔ  ｍｅｓｓａｇｅであってよい。第１の中継デバイスにアクセスした第１のリモートデバイスおよび第１の中継デバイスにアクセスしていないリモートデバイスはどちらも、第２のメッセージをモニタリングして受信するとしてよい。アクセス上限に到達した後、中継デバイスは、第２のメッセージの送信を停止して第３のメッセージの送信を開始するとしてよい。第１のリモートデバイスは第３のメッセージをモニタリングして受信するとしてよい。つまり、このように、第１のリモートデバイスに対する接続を確立した後、第１の中継デバイスは最初に第２のメッセージを送信して、その後でアクセス上限に到達した後に第３のメッセージを送信するとしてよい。このように、第１の中継デバイスが一度に送信する必要があるのは一種類のメッセージのみなので、中継デバイスに対する負荷は比較的軽い。
【０１６４】
第３のメッセージは第１の中継デバイスの識別子を保持しており、第１のリモートデバイスは第１の中継デバイスの識別子にしたがって第３のメッセージをモニタリングして受信するとしてよい。
【０１６５】
任意で、第３のメッセージは、信号強度を測定するために利用されるメッセージであってよい。例えば、第３のメッセージは、Ａｎｎｏｕｎｃｅｍｅｎｔ  ｍｅｓｓａｇｅであってよく、または、別のメッセージであってよく、例えば、Ｒｅｆｅｒｅｎｃｅ  ｍｅｓｓａｇｅであってよい。第３のメッセージの種類が具体的にどの種類であっても、第３のメッセージは第１の中継デバイスの識別子を保持しているとしてよい。第３のメッセージがＡｎｎｏｕｎｃｅｍｅｎｔ  ｍｅｓｓａｇｅである場合、一般的にＡｎｎｏｕｎｃｅｍｅｎｔ  ｍｅｓｓａｇｅは本来、第１の中継デバイスの識別子を保持するので、第１の中継デバイスの別の識別子は、この場合、さらにＡｎｎｏｕｎｃｅｍｅｎｔ  ｍｅｓｓａｇｅに追加する必要はない。第３のメッセージがＲｅｆｅｒｅｎｃｅ  ｍｅｓｓａｇｅ等の別のメッセージである場合、第１の中継デバイスの識別子または第１のコードワードのうち少なくとも１つが第３のメッセージに追加されるとしてよい。
【０１６６】
任意で、第１の中継デバイスの識別子は、第１の中継デバイスが送信する第１のメッセージ、第２のメッセージまたは第３のメッセージを識別するべく第１のリモートデバイスによって利用される。
【０１６７】
第１の中継デバイスの識別子は、第１の中継デバイスを識別するために利用される第１のコードワードまたは第１の中継デバイスの識別子のうち少なくとも１つを含む。
【０１６８】
第１の中継デバイスが送信するメッセージを識別する方式は、これに限定されないが、フィルタリング（ｆｉｌｔｅｒ）を含む。
【０１６９】
任意で、第１のコードワードが第１の中継デバイスの識別情報を示すべく利用できる限りにおいて、第１のコードワードは中継参照コードワード（Ｒｅｌａｙ  Ｒｅｆｅｒｅｎｃｅ  Ｃｏｄｅ）であってよく、または、もちろん別のコードワードであってもよい。
【０１７０】
任意で、第１の中継デバイスの識別子が第１の中継デバイスを一意的に識別するべく利用され得る限りにおいて、第１の中継デバイスの識別子は、例えば、第１の中継デバイスの近接ベースサービスユーザ機器識別番号（ＰｒｏＳｅ  ＵＥ  ＩＤ）であってもよいし、または、第１の中継デバイスの別の可能な識別子であってもよい。第１の中継デバイスの識別子は、第１の中継デバイスが元々持っている識別子であってよい。または、第１の中継デバイスによって、第１のリモートデバイスに対する接続を確立した後で、第１の中継デバイスに割り当てられる識別子であってよい。そして、接続が確立されているリモートデバイスとの通信のプロセスにおいて、第１の中継デバイスの識別情報を識別するために用いられるとしてよい。
【０１７１】
任意で、第１の中継デバイスが第２のメッセージを送信することは、
第２のメッセージを第１の中継デバイスによってブロードキャストすること、または、
第２のメッセージをリモートデバイスにユニキャスト方式またはマルチキャスト方式で第１の中継デバイスによって送信することを含む。
【０１７２】
つまり、第１の中継デバイスが第２のメッセージを送信する方式は、本発明の実施形態に限定されない。
【０１７３】
ＩＩ．以上ではモデルＡの実施形態を説明した。以下では、モデルＢの実施形態を説明する。
【０１７４】
図４を参照すると、同一の発明概念に基づき、本発明の実施形態は第３の信号強度を測定する方法を提供する。当該方法の手順を以下で説明する。
【０１７５】
ステップ４０１：中継デバイスが第１のリモートデバイスが送信する第１のメッセージを受信する。第１のメッセージは、中継サービスを提供するよう中継デバイスに要求するべく第１のリモートデバイスによって利用される。
【０１７６】
ステップ４０２：中継デバイスは、第２のメッセージを送信する。第２のメッセージは、中継デバイスを発見するべく第１のリモートデバイスによって利用される。
【０１７７】
ステップ４０３：中継デバイスにおける第１の中継デバイスは、第１のリモートデバイスに対する接続を確立する。
【０１７８】
ステップ４０４：第１の中継デバイスは、第１のリモートデバイスが送信した第３のメッセージを受信する。第３のメッセージは、測定サービスを提供するよう第１の中継デバイスに要求するべく、第１のリモートデバイスによって利用される。
【０１７９】
図５を参照すると、同一の発明概念に基づき、本発明の実施形態は第４の信号強度を測定する方法を提供する。当該方法の手順を以下で説明する。
【０１８０】
ステップ５０１：第１のリモートデバイスが第１のメッセージを中継デバイスに送信する。第１のメッセージは、中継サービスを提供するよう中継デバイスに要求するべく第１のリモートデバイスによって利用される。
【０１８１】
ステップ５０２：第１のリモートデバイスは、中継デバイスが送信した第２のメッセージを受信する。第２のメッセージは、中継デバイスを発見するべく第１のリモートデバイスによって利用される。
【０１８２】
ステップ５０３：第１のリモートデバイスは中継デバイスにおける第１の中継デバイスに対する接続を確立する。
【０１８３】
ステップ５０４：第１のリモートデバイスは、第３のメッセージを第１の中継デバイスに送信する。第３のメッセージは、測定サービスを提供するよう第１の中継デバイスに要求するべく、第１のリモートデバイスによって利用される。
【０１８４】
図４および図５に示す方法は対応する方法であるので、以下ではこれらの方法をまとめて説明する。
【０１８５】
モデルＢでは、第１のリモートデバイスが中継デバイスにアクセスしていない場合、第１のリモートデバイスがアクセスを実行する必要があれば、第１のリモートデバイスは、中継サービスを提供するよう中継デバイスに要求するべく、第１のメッセージを送信するとしてよく、例えば、ブロードキャスト方式で第１のメッセージを送信するとしてよい。例えば、第１のメッセージは、上述したＳｏｌｉｃｉｔａｔｉｏｎ  ｒｅｑｕｅｓｔであってよい。このため、第１のメッセージはブロードキャスト方式で送信されるので、複数の中継デバイスが第１のメッセージを受信するとしてよく、これによって、第１のリモートデバイスが必要とするサービスを提供できる中継デバイスがリモートデバイスに第２のメッセージをブロードキャストするとしてよい。例えば、第２のメッセージは、上述したＲｅｓｐｏｎｓｅ  ｍｅｓｓａｇｅであってよい。これら複数の中継デバイスが全てＲｅｓｐｏｎｓｅ  ｍｅｓｓａｇｅをブロードキャストする場合、第１のリモートデバイスは、受信したＲｅｓｐｏｎｓｅ  ｍｅｓｓａｇｅにしたがって、アクセスするための１つの中継デバイスを複数の中継デバイスから選択するとしてよい。例えば、第１のリモートデバイスは第１の中継デバイスを選択する。
【０１８６】
モデルＢにおいて、第１の中継デバイスに対する接続を確立した後で第１のリモートデバイスが第１のリモートデバイスと第１の中継デバイスとの間のリンクの信号強度を測定する必要がある場合（例えば、第１のリモートデバイスがユーザのトリガ動作を受信する場合、または、第１のリモートデバイスが定期的な測定を実行する場合）、第１のリモートデバイスは第３のメッセージを第１の中継デバイスに送信するとしてよい。第３のメッセージは、測定サービスを提供するよう第１の中継デバイスに要求するべく利用される。
【０１８７】
任意で、第３のメッセージが測定サービスを提供するよう第１の中継デバイスに要求するために利用される場合に限り、第３のメッセージは、例えば、Ｓｏｌｉｃｉｔａｔｉｏｎ  ｒｅｑｕｅｓｔであってよく、または、別のメッセージであってよい。
【０１８８】
任意で、第１のリモートデバイスが第１の中継デバイスに対して第３のメッセージを送信することは、
第３のメッセージが第１の中継デバイスの識別子を保持する場合、第１の中継デバイスが送信した第４のメッセージを受信すると第１のリモートデバイスが判断することをさらに含み、第４のメッセージは、第１のリモートデバイスと第１の中継デバイスとの間のリンクの信号強度を測定するべく第１のリモートデバイスによって利用される。
【０１８９】
任意で、第１のリモートデバイスが送信する第３のメッセージを第１の中継デバイスが受信することは、
第３のメッセージが第１の中継デバイスの識別子を保持する場合、第１の中継デバイスが第４のメッセージを第１のリモートデバイスに送信すると、第１の中継デバイスが判断することをさらに含み、第４のメッセージは、第１のリモートデバイスと第１の中継デバイスとの間のリンクの信号強度を測定するべく第１のリモートデバイスによって利用される。
【０１９０】
第１のリモートデバイスは、第１のリモートデバイスに接続されている中継デバイス（つまり、第１の中継デバイス）が提供する測定サービスを要求したいので、そして、第１のリモートデバイスはブロードキャスト方式で第３のメッセージを送信するので、複数の中継デバイスが第３のメッセージを受信できるとしてよい。第３のメッセージを受信する中継デバイスが全て第４のメッセージで応答する場合、第１のリモートデバイスに対する負荷および別の中継デバイスに対する負荷が増加し、送信リソースは相対的に無駄になってしまう。このため、本発明の実施形態では第３のメッセージは第１の中継デバイスの識別子を保持しているとしてよく、このため、第３のメッセージを受信する中継デバイスは最初に、第３のメッセージに保持されている中継デバイスの識別子を判断するとしてよい。第３のメッセージに保持されている中継デバイスの識別子が中継デバイスの識別子ではない場合、中継デバイスは第３のメッセージに応答しないとしてよく、例えば、第３のメッセージを破棄するとしてよく、これによって第１のリモートデバイスに対する干渉が発生しないように回避し、送信リソースを節約する。
【０１９１】
任意で、第１のリモートデバイスが送信する第３のメッセージを第１の中継デバイスが受信した後、方法はさらに、
第３のメッセージが測定サービスを提供するよう要求するための識別子を保持する場合、第３のメッセージが第１のリモートデバイスによって送信されたと第１の中継デバイスによって判断し、第１のリモートデバイスに第４のメッセージを第１の中継デバイスによって送信する段階であって、第４のメッセージは第１のリモートデバイスと第１の中継デバイスとの間のリンクの信号強度を測定するべく第１のリモートデバイスによって利用される、段階を備える。
【０１９２】
任意で、第１の中継デバイスに対して第３のメッセージを第１のリモートデバイスが送信した後、方法はさらに、
第３のメッセージが測定サービスを要求するための識別子を保持する場合、第１の中継デバイスが送信する第４のメッセージを第１のリモートデバイスによって受信する段階であって、第４のメッセージは第１のリモートデバイスと第１の中継デバイスとの間のリンクの信号強度を測定するべく第１のリモートデバイスによって利用される、段階を備える。
【０１９３】
第１のリモートデバイスは、第１のリモートデバイスに接続されている中継デバイス（つまり、第１の中継デバイス）が提供する測定サービスを要求したいので、そして、第１のリモートデバイスはブロードキャスト方式で第３のメッセージを送信するので、複数の中継デバイスが第３のメッセージを受信できるとしてよい。第３のメッセージを受信する中継デバイスが全て第４のメッセージで応答する場合、第１のリモートデバイスに対する負荷および別の中継デバイスに対する負荷が増加し、送信リソースは相対的に無駄になってしまう。このため、本発明の実施形態では、第３のメッセージは測定サービスを要求するための識別子を保持しているとしてよく、このため、第３のメッセージを受信する中継デバイスは最初に、第３のメッセージに保持されている識別子を判断するとしてよい。第３のメッセージに保持されている識別子が測定サービスを要求するための識別子である場合、第１のリモートデバイスに接続されていない中継デバイスは第３のメッセージに応答しないとしてよく、例えば、第３のメッセージを破棄するとしてよく、これによって第１のリモートデバイスに対する干渉が発生しないように回避し、送信リソースを節約する。
【０１９４】
さらに、第３のメッセージは測定サービスを提供するよう要求するべく利用されるので、第３のメッセージは測定サービスを要求するための識別子を保持するとしてよい。このように、第３のメッセージを受信した後、第１の中継デバイスはさらに、どのように第３のメッセージに応答するかも判断するとしてよい。
【０１９５】
第３のメッセージを受信した後、第１の中継デバイスが第３のメッセージが測定サービスを要求するための識別子を保持していると判断する場合、第１の中継デバイスは第３のメッセージの送信者が第１のリモートデバイスであると判断するので、第１の中継デバイスは第４のメッセージを第１のリモートデバイスに送信するとしてよい。第４のメッセージは、第１のリモートデバイスと第１の中継デバイスとの間のリンクの信号強度を測定するべく第１のリモートデバイスによって利用されるとしてよい。
【０１９６】
任意で、第４のメッセージは、信号強度を測定するためにリモートデバイスによって利用されるメッセージであってよい。例えば、第４のメッセージは、Ｒｅｓｐｏｎｓｅ  ｍｅｓｓａｇｅであってよく、または、別のメッセージであってよく、例えば、Ｒｅｆｅｒｅｎｃｅ  ｍｅｓｓａｇｅであってよい。
【０１９７】
任意で、第４のメッセージは第１の中継デバイスの識別子を保持している。第１の中継デバイスの識別子は、第１の中継デバイスを識別するために利用される第１のコードワードまたは第１の中継デバイスの識別子のうち少なくとも１つを含む。
【０１９８】
第１のコードワードおよび第１の中継デバイスの識別子については上記で説明しており、繰り返し説明しない。
【０１９９】
図４および図５に提供している技術的解決手段によると、第１のリモートデバイスが、第１の中継デバイスに対する接続を確立した後で、第１のリモートデバイスと第１の中継デバイスとの間のリンクの信号強度を測定する必要がある場合、第１のリモートデバイスは第３のメッセージを第１の中継デバイスに送信するとしてよい。第３のメッセージを受信した後、第１の中継デバイスは、第４のメッセージで応答するとしてよく、これによって、第１のリモートデバイスは測定を実行するとしてよい。このため、リモートデバイスは中継デバイスに対する接続を確立した後ではリンクの信号強度を測定できないという技術的課題が解決され、リモートデバイスはリンクをより自律的に利用する。
【０２００】
図６を参照すると、同一の発明概念に基づき、本発明の実施形態は第５の信号強度を測定する方法を提供する。当該方法の手順を以下で説明する。
【０２０１】
ステップ６０１：中継デバイスが第１のリモートデバイスが送信する第１のメッセージを受信する。第１のメッセージは、中継サービスを提供するよう中継デバイスに要求するべく第１のリモートデバイスによって利用される。
【０２０２】
ステップ６０２：中継デバイスは、第２のメッセージを送信する。第２のメッセージは、中継デバイスを発見するべく第１のリモートデバイスによって利用される。
【０２０３】
ステップ６０３：中継デバイスにおける第１の中継デバイスは、第１のリモートデバイスに対する接続を確立する。
【０２０４】
ステップ６０４：第１の中継デバイスは、第４のメッセージを送信する。第４のメッセージは、第１のリモートデバイスと第１の中継デバイスとの間のリンクの信号強度を測定するべく第１のリモートデバイスによって利用される。
【０２０５】
図７を参照すると、同一の発明概念に基づき、本発明の実施形態は第６の信号強度を測定する方法を提供する。当該方法の手順を以下で説明する。
【０２０６】
ステップ７０１：第１のリモートデバイスが第１のメッセージを中継デバイスに送信する。第１のメッセージは、中継サービスを提供するよう中継デバイスに要求するべく、第１のリモートデバイスによって利用される。
【０２０７】
ステップ７０２：第１のリモートデバイスは、中継デバイスが送信した第２のメッセージを受信する。第２のメッセージは、中継デバイスを発見するべく第１のリモートデバイスによって利用される。
【０２０８】
ステップ７０３：第１のリモートデバイスは中継デバイスにおける第１の中継デバイスに対する接続を確立する。
【０２０９】
ステップ７０４：第１のリモートデバイスは、第１の中継デバイスが送信した第４のメッセージを受信する。第４のメッセージは、第１のリモートデバイスと第１の中継デバイスとの間のリンクの信号強度を測定するべく、第１のリモートデバイスによって利用される。
【０２１０】
図６および図７に示す方法は対応する方法であるので、以下ではこれらの方法をまとめて説明する。
【０２１１】
図６および図７に示す方法と、図４および図５に示す方法との間の相違点は、以下の通りである。第１のリモートデバイスが第１の中継デバイスに対する接続を確立した後、第１のリモートデバイスは第３のメッセージを送信する必要がないが、第１の中継デバイスは能動的に第４のメッセージを送信するので、第１のリモートデバイスは第４のメッセージを受信するとしてよく、第４のメッセージは、第１のリモートデバイスと第１の中継デバイスとの間のリンクの信号強度を測定するべく第１のリモートデバイスによって利用されるとしてよい。
【０２１２】
任意で、第４のメッセージは、信号強度を測定するために、リモートデバイスによって利用されるメッセージであってよい。例えば、第４のメッセージは、Ｒｅｓｐｏｎｓｅ  ｍｅｓｓａｇｅであってよく、または、別のメッセージであってよく、例えば、Ｒｅｆｅｒｅｎｃｅ  ｍｅｓｓａｇｅであってよい。
【０２１３】
任意で、第４のメッセージは第１の中継デバイスの識別子を保持している。第１の中継デバイスの識別子は、第１の中継デバイスを識別するために利用される第１のコードワードまたは第１の中継デバイスの識別子のうち少なくとも１つを含む。
【０２１４】
第１のコードワードおよび第１の中継デバイスの識別子については上記で説明しており、繰り返し説明しない。
【０２１５】
図６および図７に提供している技術的解決手段によると、第１のリモートデバイスが第１の中継デバイスに対する接続を確立した後で、第１の中継デバイスが能動的に第４のメッセージを送信するとしてよく、これによって第１のリモートデバイスは、実行する処理を増やすことなく、測定を実行するとしてよい。このため、リモートデバイスに対する負荷が軽減され、リモートデバイスは中継デバイスに対する接続を確立した後ではリンクの信号強度を測定できないという技術的課題が解決され、リモートデバイスはリンクをより自律的に利用する。
【０２１６】
以下では、いくつかの例を用いて、本発明の実施形態で提供する信号強度を測定する方法を説明する。例を用いる場合、モデルＡおよびモデルＢは別個に例として用いられる。
【０２１７】
Ｉ．モデルＡ
【０２１８】
例１
【０２１９】
図８を参照。
【０２２０】
１．ＰｒｏＳｅ  ＵＥ−ｔｏ−ＮＷ  Ｒｅｌａｙが、Ａｎｎｏｕｎｃｅｍｅｎｔ  ｍｅｓｓａｇｅをブロードキャストする。Ａｎｎｏｕｎｃｅｍｅｎｔ  ｍｅｓｓａｇｅは、ＰｒｏＳｅ  ＵＥ−ｔｏ−ＮＷ  ＲｅｌａｙがＲｅｍｏｔｅ  ＵＥによってアクセスできるか否かを示す第１の指標を保持しており、つまり、Ａｎｎｏｕｎｃｅｍｅｎｔ  ｍｅｓｓａｇｅは、第１のメッセージである。
【０２２１】
２．Ａｎｎｏｕｎｃｅｍｅｎｔ  ｍｅｓｓａｇｅを受信した後、Ｒｅｍｏｔｅ  ＵＥはＰｒｏＳｅ  ＵＥ−ｔｏ−ＮＷ  Ｒｅｌａｙに対する接続を確立する。
【０２２２】
３．Ｒｅｍｏｔｅ  ＵＥは、中継サービスを現在提供しているＰｒｏＳｅ  ＵＥ−ｔｏ−ＮＷ  Ｒｅｌａｙが送信するＡｎｎｏｕｎｃｅｍｅｎｔ  ｍｅｓｓａｇｅを継続的にモニタリングする。Ａｎｎｏｕｎｃｅｍｅｎｔ  ｍｅｓｓａｇｅは、この場合は、第２のメッセージであり、つまり、例１において第１のメッセージは第２のメッセージと同一である。
【０２２３】
Ｒｅｍｏｔｅ  ＵＥは、Ａｎｎｏｕｎｃｅｍｅｎｔ  ｍｅｓｓａｇｅに保持されているＰｒｏＳｅ  ＵＥ  ＩＤを用いて、Ａｎｎｏｕｎｃｅｍｅｎｔ  ｍｅｓｓａｇｅの送信者を判断するとしてよく、または、Ａｎｎｏｕｎｃｅｍｅｎｔ  ｍｅｓｓａｇｅに保持されているＲｅｌａｙ  Ｓｅｒｖｉｃｅ  ＣｏｄｅおよびＰｒｏＳｅ  ＵＥ  ＩＤを参照しつつ、Ａｎｎｏｕｎｃｅｍｅｎｔ  ｍｅｓｓａｇｅの送信者を判断するとしてよい。
【０２２４】
４．ＰｒｏＳｅ  ＵＥ−ｔｏ−ＮＷ  Ｒｅｌａｙは、ＰｒｏＳｅ  ＵＥ−ｔｏ−ＮＷ  Ｒｅｌａｙが別のＲｅｍｏｔｅ  ＵＥによってアクセスできるか否かを確認する。ＰｒｏＳｅ  ＵＥ−ｔｏ−ＮＷ  Ｒｅｌａｙが別のＲｅｍｏｔｅ  ＵＥからアクセスできない場合、ＰｒｏＳｅ  ＵＥ−ｔｏ−ＮＷ  Ｒｅｌａｙは、第２のメッセージに保持されている第１の指標を利用して、ＰｒｏＳｅ  ＵＥ−ｔｏ−ＮＷ  ＲｅｌａｙがＲｅｍｏｔｅ  ＵＥからアクセスできない旨を示す。
【０２２５】
ステップ３とステップ４との間の関係には、順序はない。
【０２２６】
５．ＰｒｏＳｅ  ＵＥ−ｔｏ−ＮＷ  ＲｅｌａｙはＡｎｎｏｕｎｃｅｍｅｎｔ  ｍｅｓｓａｇｅを継続的にブロードキャストする。
【０２２７】
６．Ｒｅｍｏｔｅ  ＵＥは、受信したＡｎｎｏｕｎｃｅｍｅｎｔ  ｍｅｓｓａｇｅを利用して受信信号強度を算出する。つまり、Ｒｅｍｏｔｅ  ＵＥとＰｒｏＳｅ  ＵＥ−ｔｏ−ＮＷ  Ｒｅｌａｙとの間のリンクの信号強度を算出する。
【０２２８】
例えば、算出された信号強度がしきい値未満の場合、Ｒｅｍｏｔｅ  ＵＥは別のＰｒｏＳｅ  ＵＥ−ｔｏ−ＮＷ  Ｒｅｌａｙが送信するＡｎｎｏｕｎｃｅｍｅｎｔ  ｍｅｓｓａｇｅをモニタリングし始めるとしてよく、これによって、別のＰｒｏＳｅ  ＵＥ−ｔｏ−ＮＷ  Ｒｅｌａｙにアクセスするか否かを判断する。
【０２２９】
しきい値は、システム内で予め設定されているとしてよく、プロトコルで規定されているとしてよく、デバイスが自己設定するとしてよく、または、ユーザが設定するとしてもよい。
【０２３０】
７．Ｒｅｍｏｔｅ  ＵＥは、接続を確立するべく別のＰｒｏＳｅ  ＵＥ−ｔｏ−ＮＷ  Ｒｅｌａｙを再選択する。
【０２３１】
例えば、Ｒｅｍｏｔｅ  ＵＥは、測定によって、別のＰｒｏＳｅ  ＵＥ−ｔｏ−ＮＷ  Ｒｅｌａｙがより高い信号強度を提供できると判断する。例えば、別のＰｒｏＳｅ  ＵＥ−ｔｏ−ＮＷ  Ｒｅｌａｙが提供する信号強度が現在アクセスしているＰｒｏＳｅ  ＵＥ−ｔｏ−ＮＷ  Ｒｅｌａｙが提供する信号強度よりも良いか、または、別のＰｒｏＳｅ  ＵＥ−ｔｏ−ＮＷ  Ｒｅｌａｙが提供する信号強度がしきい値よりも高い。このため、Ｒｅｍｏｔｅ  ＵＥは、現在アクセスしているＰｒｏＳｅ  ＵＥ−ｔｏ−ＮＷ  Ｒｅｌａｙから切断することを要求するとしてよく、別のＰｒｏＳｅ  ＵＥ−ｔｏ−ＮＷ  Ｒｅｌａｙに再アクセスする。
【０２３２】
このように、ＰｒｏＳｅ  ＵＥ−ｔｏ−ＮＷ  Ｒｅｌａｙに対する接続を確立した後、Ｒｅｍｏｔｅ  ＵＥはさらに、Ｒｅｍｏｔｅ  ＵＥとＰｒｏＳｅ  ＵＥ−ｔｏ−ＮＷ  Ｒｅｌａｙとの間のリンクの信号強度を続けて測定するとしてよく、これによって、Ｒｅｍｏｔｅ  ＵＥは別のＰｒｏＳｅ  ＵＥ−ｔｏ−ＮＷ  Ｒｅｌａｙに再アクセスするか否かを選択するとしてよく、これによって確実に、可能な限りにおいて、Ｒｅｍｏｔｅ  ＵＥがより良いネットワークサービス品質を得ることができる。
【０２３３】
例１において、ＰｒｏＳｅ  ＵＥ−ｔｏ−ＮＷ  Ｒｅｌａｙは、最初から最後まで一種類のメッセージ（第１のメッセージと呼んでもよいし、または、第２のメッセージと呼んでもよい）のみをブロードキャストして、第１の指標をブロードキャストメッセージに追加する。このため、ＰｒｏＳｅ  ＵＥ−ｔｏ−ＮＷ  Ｒｅｌａｙは２つの異なるメッセージをブロードキャストする必要がなく、これによって、送信リソースが節約され、ＰｒｏＳｅ  ＵＥ−ｔｏ−ＮＷ  Ｒｅｌａｙに対する負荷が軽減される。
【０２３４】
例２
【０２３５】
図９を参照。
【０２３６】
１．ＰｒｏＳｅ  ＵＥ−ｔｏ−ＮＷ  Ｒｅｌａｙは、Ｒｅｌａｙ  Ｓｅｒｖｉｃｅ  Ｃｏｄｅを保持するＡｎｎｏｕｎｃｅｍｅｎｔ  ｍｅｓｓａｇｅ、つまり、第１のメッセージをブロードキャストする。
【０２３７】
２．Ａｎｎｏｕｎｃｅｍｅｎｔ  ｍｅｓｓａｇｅを受信した後、Ｒｅｍｏｔｅ  ＵＥはＰｒｏＳｅ  ＵＥ−ｔｏ−ＮＷ  Ｒｅｌａｙに対する接続を確立する。
【０２３８】
３．ＰｒｏＳｅ  ＵＥ−ｔｏ−ＮＷ  Ｒｅｌａｙは、非請求メッセージ（Ｕｎｓｏｌｉｃｉｔｅｄ  ｍｅｓｓａｇｅ）をＲｅｍｏｔｅ  ＵＥに送信し、Ｕｎｓｏｌｉｃｉｔｅｄ  ｍｅｓｓａｇｅは、Ｒｅｌａｙ  Ｒｅｆｅｒｅｎｃｅ  ＣｏｄｅまたはＰｒｏＳｅ  ＵＥ  ＩＤを保持しており、つまり、Ｕｎｓｏｌｉｃｉｔｅｄ  ｍｅｓｓａｇｅはＲｅｍｏｔｅ  ＵＥにＲｅｌａｙ  Ｒｅｆｅｒｅｎｃｅ  ＣｏｄｅまたはＰｒｏＳｅ  ＵＥ  ＩＤを通知するために利用される。
【０２３９】
ＰｒｏＳｅ  ＵＥ  ＩＤは、Ｒｅｍｏｔｅ  ＵＥに対する接続を確立した後でＰｒｏＳｅ  ＵＥ−ｔｏ−ＮＷ  ＲｅｌａｙによってＰｒｏＳｅ  ＵＥ−ｔｏ−ＮＷ  Ｒｅｌａｙに割り当てられる識別子であってよく、第２のメッセージにおいてＰｒｏＳｅ  ＵＥ−ｔｏ−ＮＷ  Ｒｅｌａｙを識別するために用いられるとしてよい。この場合、ＰｒｏＳｅ  ＵＥ−ｔｏ−ＮＷ  Ｒｅｌａｙがサービスを提供するＲｅｍｏｔｅ  ＵＥは全て、ＰｒｏＳｅ  ＵＥ−ｔｏ−ＮＷ  Ｒｅｌａｙが送信する第２のメッセージが１つのみである限りにおいて、測定を実行するとしてよい。これに代えて、第１のメッセージにおけるＰｒｏＳｅ  ＵＥ  ＩＤは、第２のメッセージにあって、且つ、ＰｒｏＳｅ  ＵＥ−ｔｏ−ＮＷ  Ｒｅｌａｙを識別するためにも利用されるＰｒｏＳｅ  ＵＥ  ＩＤとして直接利用されるとしてよい。この場合、ＰｒｏＳｅ  ＵＥ  ＩＤは、ステップを用いてリモートデバイスに送信されることなく、第１のメッセージからリモートデバイスによって取得される。しかし、複数の第１のメッセージにあるＰｒｏＳｅ  ＵＥ  ＩＤは異なるので、ＰｒｏＳｅ  ＵＥ−ｔｏ−ＮＷ  Ｒｅｌａｙは、ＰｒｏＳｅ  ＵＥ−ｔｏ−ＮＷ  Ｒｅｌａｙがサービスを提供しているＲｅｍｏｔｅ  ＵＥの全てが実行する測定について、複数の第２のメッセージを送信する必要があるか、または、全ての可能なＰｒｏＳｅ  ＵＥ  ＩＤを１つの第２のメッセージに含める必要がある。
【０２４０】
Ｒｅｌａｙ  Ｒｅｆｅｒｅｎｃｅ  Ｃｏｄｅは、ＰｒｏＳｅ  ＵＥ−ｔｏ−ＮＷ  Ｒｅｌａｙで予め設定されるとしてよい。
【０２４１】
４．Ｒｅｍｏｔｅ  ＵＥは、Ｒｅｌａｙ  Ｓｅｒｖｉｃｅ  Ｃｏｄｅを保持するＡｎｎｏｕｎｃｅｍｅｎｔ  ｍｅｓｓａｇｅであって、現在中継サービスを提供しているＰｒｏＳｅ  ＵＥ−ｔｏ−ＮＷ  ＲｅｌａｙがブロードキャストするＡｎｎｏｕｎｃｅｍｅｎｔ  ｍｅｓｓａｇｅ、つまり、第１のメッセージを続けてモニタリングし（つまり、Ｒｅｍｏｔｅ  ＵＥはＲｅｌａｙ  Ｓｅｒｖｉｃｅ  Ｃｏｄｅを用いてＡｎｎｏｕｎｃｅｍｅｎｔ  ｍｅｓｓａｇｅをモニタリングするとしてよい）、モニタリングによって取得する第１のメッセージがない場合、Ｒｅｍｏｔｅ  ＵＥは、ステップ３で受信したＰｒｏＳｅ  ＵＥ  ＩＤまたはＲｅｌａｙ  Ｒｅｆｅｒｅｎｃｅ  Ｃｏｄｅを用いて、信号を測定するために特に利用されるメッセージであってＰｒｏＳｅ  ＵＥ−ｔｏ−ＮＷ  Ｒｅｌａｙが送信したメッセージ、つまり、第２のメッセージのモニタリングを開始するとしてよい。
【０２４２】
つまり、例２において、ＰｒｏＳｅ  ＵＥ−ｔｏ−ＮＷ  Ｒｅｌａｙは２種類のメッセージを送信するとしてよい。ＰｒｏＳｅ  ＵＥ−ｔｏ−ＮＷ  ＲｅｌａｙがＲｅｍｏｔｅ  ＵＥによってアクセスできる場合、ＰｒｏＳｅ  ＵＥ−ｔｏ−ＮＷ  Ｒｅｌａｙは第１のメッセージを送信するとしてよい。ＰｒｏＳｅ  ＵＥ−ｔｏ−ＮＷ  ＲｅｌａｙがＲｅｍｏｔｅ  ＵＥによってアクセスできない場合、ＰｒｏＳｅ  ＵＥ−ｔｏ−ＮＷ  Ｒｅｌａｙは第１のメッセージの送信を停止して第２のメッセージの送信を開始するとしてよい。
【０２４３】
これに代えて、ステップ４は、Ｒｅｍｏｔｅ  ＵＥが、Ｒｅｌａｙ  Ｓｅｒｖｉｃｅ  Ｃｏｄｅを保持するＡｎｎｏｕｎｃｅｍｅｎｔ  ｍｅｓｓａｇｅであって、現在中継サービスを提供しているＰｒｏＳｅ  ＵＥ−ｔｏ−ＮＷ  ＲｅｌａｙがブロードキャストしているＡｎｎｏｕｎｃｅｍｅｎｔ  ｍｅｓｓａｇｅと、ＰｒｏＳｅ  ＵＥ  ＩＤまたはＲｅｌａｙ  Ｒｅｆｅｒｅｎｃｅ  Ｃｏｄｅを保持するメッセージとを続けてモニタリングするステップであるとしてよい。つまり、第１のメッセージおよび第２のメッセージを同時にモニタリングするとしてよい。
【０２４４】
つまり、例２において、ＰｒｏＳｅ  ＵＥ−ｔｏ−ＮＷ  Ｒｅｌａｙは２種類のメッセージを送信するとしてよい。ＰｒｏＳｅ  ＵＥ−ｔｏ−ＮＷ  ＲｅｌａｙがＲｅｍｏｔｅ  ＵＥによってアクセスできる場合、ＰｒｏＳｅ  ＵＥ−ｔｏ−ＮＷ  Ｒｅｌａｙは第１のメッセージおよび第２のメッセージを同時に送信するとしてよい。
【０２４５】
５．ＰｒｏＳｅ  ＵＥ−ｔｏ−ＮＷ  Ｒｅｌａｙが、ＰｒｏＳｅ  ＵＥ−ｔｏ−ＮＷ  Ｒｅｌａｙが別のＲｅｍｏｔｅ  ＵＥによってアクセスできるか否かを確認する。
【０２４６】
ＰｒｏＳｅ  ＵＥ−ｔｏ−ＮＷ  Ｒｅｌａｙが別のＲｅｍｏｔｅ  ＵＥによってアクセスできない場合、ＰｒｏＳｅ  ＵＥ−ｔｏ−ＮＷ  Ｒｅｌａｙは第１のメッセージのブロードキャストを停止して第２のメッセージのみをブロードキャストするとしてよい。第２のメッセージは、ステップ３で説明したＰｒｏＳｅ  ＵＥ  ＩＤまたはＲｅｌａｙ  Ｒｅｆｅｒｅｎｃｅ  Ｃｏｄｅを保持する。
【０２４７】
ステップ４とステップ５との間の関係には、順序はない。
【０２４８】
６ａ．ＰｒｏＳｅ  ＵＥ−ｔｏ−ＮＷ  Ｒｅｌａｙは、Ｒｅｌａｙ  Ｓｅｒｖｉｃｅ  Ｃｏｄｅを保持するＡｎｎｏｕｎｃｅｍｅｎｔ  ｍｅｓｓａｇｅをブロードキャストする。つまり、第１のメッセージをブロードキャストする。
【０２４９】
６ｂ．ＰｒｏＳｅ  ＵＥ−ｔｏ−ＮＷ  Ｒｅｌａｙは第２のメッセージをブロードキャストする。
【０２５０】
ステップ６ａおよび６ｂはステップ５の詳細な説明である。
【０２５１】
７．Ｒｅｍｏｔｅ  ＵＥは、受信した第２のメッセージを利用して受信信号強度を算出する。つまり、Ｒｅｍｏｔｅ  ＵＥとＰｒｏＳｅ  ＵＥ−ｔｏ−ＮＷ  Ｒｅｌａｙとの間のリンクの信号強度を算出する。
【０２５２】
例えば、算出された信号強度がしきい値未満の場合、Ｒｅｍｏｔｅ  ＵＥは別のＰｒｏＳｅ  ＵＥ−ｔｏ−ＮＷ  Ｒｅｌａｙが送信するＡｎｎｏｕｎｃｅｍｅｎｔ  ｍｅｓｓａｇｅをモニタリングし始めるとしてよく、これによって、別のＰｒｏＳｅ  ＵＥ−ｔｏ−ＮＷ  Ｒｅｌａｙにアクセスするか否かを判断する。
【０２５３】
しきい値は、システム内で予め設定されているとしてよく、プロトコルで規定されているとしてよく、デバイスが自己設定するとしてよく、または、ユーザが設定するとしてもよい。
【０２５４】
８：Ｒｅｍｏｔｅ  ＵＥは、接続を確立するべく別のＰｒｏＳｅ  ＵＥ−ｔｏ−ＮＷ  Ｒｅｌａｙを再選択する。
【０２５５】
例えば、Ｒｅｍｏｔｅ  ＵＥは、測定によって、別のＰｒｏＳｅ  ＵＥ−ｔｏ−ＮＷ  Ｒｅｌａｙがより高い信号強度を提供できると判断する。例えば、別のＰｒｏＳｅ  ＵＥ−ｔｏ−ＮＷ  Ｒｅｌａｙが提供する信号強度が現在アクセスしているＰｒｏＳｅ  ＵＥ−ｔｏ−ＮＷ  Ｒｅｌａｙが提供する信号強度よりも良いか、または、別のＰｒｏＳｅ  ＵＥ−ｔｏ−ＮＷ  Ｒｅｌａｙが提供する信号強度がしきい値よりも高い。このため、Ｒｅｍｏｔｅ  ＵＥは、別のＰｒｏＳｅ  ＵＥ−ｔｏ−ＮＷ  Ｒｅｌａｙにアクセスすることを再選択するとしてよい。
【０２５６】
このように、ＰｒｏＳｅ  ＵＥ−ｔｏ−ＮＷ  Ｒｅｌａｙに対する接続を確立した後、Ｒｅｍｏｔｅ  ＵＥはさらに、Ｒｅｍｏｔｅ  ＵＥとＰｒｏＳｅ  ＵＥ−ｔｏ−ＮＷ  Ｒｅｌａｙとの間のリンクの信号強度を続けて測定するとしてよく、これによって、Ｒｅｍｏｔｅ  ＵＥは別のＰｒｏＳｅ  ＵＥ−ｔｏ−ＮＷ  Ｒｅｌａｙに再アクセスするか否かを選択するとしてよく、これによって確実に、可能な限りにおいて、Ｒｅｍｏｔｅ  ＵＥがより良いネットワークサービス品質を得ることができる。
【０２５７】
例２では、ＰｒｏＳｅ  ＵＥ−ｔｏ−ＮＷ  Ｒｅｌａｙは、最初に第１のメッセージをブロードキャストして、その後で第２のメッセージをブロードキャストするとしてよい。Ｒｅｍｏｔｅ  ＵＥが第１のメッセージを受信する場合、ＰｒｏＳｅ  ＵＥ−ｔｏ−ＮＷ  Ｒｅｌａｙはさらに別のＲｅｍｏｔｅ  ＵＥによってアクセスされ得ることを示す。このため、ＰｒｏＳｅ  ＵＥ−ｔｏ−ＮＷ  ＲｅｌａｙにアクセスしていないＲｅｍｏｔｅ  ＵＥは、ＰｒｏＳｅ  ＵＥ−ｔｏ−ＮＷ  Ｒｅｌａｙにアクセスするか否かを選択するとしてよく、ＰｒｏＳｅ  ＵＥ−ｔｏ−ＮＷ  ＲｅｌａｙにアクセスしたＲｅｍｏｔｅ  ＵＥは第１のメッセージを利用して信号強度を測定するとしてよい。Ｒｅｍｏｔｅ  ＵＥが第２のメッセージを受信する場合、ＰｒｏＳｅ  ＵＥ−ｔｏ−ＮＷ  Ｒｅｌａｙは別のＲｅｍｏｔｅ  ＵＥによってアクセスできないことを示す。このため、ＰｒｏＳｅ  ＵＥ−ｔｏ−ＮＷ  ＲｅｌａｙにアクセスしていないＲｅｍｏｔｅ  ＵＥは、ＰｒｏＳｅ  ＵＥ−ｔｏ−ＮＷ  Ｒｅｌａｙをアクセスのために選択することはなくなり、ＰｒｏＳｅ  ＵＥ−ｔｏ−ＮＷ  ＲｅｌａｙにアクセスしたＲｅｍｏｔｅ  ＵＥは、第２のメッセージを利用して続けて信号強度を測定するとしてよい。
【０２５８】
これに代えて、例２において、ＰｒｏＳｅ  ＵＥ−ｔｏ−ＮＷ  Ｒｅｌａｙは第１のメッセージおよび第２のメッセージを同時にブロードキャストするとしてよい。Ｒｅｍｏｔｅ  ＵＥが第１のメッセージを受信する場合、ＰｒｏＳｅ  ＵＥ−ｔｏ−ＮＷ  Ｒｅｌａｙはさらに別のＲｅｍｏｔｅ  ＵＥによってアクセスされ得ることを示す。このため、ＰｒｏＳｅ  ＵＥ−ｔｏ−ＮＷ  ＲｅｌａｙにアクセスしていないＲｅｍｏｔｅ  ＵＥは、ＰｒｏＳｅ  ＵＥ−ｔｏ−ＮＷ  Ｒｅｌａｙにアクセスするか否かを選択するとしてよく、ＰｒｏＳｅ  ＵＥ−ｔｏ−ＮＷ  ＲｅｌａｙにアクセスしたＲｅｍｏｔｅ  ＵＥは第２のメッセージを利用して信号強度を測定するとしてよい。Ｒｅｍｏｔｅ  ＵＥが第２のメッセージのみを受信できて第１のメッセージをもう受信できない場合、ＰｒｏＳｅ  ＵＥ−ｔｏ−ＮＷ  Ｒｅｌａｙは別のＲｅｍｏｔｅ  ＵＥによってアクセスできないことを示す。このため、ＰｒｏＳｅ  ＵＥ−ｔｏ−ＮＷ  ＲｅｌａｙにアクセスしていないＲｅｍｏｔｅ  ＵＥは、ＰｒｏＳｅ  ＵＥ−ｔｏ−ＮＷ  Ｒｅｌａｙをアクセスのために選択することはなくなり、ＰｒｏＳｅ  ＵＥ−ｔｏ−ＮＷ  ＲｅｌａｙにアクセスしたＲｅｍｏｔｅ  ＵＥは、第２のメッセージを利用して信号強度を続けて測定するとしてよい。
【０２５９】
このように、２つの異なるメッセージを利用することで、ＰｒｏＳｅ  ＵＥ−ｔｏ−ＮＷ  ＲｅｌａｙにアクセスしたＲｅｍｏｔｅ  ＵＥの信号測定要求が満たされ得るだけでなく、別のＲｅｍｏｔｅ  ＵＥがＰｒｏＳｅ  ＵＥ−ｔｏ−ＮＷ  Ｒｅｌａｙにアクセスできるか否かの指標も与えることができる。
【０２６０】
例３
【０２６１】
図１０を参照。例３におけるステップ１からステップ３、ステップ７およびステップ８について、例２を参照されたい。詳細は繰り返し説明しない。以下では、例２とは異なる例３のステップを説明する。つまり、ステップ４から説明する。
【０２６２】
４．Ｒｅｌａｙ  Ｒｅｆｅｒｅｎｃｅ  Ｃｏｄｅを受信した後、Ｒｅｍｏｔｅ  ＵＥは、Ｒｅｌａｙ  Ｓｅｒｖｉｃｅ  Ｃｏｄｅを保持するメッセージであって、現在中継サービスを提供しているＰｒｏＳｅ  ＵＥ−ｔｏ−ＮＷ  Ｒｅｌａｙがブロードキャストしたメッセージのモニタリングを開始する。つまり、第２のメッセージのモニタリングを開始する。
【０２６３】
つまり、Ｒｅｌａｙ  Ｒｅｆｅｒｅｎｃｅ  Ｃｏｄｅを受信した後、Ｒｅｍｏｔｅ  ＵＥは第１のメッセージのモニタリングは行わなくなる。
【０２６４】
５．ＰｒｏＳｅ  ＵＥ−ｔｏ−ＮＷ  Ｒｅｌａｙは、ＰｒｏＳｅ  ＵＥ−ｔｏ−ＮＷ  Ｒｅｌａｙが別のＲｅｍｏｔｅ  ＵＥによってアクセスされ得るか否かを確認する。ＰｒｏＳｅ  ＵＥ−ｔｏ−ＮＷ  Ｒｅｌａｙが別のＲｅｍｏｔｅ  ＵＥによってアクセスされ得る場合、ＰｒｏＳｅ  ＵＥ−ｔｏ−ＮＷ  Ｒｅｌａｙは、Ｒｅｌａｙ  Ｓｅｒｖｉｃｅ  Ｃｏｄｅを保持するＡｎｎｏｕｎｃｅｍｅｎｔ  ｍｅｓｓａｇｅおよびＲｅｌａｙ  Ｒｅｆｅｒｅｎｃｅ  Ｃｏｄｅを保持するメッセージを同時にブロードキャストする。つまり、第１のメッセージおよび第２のメッセージを同時にブロードキャストする。つまり、ステップ６ａおよびステップ６ｂを同時に実行する。または、ＰｒｏＳｅ  ＵＥ−ｔｏ−ＮＷ  Ｒｅｌａｙが別のＲｅｍｏｔｅ  ＵＥによってさらにアクセスされ得る場合、ＰｒｏＳｅ  ＵＥ−ｔｏ−ＮＷ  ＲｅｌａｙはＲｅｌａｙ  Ｓｅｒｖｉｃｅ  Ｃｏｄｅを保持しているＡｎｎｏｕｎｃｅｍｅｎｔ  ｍｅｓｓａｇｅのブロードキャストを停止して、Ｒｅｌａｙ  Ｒｅｆｅｒｅｎｃｅ  Ｃｏｄｅを保持しているメッセージのみをブロードキャストするとしてよい。つまり、ステップ６ｂのみを実行する。
【０２６５】
ステップ４とステップ５との間の関係には、順序はない。
【０２６６】
６ａ．ＰｒｏＳｅ  ＵＥ−ｔｏ−ＮＷ  Ｒｅｌａｙは、Ｒｅｌａｙ  Ｓｅｒｖｉｃｅ  Ｃｏｄｅを保持しているＡｎｎｏｕｎｃｅｍｅｎｔ  ｍｅｓｓａｇｅをブロードキャストする。つまり、第１のメッセージをブロードキャストする。
【０２６７】
６ｂ．ＰｒｏＳｅ  ＵＥ−ｔｏ−ＮＷ  Ｒｅｌａｙは第２のメッセージをブロードキャストする。
【０２６８】
同様に、ステップ６ａおよび６ｂは、ステップ５の詳細な説明である。
【０２６９】
例３において、ＰｒｏＳｅ  ＵＥ−ｔｏ−ＮＷ  Ｒｅｌａｙは、第２のメッセージおよび第１のメッセージを同時にブロードキャストするとしてよく、これによって、ＰｒｏＳｅ  ＵＥ−ｔｏ−ＮＷ  ＲｅｌａｙにアクセスしたＲｅｍｏｔｅ  ＵＥは、当該Ｒｅｍｏｔｅ  ＵＥはＲｅｌａｙ  Ｓｅｒｖｉｃｅ  Ｃｏｄｅ等のコードワードを取得する必要はもうないので、第２のメッセージのみをモニタリングするとしてよい。ＰｒｏＳｅ  ＵＥ−ｔｏ−ＮＷ  ＲｅｌａｙにアクセスしていないＲｅｍｏｔｅ  ＵＥは、当該Ｒｅｍｏｔｅ  ＵＥはＲｅｌａｙ  Ｒｅｆｅｒｅｎｃｅ  ＣｏｄｅまたはＰｒｏＳｅ  ＵＥ  ＩＤを受信していないので、第１のメッセージのみをモニタリングするとしてよい。このため、さまざまなＲｅｍｏｔｅ  ＵＥという要求が満たされる場合、Ｒｅｍｏｔｅ  ＵＥに対する負荷が軽減される。
【０２７０】
例４
【０２７１】
図１１を参照。
【０２７２】
１．ＰｒｏＳｅ  ＵＥ−ｔｏ−ＮＷ  ＲｅｌａｙはＲｅｌａｙ  Ｓｅｒｖｉｃｅ  Ｃｏｄｅを保持するＡｎｎｏｕｎｃｅｍｅｎｔ  ｍｅｓｓａｇｅ、つまり、第１のメッセージをブロードキャストする。
【０２７３】
２．Ａｎｎｏｕｎｃｅｍｅｎｔ  ｍｅｓｓａｇｅを受信した後、Ｒｅｍｏｔｅ  ＵＥは、ＰｒｏＳｅ  ＵＥ−ｔｏ−ＮＷ  Ｒｅｌａｙに対する接続を確立する。
【０２７４】
３．Ｒｅｍｏｔｅ  ＵＥは、現在中継サービスを提供しているＰｒｏＳｅ  ＵＥ−ｔｏ−ＮＷ  ＲｅｌａｙによってブロードキャストされたＡｎｎｏｕｎｃｅｍｅｎｔ  ｍｅｓｓａｇｅの継続的なモニタリング、つまり、第１のメッセージのモニタリングを開始する。
【０２７５】
Ｒｅｍｏｔｅ  ＵＥは、メッセージに保持されているＰｒｏＳｅ  ＵＥ  ＩＤを用いて、Ａｎｎｏｕｎｃｅｍｅｎｔ  ｍｅｓｓａｇｅの送信者を判断するとしてよく、または、Ｒｅｌａｙ  Ｓｅｒｖｉｃｅ  ＣｏｄｅおよびＰｒｏＳｅ  ＵＥ  ＩＤを参照しつつ、Ａｎｎｏｕｎｃｅｍｅｎｔ  ｍｅｓｓａｇｅの送信者を判断するとしてよい。
【０２７６】
４．ＰｒｏＳｅ  ＵＥ−ｔｏ−ＮＷ  Ｒｅｌａｙは、ＰｒｏＳｅ  ＵＥ−ｔｏ−ＮＷ  Ｒｅｌａｙが別のＲｅｍｏｔｅ  ＵＥによってアクセスできるか否かを確認する。ＰｒｏＳｅ  ＵＥ−ｔｏ−ＮＷ  Ｒｅｌａｙが別のＲｅｍｏｔｅ  ＵＥからアクセスできる場合、ＰｒｏＳｅ  ＵＥ−ｔｏ−ＮＷ  Ｒｅｌａｙはステップ５を実行するか、または、ＰｒｏＳｅ  ＵＥ−ｔｏ−ＮＷ  ＲｅｌａｙにＲｅｍｏｔｅ  ＵＥが続けてアクセスできない場合、ＰｒｏＳｅ  ＵＥ−ｔｏ−ＮＷ  Ｒｅｌａｙはステップ６から８を実行する。
【０２７７】
５．ＰｒｏＳｅ  ＵＥ−ｔｏ−ＮＷ  Ｒｅｌａｙは、Ｒｅｌａｙ  Ｓｅｒｖｉｃｅ  Ｃｏｄｅを保持するＡｎｎｏｕｎｃｅｍｅｎｔ  ｍｅｓｓａｇｅ、つまり、第１のメッセージを続けてブロードキャストする。
【０２７８】
６．ＰｒｏＳｅ  ＵＥ−ｔｏ−ＮＷ  Ｒｅｌａｙは、Ｕｎｓｏｌｉｃｉｔｅｄ  ｍｅｓｓａｇｅをＲｅｍｏｔｅ  ＵＥに送信し、Ｕｎｓｏｌｉｃｉｔｅｄ  ｍｅｓｓａｇｅは、Ｒｅｌａｙ  Ｒｅｆｅｒｅｎｃｅ  ＣｏｄｅまたはＰｒｏＳｅ  ＵＥ  ＩＤを保持しており、つまり、Ｕｎｓｏｌｉｃｉｔｅｄ  ｍｅｓｓａｇｅはＲｅｌａｙ  Ｒｅｆｅｒｅｎｃｅ  ＣｏｄｅまたはＰｒｏＳｅ  ＵＥ  ＩＤをＲｅｍｏｔｅ  ＵＥを通知するために利用される。
【０２７９】
７．Ｒｅｌａｙ  Ｒｅｆｅｒｅｎｃｅ  Ｃｏｄｅを受信した後、Ｒｅｍｏｔｅ  ＵＥは、Ｒｅｌａｙ  Ｒｅｆｅｒｅｎｃｅ  Ｃｏｄｅを保持するメッセージ、つまり、第２のメッセージのモニタリングを開始し、つまり、Ｒｅｍｏｔｅ  ＵＥは、Ｒｅｌａｙ  Ｒｅｆｅｒｅｎｃｅ  Ｃｏｄｅを受信した後は第１のメッセージをモニタリングしなくなるとしてよい。
【０２８０】
８．ＰｒｏＳｅ  ＵＥ−ｔｏ−ＮＷ  Ｒｅｌａｙは、Ｒｅｌａｙ  Ｒｅｆｅｒｅｎｃｅ  Ｃｏｄｅを保持するメッセージのブロードキャストを開始する。
【０２８１】
９．Ｒｅｍｏｔｅ  ＵＥは、受信した第２のメッセージを利用して受信信号強度を算出する。つまり、Ｒｅｍｏｔｅ  ＵＥとＰｒｏＳｅ  ＵＥ−ｔｏ−ＮＷ  Ｒｅｌａｙとの間のリンクの信号強度を算出する。
【０２８２】
例えば、算出された信号強度がしきい値未満の場合、Ｒｅｍｏｔｅ  ＵＥは別のＰｒｏＳｅ  ＵＥ−ｔｏ−ＮＷ  Ｒｅｌａｙが送信するＡｎｎｏｕｎｃｅｍｅｎｔ  ｍｅｓｓａｇｅをモニタリングし始めるとしてよく、これによって、別のＰｒｏＳｅ  ＵＥ−ｔｏ−ＮＷ  Ｒｅｌａｙにアクセスするか否かを判断する。
【０２８３】
しきい値は、システム内で予め設定されているとしてよく、プロトコルで規定されているとしてよく、デバイスが自己設定するとしてよく、または、ユーザが設定するとしてもよい。
【０２８４】
１０．Ｒｅｍｏｔｅ  ＵＥは、接続を確立するべく別のＰｒｏＳｅ  ＵＥ−ｔｏ−ＮＷ  Ｒｅｌａｙを再選択する。
【０２８５】
例えば、Ｒｅｍｏｔｅ  ＵＥは、測定によって、別のＰｒｏＳｅ  ＵＥ−ｔｏ−ＮＷ  Ｒｅｌａｙがより高い信号強度を提供できると判断する。例えば、別のＰｒｏＳｅ  ＵＥ−ｔｏ−ＮＷ  Ｒｅｌａｙが提供する信号強度が現在アクセスしているＰｒｏＳｅ  ＵＥ−ｔｏ−ＮＷ  Ｒｅｌａｙが提供する信号強度よりも良いか、または、別のＰｒｏＳｅ  ＵＥ−ｔｏ−ＮＷ  Ｒｅｌａｙが提供する信号強度がしきい値よりも高い。このため、Ｒｅｍｏｔｅ  ＵＥは、現在アクセスしているＰｒｏＳｅ  ＵＥ−ｔｏ−ＮＷ  Ｒｅｌａｙから切断することを要求するとしてよく、別のＰｒｏＳｅ  ＵＥ−ｔｏ−ＮＷ  Ｒｅｌａｙに再アクセスする。
【０２８６】
このように、ＰｒｏＳｅ  ＵＥ−ｔｏ−ＮＷ  Ｒｅｌａｙに対する接続を確立した後、Ｒｅｍｏｔｅ  ＵＥはさらに、Ｒｅｍｏｔｅ  ＵＥとＰｒｏＳｅ  ＵＥ−ｔｏ−ＮＷ  Ｒｅｌａｙとの間のリンクの信号強度を続けて測定するとしてよく、これによって、Ｒｅｍｏｔｅ  ＵＥは別のＰｒｏＳｅ  ＵＥ−ｔｏ−ＮＷ  Ｒｅｌａｙに再アクセスするか否かを選択するとしてよく、これによって確実に、可能な限りにおいて、Ｒｅｍｏｔｅ  ＵＥがより良いネットワークサービス品質を得ることができる。
【０２８７】
ＩＩ．モデルＢ
【０２８８】
例５
【０２８９】
図１２を参照。
【０２９０】
１．Ｒｅｍｏｔｅ  ＵＥは、Ｓｏｌｉｃｉｔａｔｉｏｎ  Ｍｅｓｓａｇｅをブロードキャストする。つまり、第１のメッセージをブロードキャストする。Ｓｏｌｉｃｉｔａｔｉｏｎ  Ｍｅｓｓａｇｅに保持されているＲｅｌａｙ  Ｓｅｒｖｉｃｅ  Ｃｏｄｅは、Ｒｅｍｏｔｅ  ＵＥが必要とするサービスを示す。
【０２９１】
２．Ｒｅｌａｙ  Ｓｅｒｖｉｃｅ  Ｃｏｄｅに一致するＰｒｏＳｅ  ＵＥ−ｔｏ−ＮＷ  Ｒｅｌａｙは、Ｒｅｍｏｔｅ  ＵＥにＲｅｓｐｏｎｓｅ  ｍｅｓｓａｇｅを送信する。つまり、第２のメッセージを送信する。
【０２９２】
３．Ｒｅｍｏｔｅ  ＵＥは、ＰｒｏＳｅ  ＵＥ−ｔｏ−ＮＷ  Ｒｅｌａｙに対する接続を確立することを選択する。
【０２９３】
４．ＰｒｏＳｅ  ＵＥ−ｔｏ−ＮＷ  Ｒｅｌａｙは、接続を確立しているＲｅｍｏｔｅ  ＵＥにＵｎｓｏｌｉｃｉｔｅｄ  ｍｅｓｓａｇｅを送信し、Ｕｎｓｏｌｉｃｉｔｅｄ  ｍｅｓｓａｇｅは、Ｒｅｌａｙ  Ｒｅｆｅｒｅｎｃｅ  ＣｏｄｅまたはＰｒｏＳｅ  ＵＥ  ＩＤを保持している。
【０２９４】
５．Ｒｅｍｏｔｅ  ＵＥは、現在中継サービスを提供しているＰｒｏＳｅ  ＵＥ−ｔｏ−ＮＷ  Ｒｅｌａｙがブロードキャストする第４のメッセージの継続的なモニタリングを開始し、Ｒｅｍｏｔｅ  ＵＥは、第４のメッセージに保持されているＲｅｌａｙ  Ｒｅｆｅｒｅｎｃｅ  ＣｏｄｅまたはＰｒｏＳｅ  ＵＥ  ＩＤを利用して、第４のメッセージは中継サービスを現在提供しているＰｒｏＳｅ  ＵＥ−ｔｏ−ＮＷ  Ｒｅｌａｙがブロードキャストしていると判断するとしてよい。
【０２９５】
例えば、第４のメッセージは、Ｒｅｓｐｏｎｓｅ  ｍｅｓｓａｇｅ、または、別のメッセージであってよい。
【０２９６】
６．Ｒｅｍｏｔｅ  ＵＥに接続された後、ＰｒｏＳｅ  ＵＥ−ｔｏ−ＮＷ  Ｒｅｌａｙは、第４のメッセージの継続的なブロードキャストを開始する。第４のメッセージは、ステップ４で説明したＰｒｏＳｅ  ＵＥ  ＩＤまたはＲｅｌａｙ  Ｒｅｆｅｒｅｎｃｅ  Ｃｏｄｅを保持する。
【０２９７】
ステップ５とステップ６との間の関係には、順序はない。
【０２９８】
７．ＰｒｏＳｅ  ＵＥ−ｔｏ−ＮＷ  Ｒｅｌａｙは第４のメッセージを継続的にブロードキャストする。
【０２９９】
ステップ７は、ステップ６のさらなる説明である。
【０３００】
８．Ｒｅｍｏｔｅ  ＵＥは、受信した第４のメッセージを利用して受信信号強度を算出する。つまり、Ｒｅｍｏｔｅ  ＵＥとＰｒｏＳｅ  ＵＥ−ｔｏ−ＮＷ  Ｒｅｌａｙとの間のリンクの信号強度を算出する。
【０３０１】
例えば、算出された信号強度がしきい値未満の場合、Ｒｅｍｏｔｅ  ＵＥは、Ｒｅｍｏｔｅ  ＵＥが別のＰｒｏＳｅ  ＵＥ−ｔｏ−ＮＷ  Ｒｅｌａｙにアクセスできるか否かを判断するべく、再度Ｓｏｌｉｃｉｔａｔｉｏｎ  Ｍｅｓｓａｇｅをブロードキャストするとしてよい。
【０３０２】
しきい値は、システム内で予め設定されているとしてよく、プロトコルで規定されているとしてよく、デバイスが自己設定するとしてよく、または、ユーザが設定するとしてもよい。
【０３０３】
９．Ｒｅｍｏｔｅ  ＵＥは、接続を確立するべく別のＰｒｏＳｅ  ＵＥ−ｔｏ−ＮＷ  Ｒｅｌａｙを再選択する。
【０３０４】
例えば、Ｒｅｍｏｔｅ  ＵＥは、測定によって、別のＰｒｏＳｅ  ＵＥ−ｔｏ−ＮＷ  Ｒｅｌａｙがより高い信号強度を提供できると判断する。例えば、別のＰｒｏＳｅ  ＵＥ−ｔｏ−ＮＷ  Ｒｅｌａｙが提供する信号強度が現在アクセスしているＰｒｏＳｅ  ＵＥ−ｔｏ−ＮＷ  Ｒｅｌａｙが提供する信号強度よりも良いか、または、別のＰｒｏＳｅ  ＵＥ−ｔｏ−ＮＷ  Ｒｅｌａｙが提供する信号強度がしきい値よりも高い。このため、Ｒｅｍｏｔｅ  ＵＥは、別のＰｒｏＳｅ  ＵＥ−ｔｏ−ＮＷ  Ｒｅｌａｙにアクセスすることを再選択するとしてよい。
【０３０５】
例５において、Ｒｅｍｏｔｅ  ＵＥがＰｒｏＳｅ  ＵＥ−ｔｏ−ＮＷ  Ｒｅｌａｙに対する接続を確立した後、ＰｒｏＳｅ  ＵＥ−ｔｏ−ＮＷ  Ｒｅｌａｙは第４のメッセージを続けてブロードキャストするとしてよく、これによって、Ｒｅｍｏｔｅ  ＵＥはＲｅｍｏｔｅ  ＵＥとＰｒｏＳｅ  ＵＥ−ｔｏ−ＮＷ  Ｒｅｌａｙとの間のリンクの信号強度を測定するとしてよい。このため、別のＰｒｏＳｅ  ＵＥ−ｔｏ−ＮＷ  Ｒｅｌａｙに再アクセスするか否かが判断され得る。これによって、Ｒｅｍｏｔｅ  ＵＥが確実に、より良いネットワークサービス品質を得ることができる。
【０３０６】
例６
【０３０７】
例６の大半のステップが例５のステップと同様である。類似点は再度説明せず、追加の図面も提供しない。以下では、これら２つの例の相違点を説明する。
【０３０８】
ステップ４とステップ５との間にステップを追加する。例えば、ステップ４ａと呼ぶ。Ｒｅｍｏｔｅ  ＵＥは、第３のメッセージをＰｒｏＳｅ  ＵＥ−ｔｏ−ＮＷ  Ｒｅｌａｙに送信する。第３のメッセージは、測定サービスを提供するようＰｒｏＳｅ  ＵＥ−ｔｏ−ＮＷ  Ｒｅｌａｙに要求するために利用される。
【０３０９】
Ｒｅｍｏｔｅ  ＵＥは、第３のメッセージをＰｒｏＳｅ  ＵＥ−ｔｏ−ＮＷ  Ｒｅｌａｙにユニキャスト方式で送信するとしてよく、または、第３のメッセージをブロードキャスト方式で送信するとしてよい。第３のメッセージは、ＰｒｏＳｅ  ＵＥ−ｔｏ−ＮＷ  Ｒｅｌａｙの識別子を保持するとしてよい。具体的には、第３のメッセージがブロードキャスト方式で送信される場合、複数のＰｒｏＳｅ  ＵＥ−ｔｏ−ＮＷ  Ｒｅｌａｙが第３のメッセージを受信できるとしてよく、これによって、ＰｒｏＳｅ  ＵＥ−ｔｏ−ＮＷ  Ｒｅｌａｙが第３のメッセージを受信した後、第３のメッセージに保持されている識別子がＰｒｏＳｅ  ＵＥ−ｔｏ−ＮＷ  Ｒｅｌａｙの識別子ではない場合、ＰｒｏＳｅ  ＵＥ−ｔｏ−ＮＷ  Ｒｅｌａｙは応答を行わないとしてよい。識別子が第３のメッセージに保持されている識別子であるＰｒｏＳｅ  ＵＥ−ｔｏ−ＮＷ  Ｒｅｌａｙのみが応答を行う。このように、Ｒｅｍｏｔｅ  ＵＥが受信する第４のメッセージが確実に、Ｒｅｍｏｔｅ  ＵＥによって必要なメッセージとなり得る。
【０３１０】
さらに、例５において、ＰｒｏＳｅ  ＵＥ−ｔｏ−ＮＷ  Ｒｅｌａｙは第４のメッセージをブロードキャストする。例６では、ＰｒｏＳｅ  ＵＥ−ｔｏ−ＮＷ  Ｒｅｌａｙは第４のメッセージをユニキャスト方式またはマルチキャスト方式で送信するとしてよい。
【０３１１】
例６では、Ｒｅｍｏｔｅ  ＵＥは、要求がある場合、第３のメッセージをＰｒｏＳｅ  ＵＥ−ｔｏ−ＮＷ  Ｒｅｌａｙに送信するとしてよい。ＰｒｏＳｅ  ＵＥ−ｔｏ−ＮＷ  Ｒｅｌａｙは、第３のメッセージを受信した後、第４のメッセージをＲｅｍｏｔｅ  ＵＥに送信する。このため、Ｒｅｍｏｔｅ  ＵＥの信号強度測定要求が満たされ、ＰｒｏＳｅ  ＵＥ−ｔｏ−ＮＷ  Ｒｅｌａｙが送信する第１のメッセージの量が軽減され、送信リソースが節約される。
【０３１２】
以下では添付図面を参照しつつ本発明の実施形態のデバイスを説明する。
【０３１３】
図１３を参照すると、同一の発明概念に基づき、本発明の実施形態は第１の中継デバイスを提供する。中継デバイスは、メモリ１３０１と、プロセッサ１３０２と、送信機１３０３とを備えるとしてよい。
【０３１４】
プロセッサ１３０２は具体的には、中央演算処理装置または特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）であってよく、プログラム実行を制御するように構成されている１または複数の集積回路であってよく、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）を利用して開発されたハードウェア回路であってよく、または、ベースバンドチップであってよい。
【０３１５】
１または複数のメモリ１３０１を備えるとしてよい。メモリ１３０１は、リードオンリーメモリ（Ｒｅａｄ  Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）および磁気ディスクメモリを含むとしてよい。
【０３１６】
送信機１３０３は、無線周波数システムに属するとしてよく、外部デバイスとの間でネットワーク通信を実行するように構成されているとしてよい。具体的に、送信機１３０３は、イーサネット（登録商標）、無線アクセスネットワークまたは無線ローカルエリアネットワーク等のネットワークを利用して、外部デバイスと通信するとしてよい。
【０３１７】
メモリ１３０１および送信機１３０３は、バス（図１３では一例としてこれを利用している）を利用してプロセッサ１３０２に接続されているとしてよく、または、専用接続ケーブルを利用してプロセッサ１３０２に別個に接続されているとしてもよい。
【０３１８】
上述した方法に対応するコードを、プロセッサ１３０２用にプログラミングを設計することでチップに組み込むことによって、チップは、動作すると、図２および図３に示した方法を実行することができる。プロセッサ１３０２用のプログラミングを設計する方法は、当業者には公知の技術であり本明細書では説明しない。
【０３１９】
中継デバイスは、図２および図３に示した方法を実行するように構成されているとしてよい。例えば、中継デバイスは上述した第１の中継デバイスであってよい。このため、中継デバイス内のユニットが実装する機能等については、上述した方法の説明を参照されたい。詳細の再度の説明は省略する。
【０３２０】
図１４を参照すると、同一の発明概念に基づき、本発明の実施形態は第２の中継デバイスを提供する。中継デバイスは、メモリ１４０１と、プロセッサ１４０２と、送信機１４０３と、受信機１４０４とを備えるとしてよい。
【０３２１】
プロセッサ１４０２は具体的には、中央演算処理装置またはＡＳＩＣであってよく、プログラム実行を制御するように構成されている１または複数の集積回路であってよく、ＦＰＧＡを利用して開発されたハードウェア回路であってよく、または、ベースバンドチップであってよい。
【０３２２】
１または複数のメモリ１４０１を備えるとしてよい。メモリ１４０１は、ＲＯＭ、ＲＡＭおよび磁気ディスクメモリを含むとしてよい。
【０３２３】
受信機１４０４および送信機１４０３は、無線周波数システムに属するとしてよく、外部デバイスとの間でネットワーク通信を実行するように構成されているとしてよい。具体的に、受信機１４０４および送信機１４０３は、イーサネット（登録商標）、無線アクセスネットワークまたは無線ローカルエリアネットワーク等のネットワークを利用して、外部デバイスと通信するとしてよい。受信機１４０４および送信機１４０３は、同一のエンティティモジュールであってよく、例えば、トランシーバであってよく、または、複数の異なるエンティティモジュールであってもよい。
【０３２４】
メモリ１４０１、受信機１４０４および送信機１４０３は、バス（図１４では一例としてこれを利用している）を利用してプロセッサ１４０２に接続されているとしてよく、または、専用接続ケーブルを利用してプロセッサ１４０２に別個に接続されているとしてもよい。
【０３２５】
上述した方法に対応するコードを、プロセッサ１４０２用にプログラミングを設計することでチップに組み込むことによって、チップは、動作すると、図４および図５に示した方法を実行することができる。プロセッサ１４０２用のプログラミングを設計する方法は、当業者には公知の技術であり本明細書では説明しない。
【０３２６】
中継デバイスは、図４および図５に示した方法を実行するように構成されているとしてよい。例えば、中継デバイスは上述した第１の中継デバイスであってよい。このため、中継デバイス内のユニットが実装する機能等については、上述した方法の説明を参照されたい。詳細の再度の説明は省略する。
【０３２７】
図１５を参照すると、同一の発明概念に基づき、本発明の実施形態は第３の中継デバイスを提供する。中継デバイスは、メモリ１５０１と、プロセッサ１５０２と、送信機１５０３と、受信機１５０４とを備えるとしてよい。
【０３２８】
プロセッサ１５０２は具体的には、中央演算処理装置またはＡＳＩＣであってよく、プログラム実行を制御するように構成されている１または複数の集積回路であってよく、ＦＰＧＡを利用して開発されたハードウェア回路であってよく、または、ベースバンドチップであってよい。
【０３２９】
１または複数のメモリ１５０１を備えるとしてよい。メモリ１５０１は、ＲＯＭ、ＲＡＭおよび磁気ディスクメモリを含むとしてよい。
【０３３０】
受信機１５０４および送信機１５０３は、無線周波数システムに属するとしてよく、外部デバイスとの間でネットワーク通信を実行するように構成されているとしてよい。具体的に、受信機１５０４および送信機１５０３は、イーサネット（登録商標）、無線アクセスネットワークまたは無線ローカルエリアネットワーク等のネットワークを利用して、外部デバイスと通信するとしてよい。受信機１５０４および送信機１５０３は、同一のエンティティモジュールであってよく、例えば、トランシーバであってよく、または、複数の異なるエンティティモジュールであってもよい。
【０３３１】
メモリ１５０１、受信機１５０４および送信機１５０３は、バス（図１５では一例としてこれを利用している）を利用してプロセッサ１５０２に接続されているとしてよく、または、専用接続ケーブルを利用してプロセッサ１５０２に別個に接続されているとしてもよい。
【０３３２】
上述した方法に対応するコードを、プロセッサ１５０２用にプログラミングを設計することでチップに組み込むことによって、チップは、動作すると、図６および図７に示した方法を実行することができる。プロセッサ１５０２用のプログラミングを設計する方法は、当業者には公知の技術であり本明細書では説明しない。
【０３３３】
中継デバイスは、図６および図７に示した方法を実行するように構成されているとしてよい。例えば、中継デバイスは上述した第１の中継デバイスであってよい。このため、中継デバイス内のユニットが実装する機能等については、上述した方法の説明を参照されたい。詳細の再度の説明は省略する。
【０３３４】
図１６を参照すると、同一の発明概念に基づき、本発明の実施形態は第１のリモートデバイスを提供する。リモートデバイスは、メモリ１６０１と、プロセッサ１６０２と、受信機１６０３とを備えるとしてよい。
【０３３５】
プロセッサ１６０２は具体的には、中央演算処理装置またはＡＳＩＣであってよく、プログラム実行を制御するように構成されている１または複数の集積回路であってよく、ＦＰＧＡを利用して開発されたハードウェア回路であってよく、または、ベースバンドチップであってよい。
【０３３６】
１または複数のメモリ１６０１を備えるとしてよい。メモリ１６０１は、ＲＯＭ、ＲＡＭおよび磁気ディスクメモリを含むとしてよい。
【０３３７】
受信機１６０３は、無線周波数システムに属するとしてよく、外部デバイスとの間でネットワーク通信を実行するように構成されているとしてよい。具体的に、受信機１６０３は、イーサネット（登録商標）、無線アクセスネットワークまたは無線ローカルエリアネットワーク等のネットワークを利用して、外部デバイスと通信するとしてよい。
【０３３８】
メモリ１６０１および受信機１６０３は、バス（図１６では一例としてこれを利用している）を利用してプロセッサ１６０２に接続されているとしてよく、または、専用接続ケーブルを利用してプロセッサ１６０２に別個に接続されているとしてもよい。
【０３３９】
上述した方法に対応するコードを、プロセッサ１６０２用にプログラミングを設計することでチップに組み込むことによって、チップは、動作すると、図２および図３に示した方法を実行することができる。プロセッサ１６０２用のプログラミングを設計する方法は、当業者には公知の技術であり本明細書では説明しない。
【０３４０】
リモートデバイスは、図２および図３に示した方法を実行するように構成されているとしてよい。例えば、リモートデバイスは上述した第１のリモートデバイスであってよい。このため、リモートデバイス内のユニットが実装する機能等については、上述した方法の説明を参照されたい。詳細の再度の説明は省略する。
【０３４１】
図１７を参照すると、同一の発明概念に基づき、本発明の実施形態は第２のリモートデバイスを提供する。リモートデバイスは、メモリ１７０１と、プロセッサ１７０２と、受信機１７０３と、送信機１７０４とを備えるとしてよい。
【０３４２】
プロセッサ１７０２は具体的には、中央演算処理装置またはＡＳＩＣであってよく、プログラム実行を制御するように構成されている１または複数の集積回路であってよく、ＦＰＧＡを利用して開発されたハードウェア回路であってよく、または、ベースバンドチップであってよい。
【０３４３】
１または複数のメモリ１７０１を備えるとしてよい。メモリ１７０１は、ＲＯＭ、ＲＡＭおよび磁気ディスクメモリを含むとしてよい。
【０３４４】
受信機１７０３および送信機１７０４は、無線周波数システムに属するとしてよく、外部デバイスとの間でネットワーク通信を実行するように構成されているとしてよい。具体的に、受信機１７０３および送信機１７０４は、イーサネット（登録商標）、無線アクセスネットワークまたは無線ローカルエリアネットワーク等のネットワークを利用して、外部デバイスと通信するとしてよい。受信機１７０３および送信機１７０４は、同一のエンティティモジュールであってよく、例えば、トランシーバであってよく、または、複数の異なるエンティティモジュールであってもよい。
【０３４５】
メモリ１７０１、受信機１７０３および送信機１７０４は、バス（図１７では一例としてこれを利用している）を利用してプロセッサ１７０２に接続されているとしてよく、または、専用接続ケーブルを利用してプロセッサ１７０２に別個に接続されているとしてもよい。
【０３４６】
上述した方法に対応するコードを、プロセッサ１７０２用にプログラミングを設計することでチップに組み込むことによって、チップは、動作すると、図４および図５に示した方法を実行することができる。プロセッサ１７０２用のプログラミングを設計する方法は、当業者には公知の技術であり本明細書では説明しない。
【０３４７】
リモートデバイスは、図４および図５に示した方法を実行するように構成されているとしてよい。例えば、リモートデバイスは上述した第１のリモートデバイスであってよい。このため、リモートデバイス内のユニットが実装する機能等については、上述した方法の説明を参照されたい。詳細の再度の説明は省略する。
【０３４８】
図１８を参照すると、同一の発明概念に基づき、本発明の実施形態は第３のリモートデバイスを提供する。リモートデバイスは、メモリ１８０１と、プロセッサ１８０２と、受信機１８０３と、送信機１８０４とを備えるとしてよい。
【０３４９】
プロセッサ１８０２は具体的には、中央演算処理装置またはＡＳＩＣであってよく、プログラム実行を制御するように構成されている１または複数の集積回路であってよく、ＦＰＧＡを利用して開発されたハードウェア回路であってよく、または、ベースバンドチップであってよい。
【０３５０】
１または複数のメモリ１８０１を備えるとしてよい。メモリ１８０１は、ＲＯＭ、ＲＡＭおよび磁気ディスクメモリを含むとしてよい。
【０３５１】
受信機１８０３および送信機１８０４は、無線周波数システムに属するとしてよく、外部デバイスとの間でネットワーク通信を実行するように構成されているとしてよい。具体的に、受信機１８０３および送信機１８０４は、イーサネット（登録商標）、無線アクセスネットワークまたは無線ローカルエリアネットワーク等のネットワークを利用して、外部デバイスと通信するとしてよい。
【０３５２】
メモリ１８０１、受信機１８０３および送信機１８０４は、バス（図１８では一例としてこれを利用している）を利用してプロセッサ１８０２に接続されているとしてよく、または、専用接続ケーブルを利用してプロセッサ１８０２に別個に接続されているとしてもよい。
【０３５３】
上述した方法に対応するコードを、プロセッサ１８０２用にプログラミングを設計することでチップに組み込むことによって、チップは、動作すると、図６および図７に示した方法を実行することができる。プロセッサ１８０２用のプログラミングを設計する方法は、当業者に公知の技術であり本明細書では説明しない。
【０３５４】
リモートデバイスは、図６および図７に示した方法を実行するように構成されているとしてよい。例えば、リモートデバイスは上述した第１のリモートデバイスであってよい。このため、リモートデバイス内のユニットが実装する機能等については、上述した方法の説明を参照されたい。詳細の再度の説明は省略する。
【０３５５】
図１９を参照すると、同一の発明概念に基づき、本発明の実施形態は第４の中継デバイスを提供する。中継デバイスは、送信モジュール１９０１と処理モジュール１９０２とを備えるとしてよい。
【０３５６】
実際に適用する場合、処理モジュール１９０２に対応するエンティティデバイスは、図１３のプロセッサ１３０２であってよく、送信モジュール１９０１に対応するエンティティデバイスは図１３における送信機１３０３であってよい。
【０３５７】
中継デバイスは、図２および図３に示した方法を実行するように構成されているとしてよい。例えば、中継デバイスは第１の中継デバイスであってよい。このため、中継デバイス内のユニットが実装する機能等については、上述した方法の説明を参照されたい。詳細の再度の説明は省略する。
【０３５８】
図２０を参照すると、同一の発明概念に基づき、本発明の実施形態は第５の中継デバイスを提供する。中継デバイスは、送信モジュール２００１、処理モジュール２００２と、受信モジュール２００３とを備えるとしてよい。
【０３５９】
実際に適用する場合、処理モジュール２００２に対応するエンティティデバイスは、図１４のプロセッサ１４０２であってよく、送信モジュール２００１に対応するエンティティデバイスは図１４における送信機１４０３であってよく、受信モジュール２００３に対応するエンティティデバイスは図１４における受信機１４０４であってよい。
【０３６０】
中継デバイスは、図４および図５に示した方法を実行するように構成されているとしてよい。例えば、中継デバイスは第１の中継デバイスであってよい。このため、中継デバイス内のユニットが実装する機能等については、上述した方法の説明を参照されたい。詳細の再度の説明は省略する。
【０３６１】
図２１を参照すると、同一の発明概念に基づき、本発明の実施形態は第６の中継デバイスを提供する。中継デバイスは、送信モジュール２１０１、処理モジュール２１０２と、受信モジュール２１０３とを備えるとしてよい。
【０３６２】
実際に適用する場合、処理モジュール２１０２に対応するエンティティデバイスは、図１５のプロセッサ１５０２であってよく、送信モジュール２１０１に対応するエンティティデバイスは図１５における送信機１５０３であってよく、受信モジュール２１０３に対応するエンティティデバイスは図１５における受信機１５０４であってよい。
【０３６３】
中継デバイスは、図６および図７に示した方法を実行するように構成されているとしてよい。例えば、中継デバイスは第１の中継デバイスであってよい。このため、中継デバイス内のユニットが実装する機能等については、上述した方法の説明を参照されたい。詳細の再度の説明は省略する。
【０３６４】
図２２を参照すると、同一の発明概念に基づき、本発明の実施形態は第４のリモートデバイスを提供する。リモートデバイスは、受信モジュール２２０１および処理モジュール２２０２を備えるとしてよい。
【０３６５】
実際に適用する場合、処理モジュール２２０２に対応するエンティティデバイスは、図１６のプロセッサ１６０２であってよく、受信モジュール２２０１に対応するエンティティデバイスは図１６における受信機１６０３であってよい。
【０３６６】
中継デバイスは、図２および図３に示した方法を実行するように構成されているとしてよい。例えば、リモートデバイスは第１のリモートデバイスであってよい。このため、リモートデバイス内のユニットが実装する機能等については、上述した方法の説明を参照されたい。詳細の再度の説明は省略する。
【０３６７】
図２３を参照すると、同一の発明概念に基づき、本発明の実施形態は第５のリモートデバイスを提供する。中継デバイスは、送信モジュール２３０１と、処理モジュール２３０２と、受信モジュール２３０３とを備えるとしてよい。
【０３６８】
実際に適用する場合、処理モジュール２３０２に対応するエンティティデバイスは、図１７のプロセッサ１７０２であってよく、送信モジュール２３０１に対応するエンティティデバイスは図１７における送信機１７０４であってよく、受信モジュール２３０３に対応するエンティティデバイスは図１７における受信機１７０３であってよい。
【０３６９】
リモートデバイスは、図４および図５に示した方法を実行するように構成されているとしてよい。例えば、リモートデバイスは第１のリモートデバイスであってよい。このため、リモートデバイス内のユニットが実装する機能等については、上述した方法の説明を参照されたい。詳細の再度の説明は省略する。
【０３７０】
図２４を参照すると、同一の発明概念に基づき、本発明の実施形態は第６のリモートデバイスを提供する。中継デバイスは、受信モジュール２４０１と、処理モジュール２４０２と、送信モジュール２４０３とを備えるとしてよい。
【０３７１】
実際に適用する場合、処理モジュール２４０２に対応するエンティティデバイスは、図１８のプロセッサ１８０２であってよく、受信モジュール２４０１に対応するエンティティデバイスは図１８における受信機１８０３であってよく、送信モジュール２４０３に対応するエンティティデバイスは図１８における送信機１８０４であってよい。
【０３７２】
リモートデバイスは、図６および図７に示した方法を実行するように構成されているとしてよい。例えば、リモートデバイスは第１のリモートデバイスであってよい。このため、リモートデバイス内のユニットが実装する機能等については、上述した方法の説明を参照されたい。詳細の再度の説明は省略する。
【０３７３】
同一の発明概念に基づき、本発明の実施形態はさらに３つの通信システムを提供する。これら３つの通信システムは以下で別々に説明する。
【０３７４】
第１の通信システムに関して、第１の通信システムは、中継デバイスおよびリモートデバイスを備えるとしてよい。１または複数の中継デバイスを備えるとしてよく、同様に１または複数のリモートデバイスを備えるとしてよい。
【０３７５】
第１の通信システムにおける中継デバイスは、図１３または図１９の中継デバイスであってよく、つまり、図２および図３のステップを完了するとしてよい。第１の通信システムにおけるリモートデバイスは図１６または図２２のリモートデバイスであってよく、つまり、図２および図３のステップを完了するとしてよい。
【０３７６】
第２の通信システムに関して、第２の通信システムは、中継デバイスおよびリモートデバイスを備えるとしてよい。１または複数の中継デバイスを備えるとしてよく、同様に１または複数のリモートデバイスを備えるとしてよい。
【０３７７】
第２の通信システムにおける中継デバイスは、図１４または図２０の中継デバイスであってよく、つまり、図４および図５のステップを完了するとしてよい。第２の通信システムにおけるリモートデバイスは図１７または図２３のリモートデバイスであってよく、つまり、図４および図５のステップを完了するとしてよい。
【０３７８】
第３の通信システムに関して、第３の通信システムは、中継デバイスおよびリモートデバイスを備えるとしてよい。１または複数の中継デバイスを備えるとしてよく、同様に１または複数のリモートデバイスを備えるとしてよい。
【０３７９】
第３の通信システムにおける中継デバイスは、図１５または図２１の中継デバイスであってよく、つまり、図６および図７のステップを完了するとしてよい。第３の通信システムにおけるリモートデバイスは図１８または図２４のリモートデバイスであってよく、つまり、図６および図７のステップを完了するとしてよい。
【０３８０】
本発明の実施形態において、中継デバイスは、リモートデバイスに対する接続を確立した後で第２のメッセージをさらに送信するので、リモートデバイスは、第２のメッセージを受信した後でリモートデバイスと中継デバイスとの間のリンクの信号強度を測定するとしてよい。つまり、リモートデバイスが中継デバイスに対する接続を確立した後、中継デバイスはさらに第２のメッセージを続けて送信するとしてよいので、リモートデバイスはリモートデバイスと中継デバイスとの間の信号強度を続けて測定するとしてよく、これによって、中継デバイスを再選択する必要があるか否かを判断するための基準として信号強度を利用する。例えば、リモートデバイスが測定によってリモートデバイスと中継デバイスとの間のリンクの信号強度が比較的弱いと判断する場合、リモートデバイスは中継デバイスから切断されるとしてよく、別の中継デバイスに対する接続の確立を求める。これによって、リモートデバイスが確実に良好なサービス品質を得ることができ、比較的高い品質のリンクの利用率が改善され、システム信頼性が改善される。
【０３８１】
説明の便宜上および簡潔さを目的として、上述したように機能モジュールを分割することは例示のための一例と見なされることは、当業者であれば明確に理解するであろう。実際に適用する場合、上述した機能は要求に応じて実装のために複数の異なる機能モジュールに割り当てることができ、つまり、装置の内部構造は、上述した機能の全てまたは一部を実装するべく、複数の異なる機能モジュールに分割される。説明したシステム、装置およびユニットの詳細な動作プロセスについては、上述した方法の実施形態の対応するプロセスを参照されたく、詳細についてはここでは説明しない。
【０３８２】
本発明において提供されるいくつかの実施形態において、開示されたデバイスおよび方法は他の方式で実装され得ることを理解されたい。例えば、説明された装置の実施形態は例に過ぎない。例えば、モジュールまたはユニットの分割は、論理的機能の分割に過ぎず、実際に実装する場合は他の分割であってよい。例えば、複数のユニットまたは構成要素を別のシステムと組み合わせたり、もしくは、別のシステムに統合するとしてもよいし、または、一部の機能を無視するか、もしくは、実行しないとしてもよい。さらに、表示または説明した相互結合または直接結合または通信接続は、いくつかのインターフェースを介して実装されるとしてよい。装置間またはユニット間の間接的な結合または通信接続は、電子的、機械的、または他の形態で実装されてよい。
【０３８３】
別々の部分として説明している複数のユニットは、物理的に別々であってもよいし、そうでなくてもよく、複数のユニットとして表示した複数の部分は、物理的なユニットであってもよいし、そうでなくてもよく、つまり、１つの位置に配置されてもよいし、または、複数のネットワークユニットにおいて分散させてもよい。ユニットの一部または全ては、実施形態の解決手段の目的を実現すべく実際に必要かどうかに応じて選択されるとしてよい。
【０３８４】
さらに、本発明の実施形態における複数の機能ユニットは１つの処理ユニットに統合するとしてもよいし、または、各ユニットは物理的に単独で存在するとしてもよいし、または、２またはそれ以上のユニットが１つのユニットに統合される。統合ユニットは、ハードウェア形式で実装されるとしてもよいし、または、ソフトウェア機能ユニット形式で実装されるとしてもよい。
【０３８５】
統合ユニットがソフトウェア機能ユニット形式で実装されて独立した製品として販売または使用される場合、統合ユニットはコンピュータ可読記憶媒体に格納されるとしてよい。このような理解に基づいて、本質的に本願の技術的解決手段、または先行技術に寄与する部分、または技術的解決手段の全てもしくは一部が、ソフトウェア製品の形態で実装されてよい。コンピュータソフトウェア製品は、記憶媒体に格納され、コンピュータデバイス（パーソナルコンピュータ、サーバ、またはネットワークデバイス等であってよい）またはプロセッサ（ｐｒｏｃｅｓｓｏｒ）に、本願の実施形態において説明された方法のステップの全てまたは一部を実行するように命令するためのいくつかの命令を含む。上述した記憶媒体は、プログラムコードを格納可能な任意の媒体、例えば、ＵＳＢフラッシュドライブ、取り外し可能なハードディスク、ＲＯＭ、ＲＡＭ、磁気ディスクまたは光ディスクを含む。
【０３８６】
上述の実施形態は単に、本発明の技術的解決手段を詳細に説明するために用いられるに過ぎない。上述の実施形態は、単に本発明の方法および中心的概念を理解し易いようにすることを意図したものであり、本発明に対する限定と解されてはならない。本発明において開示される技術的範囲内において当業者により容易に想到されるあらゆる変形または置き換えが、本発明の保護範囲に属するものとする。
【図１】
2018533308.tif 000003
【図２】
2018533308.tif 000004
【図３】
2018533308.tif 000005
【図４】
2018533308.tif 000006
【図５】
2018533308.tif 000007
【図６】
2018533308.tif 000008
【図７】
2018533308.tif 000009
【図８】
2018533308.tif 000010
【図９】
2018533308.tif 000011
【図１０】
2018533308.tif 000012
【図１１】
2018533308.tif 000013
【図１２】
2018533308.tif 000014
【図１３】
2018533308.tif 000015
【図１４】
2018533308.tif 000016
【図１５】
2018533308.tif 000017
【図１６】
2018533308.tif 000018
【図１７】
2018533308.tif 000019
【図１８】
2018533308.tif 000020
【図１９】
2018533308.tif 000021
【図２０】
2018533308.tif 000022
【図２１】
2018533308.tif 000023
【図２２】
2018533308.tif 000024
【図２３】
2018533308.tif 000025
【図２４】
2018533308.tif 000026
【手続補正書】
【提出日】平成30年6月7日(2018.6.7)
【手続補正１】
【補正対象書類名】特許請求の範囲
【補正対象項目名】全文
【補正方法】変更
【補正の内容】
【特許請求の範囲】
【請求項１】
第１のメッセージを第１の中継デバイスによってブロードキャストする段階であって、前記第１のメッセージは前記第１の中継デバイスを発見するべくリモートデバイスによって利用される、段階と、
前記リモートデバイス内の第１のリモートデバイスに対する接続を前記第１の中継デバイスによって確立する段階と、
第２のメッセージを前記第１の中継デバイスによって送信する段階であって、前記第２のメッセージは前記リモートデバイスと前記第１の中継デバイスとの間のリンクの信号強度を測定するべく前記リモートデバイスによって利用される、段階と
を備える、信号強度を測定する方法。
【請求項２】
前記第２のメッセージは前記第１のメッセージと同一であり、前記第１のメッセージおよび前記第２のメッセージはそれぞれ、前記第１の中継デバイスがアクセス上限に到達したか否かの指標を保持し、前記第１のメッセージおよび前記第２のメッセージは、前記第１の中継デバイスを発見するべく、および、前記リモートデバイスと前記第１の中継デバイスとの間の前記リンクの前記信号強度を測定するべく、前記リモートデバイスによって利用される
請求項１に記載の方法。
【請求項３】
前記第１の中継デバイスが前記アクセス上限に到達したか否かの前記指標は具体的に、
前記第１の中継デバイスが前記アクセス上限に到達している場合に前記第１の中継デバイスが前記リモートデバイスに対する中継サービスを提供できないこと、または、
前記第１の中継デバイスが前記アクセス上限に到達していない場合に前記第１の中継デバイスが前記リモートデバイスに対する中継サービスを提供できること
を示すべく利用される
請求項２に記載の方法。
【請求項４】
第１のリモートデバイスが送信する第１のメッセージを中継デバイスによって受信する段階であって、前記第１のメッセージは中継サービスを提供するよう前記中継デバイスに要求するべく前記第１のリモートデバイスによって利用される、段階と、
第２のメッセージを前記中継デバイスによって送信する段階であって、前記第２のメッセージは前記中継デバイスを発見するべく前記第１のリモートデバイスによって利用される、段階と、
前記第１のリモートデバイスに対する接続を、前記中継デバイスにおける第１の中継デバイスによって確立する段階と、
前記第１のリモートデバイスが送信する第３のメッセージを前記第１の中継デバイスによって受信する段階であって、前記第３のメッセージは測定サービスを提供するよう前記第１の中継デバイスに要求するべく前記第１のリモートデバイスによって利用される、段階と
を備える、信号強度を測定する方法。
【請求項５】
前記第１のリモートデバイスが送信する第３のメッセージを前記第１の中継デバイスによって受信する段階の後、前記方法はさらに、
前記第３のメッセージが前記第１の中継デバイスの識別子を保持する場合、前記第１の中継デバイスが第４のメッセージを前記第１のリモートデバイスに送信すると、前記第１の中継デバイスによって判断する段階であって、前記第４のメッセージは前記第１のリモートデバイスと前記第１の中継デバイスとの間のリンクの信号強度を測定するべく前記第１のリモートデバイスによって利用される、段階
を備える請求項４に記載の方法。
【請求項６】
中継デバイスに対して第１のメッセージを第１のリモートデバイスによって送信する段階であって、前記第１のメッセージは中継サービスを提供するよう前記中継デバイスに要求するべく前記第１のリモートデバイスによって利用される、段階と、
前記中継デバイスが送信する第２のメッセージを、前記第１のリモートデバイスによって受信する段階であって、前記第２のメッセージは前記中継デバイスを発見するべく前記第１のリモートデバイスによって利用される、段階と、
前記中継デバイスにおける第１の中継デバイスに対する接続を前記第１のリモートデバイスによって確立する段階と、
前記第１の中継デバイスに対して第３のメッセージを前記第１のリモートデバイスによって送信する段階であって、前記第３のメッセージは測定サービスを提供するよう前記第１の中継デバイスに要求するべく前記第１のリモートデバイスによって利用される、段階と
を備える、信号強度を測定する方法。
【請求項７】
前記第１の中継デバイスに対して第３のメッセージを前記第１のリモートデバイスによって送信する段階の後、前記方法はさらに、
前記第３のメッセージが前記第１の中継デバイスの識別子を保持する場合、前記第１の中継デバイスが送信した第４のメッセージを受信すると、前記第１のリモートデバイスによって判断する段階であって、前記第４のメッセージは前記第１のリモートデバイスと前記第１の中継デバイスとの間のリンクの信号強度を測定するべく前記第１のリモートデバイスによって利用される、段階
を備える請求項６に記載の方法。
【請求項８】
中継デバイスであって、
第１のメッセージをブロードキャストする送信モジュールであって、前記第１のメッセージは、前記中継デバイスを発見するためにリモートデバイスによって利用される、送信モジュールと、 
前記リモートデバイスにおける第１のリモートデバイスに対する接続を確立する処理モジュールと
を備え、
前記送信モジュールはさらに、第２のメッセージを送信し、前記第２のメッセージは、前記リモートデバイスと前記中継デバイスとの間のリンクの信号強度を測定するべく前記リモートデバイスによって利用される
中継デバイス。
【請求項９】
前記第２のメッセージは前記第１のメッセージと同一であり、前記第１のメッセージおよび前記第２のメッセージはそれぞれ、前記中継デバイスがアクセス上限に到達したか否かの指標を保持し、前記第１のメッセージおよび前記第２のメッセージは、前記中継デバイスを発見するべく、および、前記リモートデバイスと前記中継デバイスとの間の前記リンクの前記信号強度を測定するべく、前記リモートデバイスによって利用される
請求項８に記載の中継デバイス。
【請求項１０】
前記中継デバイスが前記アクセス上限に到達したか否かの前記指標は具体的に、
前記中継デバイスが前記アクセス上限に到達する場合に、前記中継デバイスが前記リモートデバイスに対する中継サービスを提供できないこと、または、
前記中継デバイスが前記アクセス上限に到達していない場合に、前記中継デバイスが前記リモートデバイスに対する中継サービスを提供できること
を示すべく利用される
請求項９に記載の中継デバイス。
【請求項１１】
中継デバイスであって、
第１のリモートデバイスが送信する第１のメッセージを受信する受信モジュールであって、前記第１のメッセージは、中継サービスを提供するよう前記中継デバイスに要求するべく前記第１のリモートデバイスによって利用される、受信モジュールと、
第２のメッセージを送信する送信モジュールであって、前記第２のメッセージは前記中継デバイスを発見するべく前記第１のリモートデバイスによって利用される、送信モジュールと、
前記第１のリモートデバイスに対する接続を確立する処理モジュールと
を備え、
前記受信モジュールはさらに、前記第１のリモートデバイスが送信する第３のメッセージを受信し、前記第３のメッセージは、測定サービスを提供するよう前記中継デバイスに要求するべく前記第１のリモートデバイスによって利用される
中継デバイス。
【請求項１２】
前記第１のリモートデバイスが送信する前記第３のメッセージを前記受信モジュールが受信した後、前記受信モジュールが受信した前記第３のメッセージが前記中継デバイスの識別子を保持する場合、前記処理モジュールはさらに、前記送信モジュールが第４のメッセージを前記第１のリモートデバイスに送信すると判断し、前記第４のメッセージは、前記第１のリモートデバイスと前記中継デバイスとの間のリンクの信号強度を測定するべく前記第１のリモートデバイスによって利用される
請求項１１に記載の中継デバイス。
【請求項１３】
メモリと、プロセッサと、送信機とを備える中継デバイスであって、
前記メモリは、命令を格納し、
前記プロセッサは、
前記送信機を利用して第１のメッセージをブロードキャストする処理であって、前記第１のメッセージは、前記中継デバイスを発見するべくリモートデバイスによって利用される、処理、
前記リモートデバイスにおける第１のリモートデバイスに対する接続を確立する処理、および、
前記送信機を利用して第２のメッセージを送信する処理であって、前記第２のメッセージは、前記リモートデバイスと前記中継デバイスとの間のリンクの信号強度を測定するべく、前記リモートデバイスによって利用される、処理
を実行するべく前記メモリから前記命令を読み出す
中継デバイス。
【請求項１４】
メモリと、受信機と、プロセッサと、送信機とを備える中継デバイスであって、
前記メモリは、命令を格納し、
前記プロセッサは、
第１のリモートデバイスが送信する第１のメッセージを前記受信機を利用して受信する処理であって、前記第１のメッセージは、中継サービスを提供するよう前記中継デバイスに要求するべく前記第１のリモートデバイスによって利用される、処理と、
第２のメッセージを前記送信機を利用して送信する処理であって、前記第２のメッセージは、前記中継デバイスを発見するべく前記第１のリモートデバイスによって利用される、処理と、
前記第１のリモートデバイスに対する接続を確立する処理と、
前記第１のリモートデバイスが送信する第３のメッセージを前記受信機を利用して受信する処理であって、前記第３のメッセージは、測定サービスを提供するよう前記中継デバイスに要求するべく、前記第１のリモートデバイスによって利用される、処理と
を実行するべく前記メモリから前記命令を読み出す
中継デバイス。
【請求項１５】
メモリと、プロセッサと、受信機と、送信機とを備えるリモートデバイスであって、
前記メモリは、命令を格納し、
前記プロセッサは、
中継デバイスに第１のメッセージを前記送信機を利用して送信する処理であって、前記第１のメッセージは、中継サービスを提供するよう前記中継デバイスに要求するべく前記リモートデバイスによって利用される、処理と、
前記中継デバイスが送信する第２のメッセージを前記受信機を利用して受信する処理であって、前記第２のメッセージは、前記中継デバイスを発見するべく前記リモートデバイスによって利用される、処理と、
前記中継デバイスにおける第１の中継デバイスに対する接続を確立する処理と、
前記第１の中継デバイスに第３のメッセージを前記送信機を利用して送信する処理であって、前記第３のメッセージは、測定サービスを提供するように前記第１の中継デバイスに要求するべく、前記リモートデバイスによって利用される、処理と
を実行するべく前記メモリから前記命令を読み出す
リモートデバイス。
【請求項１６】
命令を備えるコンピュータ可読記憶媒体であって、前記命令は、コンピュータによって実行されると、前記コンピュータに請求項１から７のいずれか一項に記載の方法を実行させるコンピュータ可読記憶媒体。
【請求項１７】
請求項１から７のいずれか一項に記載の方法をコンピュータに実行させるコンピュータプログラム。
【手続補正２】
【補正対象書類名】明細書
【補正対象項目名】０００９
【補正方法】変更
【補正の内容】
【０００９】
モデルＡでは、全てのＰｒｏＳｅ  ＵＥ−ｔｏ−ＮＷ  Ｒｅｌａｙが継続的にアナウンスメッセージ（Ａｎｎｏｕｎｃｅｍｅｎｔ  ｍｅｓｓａｇｅ）をブロードキャストするとしてよく、ＰｒｏＳｅ  ＵＥ−ｔｏ−ＮＷ  Ｒｅｌａｙが提供できるサービスは、Ａｎｎｏｕｎｃｅｍｅｎｔ  ｍｅｓｓａｇｅに示されているとしてよい。それぞれのＲｅｍｏｔｅ  ＵＥは、受信したＡｎｎｏｕｎｃｅｍｅｎｔ  ｍｅｓｓａｇｅに従ってアクセスするべく、条件を満たす（例えば、Ｒｅｍｏｔｅ  ＵＥが必要とするサービスを提供できる）ＰｒｏＳｅ  ＵＥ−ｔｏ−ＮＷ  Ｒｅｌａｙを選択するとしてよい。
【手続補正３】
【補正対象書類名】明細書
【補正対象項目名】００１０
【補正方法】変更
【補正の内容】
【００１０】
先行技術では、ＰｒｏＳｅ  ＵＥ−ｔｏ−ＮＷ  ＲｅｌａｙがＲｅｍｏｔｅ  ＵＥに対する接続を確立した後、ＰｒｏＳｅ  ＵＥ−ｔｏ−ＮＷ  Ｒｅｌａｙが中継サービスの提供を継続できない場合、ＰｒｏＳｅ  ＵＥ−ｔｏ−ＮＷ  ＲｅｌａｙはＡｎｎｏｕｎｃｅｍｅｎｔ  ｍｅｓｓａｇｅをブロードキャストしなくなるとしてよい。このため、Ｒｅｍｏｔｅ  ＵＥは、Ｒｅｍｏｔｅ  ＵＥと、接続されたＰｒｏＳｅ  ＵＥ−ｔｏ−ＮＷ  Ｒｅｌａｙとの間のリンクの信号強度を測定できない。
【手続補正４】
【補正対象書類名】明細書
【補正対象項目名】００１４
【補正方法】変更
【補正の内容】
【００１４】
第２の役割に関して、この役割は被発見側（Ｄｉｓｃｏｖｅｒｅｅ）ＵＥと呼ばれるとしてよく、近接している発見側ＵＥが送信する要求メッセージをモニタリングするように構成されており、１または複数の発見側ＵＥの要求メッセージの要求が満たされると特定のＲｅｓｐｏｎｓｅ  ｍｅｓｓａｇｅで応答するとしてよい。中継モデルでは、ＰｒｏＳｅ  ＵＥ−ｔｏ−ＮＷ  Ｒｅｌａｙが被発見側ＵＥの役割を果たすとしてよい。
【手続補正５】
【補正対象書類名】明細書
【補正対象項目名】００１５
【補正方法】変更
【補正の内容】
【００１５】
モデルＢにおいて、Ｒｅｍｏｔｅ  ＵＥは最初に、請求要求（Ｓｏｌｉｃｉｔａｔｉｏｎ  ｒｅｑｕｅｓｔ）メッセージを送信し、Ｒｅｍｏｔｅ  ＵＥが必要とするサービスはＳｏｌｉｃｉｔａｔｉｏｎ  ｒｅｑｕｅｓｔに示されているとしてよい。このため、Ｒｅｍｏｔｅ  ＵＥが要求する条件を満たす（例えば、Ｓｏｌｉｃｉｔａｔｉｏｎ  ｒｅｑｕｅｓｔに示されているサービスを提供できる）ＰｒｏＳｅ  ＵＥ−ｔｏ−ＮＷ  Ｒｅｌａｙは、応答メッセージ（Ｒｅｓｐｏｎｓｅ  ｍｅｓｓａｇｅ）で応答するとしてよく、Ｒｅｍｏｔｅ  ＵＥは、受信したＲｅｓｐｏｎｓｅ  ｍｅｓｓａｇｅに応じて、ＰｒｏＳｅ  ＵＥ−ｔｏ−ＮＷ  ＲｅｌａｙからのアクセスのためのＰｒｏＳｅ  ＵＥ−ｔｏ−ＮＷ  Ｒｅｌａｙを選択する。
【手続補正６】
【補正対象書類名】明細書
【補正対象項目名】００１６
【補正方法】変更
【補正の内容】
【００１６】
先行技術では、ＰｒｏＳｅ  ＵＥ−ｔｏ−ＮＷ  ＲｅｌａｙがＲｅｍｏｔｅ  ＵＥに対する接続を確立した後にＲｅｍｏｔｅ  ＵＥの接続要求情報がなければ、ＰｒｏＳｅ  ＵＥ−ｔｏ−ＮＷ  ＲｅｌａｙはＲｅｓｐｏｎｓｅ  ｍｅｓｓａｇｅを送信しなくなる。
【手続補正７】
【補正対象書類名】明細書
【補正対象項目名】００１８
【補正方法】変更
【補正の内容】
【００１８】
モデルＡまたはモデルＢのいずれにしろ、ＰｒｏＳｅ  ＵＥ−ｔｏ−ＮＷ  Ｒｅｌａｙが、Ｒｅｍｏｔｅ  ＵＥに対する接続を確立した後、Ｒｅｍｏｔｅ  ＵＥにメッセージ（モデルＡではＡｎｎｏｕｎｃｅｍｅｎｔ  ｍｅｓｓａｇｅ、または、モデルＢではＲｅｓｐｏｎｓｅ  ｍｅｓｓａｇｅ）を継続的に送信することが保証され得ない。このため、ＰｒｏＳｅ  ＵＥ−ｔｏ−ＮＷ  ＲｅｌａｙがＲｅｍｏｔｅ  ＵＥに対する接続を確立した後、Ｒｅｍｏｔｅ  ＵＥはさらにＰＣ５リンクの信号強度を測定することができない。現在のＰＣ５リンクの信号強度が比較的弱いとしても、Ｒｅｍｏｔｅ  ＵＥは現在のＰＣ５リンクの信号強度が比較的弱いことを知ることもできず、アクセスのために別のＰｒｏＳｅ  ＵＥ−ｔｏ−ＮＷ  Ｒｅｌａｙを再選択することもできない。この結果、Ｒｅｍｏｔｅ  ＵＥが受け入れるネットワークの品質が比較的低く、Ｒｅｍｏｔｅ  ＵＥによるネットワークの利用に影響が出る。比較的強い信号強度を提供できるＰｒｏＳｅ  ＵＥ−ｔｏ−ＮＷ  Ｒｅｌａｙが存在しているとしても、Ｒｅｍｏｔｅ  ＵＥはアクセスを実行することができない。さらに、リンク利用率が比較的低く、ネットワークプランニングが全体的に不適切になり、システム信頼性が比較的低くなってしまう。
【手続補正８】
【補正対象書類名】明細書
【補正対象項目名】０３６６
【補正方法】変更
【補正の内容】
【０３６６】
リモートデバイスは、図２および図３に示した方法を実行するように構成されているとしてよい。例えば、リモートデバイスは第１のリモートデバイスであってよい。このため、リモートデバイス内のユニットが実装する機能等については、上述した方法の説明を参照されたい。詳細の再度の説明は省略する。
【手続補正９】
【補正対象書類名】明細書
【補正対象項目名】０３６７
【補正方法】変更
【補正の内容】
【０３６７】
図２３を参照すると、同一の発明概念に基づき、本発明の実施形態は第５のリモートデバイスを提供する。リモートデバイスは、送信モジュール２３０１と、処理モジュール２３０２と、受信モジュール２３０３とを備えるとしてよい。
【手続補正１０】
【補正対象書類名】明細書
【補正対象項目名】０３７０
【補正方法】変更
【補正の内容】
【０３７０】
図２４を参照すると、同一の発明概念に基づき、本発明の実施形態は第６のリモートデバイスを提供する。リモートデバイスは、受信モジュール２４０１と、処理モジュール２４０２と、送信モジュール２４０３とを備えるとしてよい。
【国際調査報告】
2018533308.tif 000027
2018533308.tif 000028
2018533308.tif 000029
2018533308.tif 000030
2018533308.tif 000031